(57)【要約】本明細書で開示されるのは、マルチプレックスアッセイについての情報を記憶するための固有のアナログコード識別子を有するビーズを含む組成物、並びにマルチプレックス化学及び生物学アッセイにおいて組成物を使用する方法である。【選択図】図４Ｂ
2019535003.tif 000002
【特許請求の範囲】
【請求項１】
以下の工程を含むマルチプレックスアッセイの実施方法であって、
ａ）アッセイシステム中でサンプルをビーズと接触させることであって、前記システム中の各ビーズは、
（１）第１の表面及び第２の表面を有する実質的に透明なポリマー層であって、前記第１及び第２の表面は、互いに平行である、前記実質的に透明なポリマー層；
（２）実質的に非透明なポリマー層であって、前記実質的に非透明なポリマー層は、前記実質的に透明なポリマー層の前記第１の表面に固定され、かつ、前記実質的に透明なポリマー層の中央部分を囲み、前記実質的に非透明なポリマー層は、アナログコード識別子を表す二次元形状を含む、前記実質的に非透明なポリマー層；
を含み、
前記システムは、（ｉ）特定のアッセイ、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、前記複数のビーズの各ビーズは、分析物に特異的に結合する捕捉剤を含み、前記捕捉剤は、前記実質的に透明なポリマー層の少なくとも前記中央部分において、前記実質的に透明なポリマー層の前記第１の表面及び前記第２の表面の少なくとも１つの上に固定化され、及び前記複数のビーズの各ビーズは、前記捕捉剤に対応するアナログコード識別子を含む、前記接触させること；及び
任意の順序で、同時または順次：
ｂ）前記イメージングプロセッサーによって認識される前記識別子を前記特定のアッセイとして同定すること；及び
ｃ）前記捕捉剤に対応する前記アナログコード識別子の同定に基づいて、前記ビーズの表面上に固定化された前記捕捉剤への前記分析物の結合を分析することによって前記サンプル中の前記分析物の結合を検出すること
を含む、前記方法。
【請求項２】
前記システムが、（ｉｉｉ）少なくとも２つのビーズ、少なくとも３つのビーズ、少なくとも４つのビーズ、少なくとも５つのビーズ、または少なくとも６つのビーズをさらに含み、各々が、特定のアッセイ、特定の分析物、製造ロット、個人、位置識別子、または較生信号としてイメージングプロセッサーによって認識されるアナログコード識別子を有する、請求項１に記載の方法。
【請求項３】
前記システムが、（ｉｖ）前記イメージングプロセッサーによって認識される少なくとも１つのビーズを陽性または陰性対照としてさらに含む、請求項１または２に記載の方法。
【請求項４】
前記位置識別子が、病院、診断研究所、住所、ヘルスケア専門家のオフィス、またはリサーチ研究所に対応する、請求項１に記載の方法。
【請求項５】
前記システムが、（ｖ）前記イメージングプロセッサーの機能を監視するために予め標識される少なくとも１つのビーズをさらに含む、請求項１〜４のいずれか１項に記載の方法。
【請求項６】
前記ビーズが、球形または長方形の形状を含む、請求項１〜５のいずれか１項に記載の方法。
【請求項７】
前記ビーズが、約３００μｍ未満の直径である、請求項１〜６のいずれか１項に記載の方法。
【請求項８】
前記ビーズの表面が、滑らかで、表面の凹凸がない、請求項１〜７のいずれか１項に記載の方法。
【請求項９】
前記ビーズの少なくとも１つの表面が、前記捕捉剤の化学的付着のための少なくとも１つの部位を含む、請求項１〜８のいずれか１項に記載の方法。
【請求項１０】
前記捕捉剤が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体断片からなる群から選択される、請求項１〜９のいずれか１項に記載の方法。
【請求項１１】
前記複数のビーズが、磁性または非磁性である、請求項１〜１０のいずれか１項に記載の方法。
【請求項１２】
前記ビーズが、（３）前記実質的に非透明なポリマー層と前記実質的に透明なポリマー層の中央部分の間で前記実質的に透明なポリマー層の中央部分を囲む磁性の実質的に非透明な層をさらに含み、前記磁性の実質的に非透明な層が、前記実質的に透明なポリマー層の前記第１の表面または前記第２の表面に固定される、請求項１に記載の方法。
【請求項１３】
前記ビーズが、
（４）前記第１の実質的に透明なポリマー層と整列されている第２の実質的に透明なポリマー層であって、前記第２の実質的に透明なポリマー層が、前記第１の実質的に透明なポリマー層の中央部分と整列されている中央部分を有し、前記第２の実質的に透明なポリマー層が、前記第１の実質的に透明なポリマー層の前記第２の表面に固定され、かつ、前記第１の実質的に透明なポリマー層の二次元形状を超えて伸びない、前記第２の実質的に透明なポリマー層；及び
（５）前記実質的に非透明なポリマー層と前記実質的に透明なポリマー層の中央部分の間で前記第１の実質的に透明なポリマー層の中央部分を囲む磁性の実質的に非透明な層であって、前記磁性の実質的に非透明な層が、前記第１及び前記第２の実質的に透明なポリマー層の間に固定される、前記磁性の実質的に非透明な層
をさらに含む、請求項１に記載の方法。
【請求項１４】
前記ビーズが、前記実質的に非透明なポリマー層の前記アナログコード識別子を配向するための配向インジケーターをさらに含む、請求項１に記載の方法。
【請求項１５】
前記配向インジケーターが、前記磁性の実質的に非透明な層の非対称性を含む、請求項１４に記載の方法。
【請求項１６】
前記磁性の実質的に非透明な層が、ニッケルを含む、請求項１２〜１５のいずれか１項に記載の方法。
【請求項１７】
前記磁性の実質的に非透明な層が、約５０ｎｍ〜約１０μｍの厚さである、請求項１２〜１６のいずれか１項に記載の方法。
【請求項１８】
前記磁性の実質的に非透明な層が、約０．１μｍの厚さである、請求項１７に記載の方法。
【請求項１９】
前記実質的に非透明なポリマー層の二次元形状が、複数のギア歯を含むギア形状を含み、前記アナログコード識別子が、前記複数のうちの１つ以上のギア歯の高さ、前記複数のうちの１つ以上のギア歯の幅、前記複数におけるギア歯の数、及び前記複数内の１つ以上のギア歯の配置からなる群から選択される１つ以上の態様によって表される、請求項１に記載の方法。
【請求項２０】
前記複数のギア歯が、約１μｍ〜約１０μｍの幅である１つ以上のギア歯を含む、請求項１９に記載の方法。
【請求項２１】
前記複数のギア歯が、約１μｍ〜約１０μｍの高さである１つ以上のギア歯を含む、請求項１９または請求項２０に記載の方法。
【請求項２２】
前記複数のギア歯が、約１μｍ〜約１０μｍ離間している２つ以上のギア歯を含む、請求項１９〜２１のいずれか１項に記載の方法。
【請求項２３】
前記ビーズが、
（６）前記第１の実質的に透明なポリマー層の前記第１の表面から突出している１つ以上の円柱であって、前記１つ以上の円柱が、前記第１の実質的に透明なポリマー層の中央部分内ではない前記１つ以上の円柱；及び／または
（７）前記第１の実質的に透明なポリマー層に固定されない前記第１の実質的に透明なポリマー層の前記第２の表面または前記第２の実質的に透明なポリマー層の表面から突出している１つ以上の円柱であって、前記１つ以上の円柱が、前記第１または第２の実質的に透明なポリマー層の中央部分内ではない、前記１つ以上の円柱
をさらに含む、請求項１に記載の方法。
【請求項２４】
前記ビーズが、実質的に円形のディスクである、請求項１に記載の方法。
【請求項２５】
前記第１の実質的に透明なポリマー層の中央部分が、前記第１の実質的に透明なポリマー層の表面積の約５％〜約９０％を含む、請求項１に記載の方法。
【請求項２６】
前記第１の実質的に透明なポリマー層の中央部分が、前記第１の実質的に透明なポリマー層の表面積の約２５％を含む、請求項２５に記載の方法。
【請求項２７】
前記ビーズが、約２００μｍ未満の直径である、請求項１に記載の方法。
【請求項２８】
前記ビーズが、約５０μｍの直径である、請求項２７に記載の方法。
【請求項２９】
前記ビーズが、約５０μｍ未満の厚さである、請求項１に記載の方法。
【請求項３０】
前記ビーズが、約１０μｍの厚さである、請求項２９に記載の方法。
【請求項３１】
前記分析物が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される、請求項１〜３０のいずれか１項に記載の方法。
【請求項３２】
前記第１または第２の実質的に透明なポリマー層の実質的に透明なポリマーが、エポキシ系ポリマーを含む、請求項１に記載の方法。
【請求項３３】
前記エポキシ系ポリマーが、ＳＵ−８である、請求項３２に記載の方法。
【請求項３４】
マルチプレックスアッセイを実施するキットであって、
ａ）ビーズセットであって、前記セット中の各ビーズは、
（１）第１の表面及び第２の表面を有する実質的に透明なポリマー層、前記第１及び第２の表面は、互いに平行であり；
（２）実質的に非透明なポリマー層であって、前記実質的に非透明なポリマー層は、前記実質的に透明なポリマー層の前記第１の表面に固定され、かつ、前記実質的に透明なポリマー層の中央部分を囲み、前記実質的に非透明なポリマー層は、アナログコード識別子を表す二次元形状を含む、前記実質的に非透明なポリマー層；
を含み、
前記ビーズセットは、（ｉ）特定のアッセイ、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、前記複数のビーズの各ビーズは、分析物に特異的に結合する捕捉剤を含み、前記捕捉剤は、前記実質的に透明なポリマー層の少なくとも前記中央部分において、前記実質的に透明なポリマー層の前記第１の表面及び前記第２の表面の少なくとも１つの上に固定化され、前記複数のビーズの各ビーズは、前記捕捉剤に対応するアナログコード識別子を含む、前記ビーズセット；及び
ｂ）前記分析物または捕捉剤に直接的または間接的に結合することが可能な信号発信エンティティ
を含む、前記キット。
【請求項３５】
前記信号発信エンティティが、前記信号発信エンティティにコンジュゲートされる二次抗体を介して、前記分析物または捕捉剤に間接的に結合する、請求項３４に記載のキット。
【請求項３６】
前記信号発信エンティティが、前記信号発信エンティティにコンジュゲートされるヌクレオチドプローブを介して、前記分析物または捕捉剤に間接的に結合する、請求項３４に記載のキット。
【請求項３７】
前記信号発信エンティティが、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である、請求項３４に記載のキット。
【請求項３８】
前記キットが、少なくとも２つのビーズ、少なくとも３つのビーズ、少なくとも４つのビーズ、少なくとも５つのビーズ、または少なくとも６つのビーズをさらに含み、各々が、特定のアッセイ、特定の分析物、製造ロット、個人、位置識別子、または較生信号としてイメージングプロセッサーによって認識されるアナログコード識別子を有する、請求項３４〜３７のいずれか１項に記載のキット。
【請求項３９】
前記キットが、
（ｉ）特定のアッセイとして前記イメージングプロセッサーによって認識される識別子を有する前記少なくとも１つのビーズを同定し、
（ｉｉ）前記複数のビーズ上の前記識別子を同定し、
（ｉｉｉ）前記信号発信エンティティによって生成された信号の量を検出し、
（ｉｖ）前記イメージングプロセッサーによって認識される識別子を有する前記少なくとも１つのビーズを製造ロットとして同定し、
（ｖ）前記イメージングプロセッサーによって認識される識別子を有する前記少なくとも１つのビーズを個人として同定し、
（ｖｉ）前記イメージングプロセッサーによって認識される識別子を有する前記少なくとも１つのビーズを位置識別子として同定し、または
（ｖｉｉ）前記イメージングプロセッサーの較正のために予め標識される前記少なくとも１つのビーズを同定する
ためのイメージングプロセッサーをさらに含む、請求項３４〜３８のいずれか１項に記載のキット。
【請求項４０】
前記分析物または捕捉剤に直接的または間接的に結合することが可能なエンティティをさらに含み、前記エンティティが、親和性標識を含む、請求項３４〜３９のいずれか１項に記載のキット。
【請求項４１】
前記親和性標識が、ビオチン、Ｈｉｓ６、またはマルトースである、請求項４０に記載のキット。
【請求項４２】
前記イメージングプロセッサーの機能を監視するために予め標識される少なくとも１つのビーズをさらに含む、請求項３４、３９、及び４０のいずれか１項に記載のキット。
【請求項４３】
前記ビーズが、球形または長方形の形状を含む、請求項３４〜４２のいずれか１項に記載のキット。
【請求項４４】
前記ビーズが、約３００μｍ未満の直径である、請求項３４〜４３のいずれか１項に記載のキット。
【請求項４５】
前記ビーズの表面が、滑らかで、表面の凹凸がない、請求項３４〜４４のいずれか１項に記載のキット。
【請求項４６】
前記ビーズの少なくとも１つの表面が、前記捕捉剤の化学的付着のための少なくとも１つの部位を含む、請求項３４〜４５のいずれか１項に記載のキット。
【請求項４７】
前記捕捉剤が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される、請求項３４〜４６のいずれか１項に記載のキット。
【請求項４８】
前記複数のビーズが、磁性または非磁性である、請求項４４〜４７のいずれか１項に記載のキット。
【請求項４９】
前記ビーズが、（３）前記実質的に非透明なポリマー層と前記実質的に透明なポリマー層の中央部分の間で前記実質的に透明なポリマー層の中央部分を囲む磁性の実質的に非透明な層であって、前記磁性の実質的に非透明な層が、前記実質的に透明なポリマー層の前記第１の表面または前記第２の表面に固定される前記磁性の実質的に非透明な層、をさらに含む、請求項３４に記載のキット。
【請求項５０】
前記ビーズが、
（４）前記第１の実質的に透明なポリマー層と整列されている第２の実質的に透明なポリマー層であって、前記第２の実質的に透明なポリマー層が、前記第１の実質的に透明なポリマー層の中央部分と整列されている中央部分を有し、前記第２の実質的に透明なポリマー層が、前記第１の実質的に透明なポリマー層の前記第２の表面に固定され、かつ、前記第１の実質的に透明なポリマー層の二次元形状を超えて伸びない、前記第２の実質的に透明なポリマー層；及び
（５）前記実質的に非透明なポリマー層と前記実質的に透明なポリマー層の中央部分の間で前記第１の実質的に透明なポリマー層の中央部分を囲む磁性の実質的に非透明な層であって、前記磁性の実質的に非透明な層が、前記第１及び前記第２の実質的に透明なポリマー層の間に固定される前記磁性の実質的に非透明な層
をさらに含む、請求項３４に記載のキット。
【請求項５１】
前記ビーズが、前記実質的に非透明なポリマー層の前記アナログコード識別子を配向するための配向インジケーターをさらに含む、請求項３４に記載のキット。
【請求項５２】
前記配向インジケーターが、前記磁性の実質的に非透明な層の非対称性を含む、請求項５１に記載のキット。
【請求項５３】
前記磁性の実質的に非透明な層が、ニッケルを含む、請求項４９〜５２のいずれか１項に記載のキット。
【請求項５４】
前記磁性の実質的に非透明な層が、約５０ｎｍ〜約１０μｍの厚さである、請求項４９〜５３のいずれか１項に記載のキット。
【請求項５５】
前記磁性の実質的に非透明な層が、約０．１μｍの厚さである、請求項５４に記載のキット。
【請求項５６】
前記実質的に非透明なポリマー層の二次元形状が、複数のギア歯を含むギア形状を含み、前記アナログコード識別子が、前記複数のうちの１つ以上のギア歯の高さ、前記複数のうちの１つ以上のギア歯の幅、前記複数におけるギア歯の数、及び前記複数内の１つ以上のギア歯の配置からなる群から選択される１つ以上の態様によって表される、請求項３４に記載のキット。
【請求項５７】
前記複数のギア歯が、約１μｍ〜約１０μｍの幅である１つ以上のギア歯を含む、請求項５６に記載のキット。
【請求項５８】
前記複数のギア歯が、約１μｍ〜約１０μｍの高さである１つ以上のギア歯を含む、請求項５６または請求項５７に記載のキット。
【請求項５９】
前記複数のギア歯が、約１μｍ〜約１０μｍ離間している２つ以上のギア歯を含む、請求項５６〜５８のいずれか１項に記載のキット。
【請求項６０】
前記ビーズが、
（６）前記第１の実質的に透明なポリマー層の前記第１の表面から突出している１つ以上の円柱であって、前記１つ以上の円柱が、前記第１の実質的に透明なポリマー層の中央部分内ではない、前記１つ以上の円柱；及び／または
（７）前記第１の実質的に透明なポリマー層に固定されない前記第１の実質的に透明なポリマー層の前記第２の表面または前記第２の実質的に透明なポリマー層の表面から突出している１つ以上の円柱であって、前記１つ以上の円柱が、前記第１または第２の実質的に透明なポリマー層の中央部分内ではない、前記１つ以上の円柱
をさらに含む、請求項３４に記載のキット。
【請求項６１】
前記ビーズが、実質的に円形のディスクである、請求項３４に記載のキット。
【請求項６２】
前記第１の実質的に透明なポリマー層の中央部分が、前記第１の実質的に透明なポリマー層の表面積の約５％〜約９０％を含む、請求項３４に記載のキット。
【請求項６３】
前記第１の実質的に透明なポリマー層の中央部分が、前記第１の実質的に透明なポリマー層の表面積の約２５％を含む、請求項６２に記載のキット。
【請求項６４】
前記ビーズが、約２００μｍ未満の直径である、請求項３４に記載のキット。
【請求項６５】
前記ビーズが、約５０μｍの直径である、請求項６４に記載のキット。
【請求項６６】
前記ビーズが、約５０μｍ未満の厚さである、請求項３４に記載のキット。
【請求項６７】
前記ビーズが、約１０μｍの厚さである、請求項６６に記載のキット。
【請求項６８】
前記分析物が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される、請求項３４〜６７のいずれか１項に記載のキット。
【請求項６９】
前記第１または第２の実質的に透明なポリマー層の実質的に透明なポリマーが、エポキシ系ポリマーを含む、請求項３４に記載のキット。
【請求項７０】
前記エポキシ系ポリマーが、ＳＵ−８である、請求項６９に記載のキット。
【請求項７１】
マルチプレックスアッセイシステムであって、
ａ）請求項３４〜７０のいずれか１項に記載のキット中の複数のビーズ；及び
ｂ）イメージングプロセッサーシステム及び反応検出システムを含む装置
を含み、
デコードシステムにおける前記イメージングプロセッサーによって、
（ｉ）特定のアッセイ、
（ｉｉ）特定の分析物、
（ｉｉｉ）製造ロット、
（ｉｖ）個人、
（ｖ）位置識別子、及び／または
（ｖｉ）較生信号
のうちの１つ以上に対応する識別子の同定により、前記特定のアッセイと相関する反応検出システムによって検出されるソフトウェア分析検出信号の使用を活性化させる、前記マルチプレックスアッセイシステム。
【請求項７２】
以下の工程を含むマルチプレックスアッセイの実施方法であって、
ａ）アッセイシステム中でサンプルをビーズと接触させることであって、前記システム中の各ビーズは、第１の表面及び第２の表面を有する実質的に非透明なポリマー層を含み、前記第１及び第２の表面は、互いに平行であり；前記実質的に非透明なポリマー層の輪郭は、アナログコード識別子を表す二次元形状を含み；前記システムは、（ｉ）特定のアッセイ、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、前記複数のビーズの各ビーズは、分析物に特異的に結合する捕捉剤を含み、前記捕捉剤は、前記実質的に透明なポリマー層の少なくとも前記中央部分において、前記実質的に透明なポリマー層の前記第１の表面及び前記第２の表面の少なくとも１つの上に固定化され、及び前記複数のビーズの各ビーズは、前記捕捉剤に対応するアナログコード識別子を含む、前記接触させること；及び
任意の順序で、同時または順次：
ｂ）前記イメージングプロセッサーによって認識される前記識別子を前記特定のアッセイとして同定すること；及び
ｃ）前記捕捉剤に対応する前記アナログコード識別子の同定に基づいて、前記ビーズの表面上に固定化された前記捕捉剤への前記分析物の結合を分析することによって前記サンプル中の前記分析物の結合を検出すること
を含む、前記方法。
【請求項７３】
前記システムが、（ｉｉｉ）少なくとも２つのビーズ、少なくとも３つのビーズ、少なくとも４つのビーズ、少なくとも５つのビーズ、または少なくとも６つのビーズをさらに含み、各々が、特定のアッセイ、特定の分析物、製造ロット、個人、位置識別子、または較生信号としてイメージングプロセッサーによって認識されるアナログコード識別子を有する、請求項７２に記載の方法。
【請求項７４】
前記システムが、（ｉｖ）前記イメージングプロセッサーによって認識される少なくとも１つのビーズを陽性または陰性対照としてさらに含む、請求項７２または請求項７３に記載の方法。
【請求項７５】
前記位置識別子が、病院、診断研究所、住所、ヘルスケア専門家のオフィス、またはリサーチ研究所に対応する、請求項７２に記載の方法。
【請求項７６】
前記システムが、（ｖ）前記イメージングプロセッサーの機能を監視するために予め標識される少なくとも１つのビーズをさらに含む、請求項７２に記載の方法。
【請求項７７】
前記ビーズが、球形または長方形の形状を含む、請求項７２〜７６のいずれか１項に記載の方法。
【請求項７８】
前記ビーズが、約３００μｍ未満の直径である、請求項７２〜７７のいずれか１項に記載の方法。
【請求項７９】
前記ビーズの表面が、滑らかで、表面の凹凸がない、請求項７２〜７８のいずれか１項に記載の方法。
【請求項８０】
前記ビーズの少なくとも１つの表面が、前記捕捉剤の化学的付着のための少なくとも１つの部位を含む、請求項７２〜７９のいずれか１項に記載の方法。
【請求項８１】
前記捕捉剤が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体断片からなる群から選択される、請求項７２〜８０のいずれか１項に記載の方法。
【請求項８２】
前記複数のビーズが、磁性または非磁性である、請求項７２〜８１のいずれか１項に記載の方法。
【請求項８３】
前記ビーズが、（２）前記実質的に非透明なポリマー層と前記実質的に透明なポリマー層の中央部分の間で前記実質的に透明なポリマー層の中央部分を囲む磁性の実質的に非透明な層であって、前記磁性の実質的に非透明な層が、前記実質的に透明なポリマー層の前記第１の表面または前記第２の表面に固定される、前記磁性の実質的に非透明な層をさらに含む、請求項７２に記載の方法。
【請求項８４】
前記ビーズが、
（３）前記第１の実質的に透明なポリマー層と整列されている第２の実質的に透明なポリマー層であって、前記第２の実質的に透明なポリマー層が、前記第１の実質的に透明なポリマー層の中央部分と整列されている中央部分を有し、前記第２の実質的に透明なポリマー層が、前記第１の実質的に透明なポリマー層の前記第２の表面に固定され、かつ、前記第１の実質的に透明なポリマー層の二次元形状を超えて伸びない、前記第２の実質的に透明なポリマー層；及び
（４）前記実質的に非透明なポリマー層と前記実質的に透明なポリマー層の中央部分の間で前記第１の実質的に透明なポリマー層の中央部分を囲む磁性の実質的に非透明な層であって、前記磁性の実質的に非透明な層が、前記第１及び前記第２の実質的に透明なポリマー層の間に固定される、前記磁性の実質的に非透明な層
をさらに含む、請求項７２に記載の方法。
【請求項８５】
前記ビーズが、前記実質的に非透明なポリマー層の前記アナログコード識別子を配向するための配向インジケーターをさらに含む、請求項７２に記載の方法。
【請求項８６】
前記配向インジケーターが、前記磁性の実質的に非透明な層の非対称性を含む、請求項８５に記載の方法。
【請求項８７】
前記磁性の実質的に非透明な層が、ニッケルを含む、請求項８３〜８６のいずれか１項に記載の方法。
【請求項８８】
前記磁性の実質的に非透明な層が、約５０ｎｍ〜約１０μｍの厚さである、請求項８３〜８７のいずれか１項に記載の方法。
【請求項８９】
前記磁性の実質的に非透明な層が、約０．１μｍの厚さである、請求項８８に記載の方法。
【請求項９０】
前記実質的に非透明なポリマー層の二次元形状が、複数のギア歯を含むギア形状を含み、前記アナログコード識別子が、前記複数のうちの１つ以上のギア歯の高さ、前記複数のうちの１つ以上のギア歯の幅、前記複数におけるギア歯の数、及び前記複数内の１つ以上のギア歯の配置からなる群から選択される１つ以上の態様によって表される、請求項８８に記載の方法。
【請求項９１】
前記複数のギア歯が、約１μｍ〜約１０μｍの幅である１つ以上のギア歯を含む、請求項９０に記載の方法。
【請求項９２】
前記複数のギア歯が、約１μｍ〜約１０μｍの高さである１つ以上のギア歯を含む、請求項９０または請求項９１に記載の方法。
【請求項９３】
前記複数のギア歯が、約１μｍ〜約１０μｍ離間している２つ以上のギア歯を含む、請求項９０〜９２のいずれか１項に記載の方法。
【請求項９４】
前記ビーズが、
（５）前記第１の実質的に透明なポリマー層の前記第１の表面から突出している１つ以上の円柱であって、前記１つ以上の円柱が、前記第１の実質的に透明なポリマー層の中央部分内ではない、前記１つ以上の円柱；及び／または
（６）前記第１の実質的に透明なポリマー層に固定されない前記第１の実質的に透明なポリマー層の前記第２の表面または前記第２の実質的に透明なポリマー層の表面から突出している１つ以上の円柱であって、前記１つ以上の円柱が、前記第１または第２の実質的に透明なポリマー層の中央部分内ではない、前記１つ以上の円柱
をさらに含む、請求項７２に記載の方法。
【請求項９５】
前記ビーズが、実質的に円形のディスクである、請求項７２に記載の方法。
【請求項９６】
前記第１の実質的に透明なポリマー層の中央部分が、前記第１の実質的に透明なポリマー層の表面積の約５％〜約９０％を含む、請求項７２に記載の方法。
【請求項９７】
前記第１の実質的に透明なポリマー層の中央部分が、前記第１の実質的に透明なポリマー層の表面積の約２５％を含む、請求項９６に記載の方法。
【請求項９８】
前記ビーズが、約２００μｍ未満の直径である、請求項７２に記載の方法。
【請求項９９】
前記ビーズが、約５０μｍの直径である、請求項９８に記載の方法。
【請求項１００】
前記ビーズが、約５０μｍ未満の厚さである、請求項７２に記載の方法。
【請求項１０１】
前記ビーズが、約１０μｍの厚さである、請求項１００に記載の方法。
【請求項１０２】
前記分析物が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される、請求項７２〜１０１のいずれか１項に記載の方法。
【請求項１０３】
前記第１または第２の実質的に透明なポリマー層の実質的に透明なポリマーが、エポキシ系ポリマーを含む、請求項７２に記載の方法。
【請求項１０４】
前記エポキシ系ポリマーが、ＳＵ−８である、請求項１０３に記載の方法。
【請求項１０５】
マルチプレックスアッセイを実施するキットであって、
ａ）ビーズセットであって、前記セット中の各ビーズは、第１の表面及び第２の表面を有する実質的に非透明なポリマー層を含み、前記第１及び第２の表面は、互いに平行であり；前記実質的に非透明なポリマー層の輪郭は、アナログコード識別子を表す二次元形状を含み；及び前記ビーズセットは、（ｉ）特定のアッセイ、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、前記複数のビーズの各ビーズは、分析物に特異的に結合する捕捉剤を含み、前記捕捉剤は、前記実質的に透明なポリマー層の少なくとも前記中央部分において、前記実質的に透明なポリマー層の前記第１の表面及び前記第２の表面の少なくとも１つの上に固定化され、前記複数のビーズの各ビーズは、前記捕捉剤に対応するアナログコード識別子を含む、前記ビーズセット；及び
ｂ）前記分析物または捕捉剤に直接的または間接的に結合することが可能な信号発信エンティティ
を含む、前記キット。
【請求項１０６】
前記信号発信エンティティが、前記信号発信エンティティにコンジュゲートされる二次抗体を介して、前記分析物または捕捉剤に間接的に結合する、請求項１０５に記載のキット。
【請求項１０７】
前記信号発信エンティティが、前記信号発信エンティティにコンジュゲートされるヌクレオチドプローブを介して、前記分析物または捕捉剤に間接的に結合する、請求項１０５に記載のキット。
【請求項１０８】
前記信号発信エンティティが、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である、請求項１０５に記載のキット。
【請求項１０９】
前記キットが、少なくとも２つのビーズ、少なくとも３つのビーズ、少なくとも４つのビーズ、少なくとも５つのビーズ、または少なくとも６つのビーズをさらに含み、各々が、特定のアッセイ、特定の分析物、製造ロット、個人、位置識別子、または較生信号としてイメージングプロセッサーによって認識されるアナログコード識別子を有する、請求項１０５〜１０８のいずれか１項に記載のキット。
【請求項１１０】
前記キットが、
（ｉ）特定のアッセイとして前記イメージングプロセッサーによって認識される識別子を有する前記少なくとも１つのビーズを同定し、
（ｉｉ）前記複数のビーズ上の前記識別子を同定し、
（ｉｉｉ）前記信号発信エンティティによって生成された信号の量を検出し、
（ｉｖ）前記イメージングプロセッサーによって認識される識別子を有する前記少なくとも１つのビーズを製造ロットとして同定し、
（ｖ）前記イメージングプロセッサーによって認識される識別子を有する前記少なくとも１つのビーズを個人として同定し、
（ｖｉ）前記イメージングプロセッサーによって認識される識別子を有する前記少なくとも１つのビーズを位置識別子として同定し、または
（ｖｉｉ）前記イメージングプロセッサーの較正のために予め標識される前記少なくとも１つのビーズを同定する
ためのイメージングプロセッサーをさらに含む、請求項１０５〜１０９のいずれか１項に記載のキット。
【請求項１１１】
前記分析物または捕捉剤に直接的または間接的に結合することが可能なエンティティをさらに含み、前記エンティティが、親和性標識を含む、請求項１０５〜１１０のいずれか１項に記載のキット。
【請求項１１２】
前記親和性標識が、ビオチン、Ｈｉｓ６、またはマルトースである、請求項１１１に記載のキット。
【請求項１１３】
前記イメージングプロセッサーの機能を監視するために予め標識される少なくとも１つのビーズをさらに含む、請求項１０５、１１０、及び１１１のいずれか１項に記載のキット。
【請求項１１４】
前記ビーズが、球形または長方形の形状を含む、請求項１０５〜１１３のいずれか１項に記載のキット。
【請求項１１５】
前記ビーズが、約３００μｍ未満の直径である、請求項１０５〜１１４のいずれか１項に記載のキット。
【請求項１１６】
前記ビーズの表面が、滑らかで、表面の凹凸がない、請求項１０５〜１１５のいずれか１項に記載のキット。
【請求項１１７】
前記ビーズの少なくとも１つの表面が、前記捕捉剤の化学的付着のための少なくとも１つの部位を含む、請求項１０５〜１１６のいずれか１項に記載のキット。
【請求項１１８】
前記捕捉剤が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される、請求項１０５〜１１７のいずれか１項に記載のキット。
【請求項１１９】
前記複数のビーズが、磁性または非磁性である、請求項１０５〜１１８のいずれか１項に記載のキット。
【請求項１２０】
前記ビーズが、（２）前記実質的に非透明なポリマー層と前記実質的に透明なポリマー層の中央部分の間で前記実質的に透明なポリマー層の中央部分を囲む磁性の実質的に非透明な層であって、前記磁性の実質的に非透明な層が、前記実質的に透明なポリマー層の前記第１の表面または前記第２の表面に固定される、前記磁性の実質的に非透明な層をさらに含む、請求項１０５に記載のキット。
【請求項１２１】
前記ビーズが、
（３）前記第１の実質的に透明なポリマー層と整列されている第２の実質的に透明なポリマー層であって、前記第２の実質的に透明なポリマー層が、前記第１の実質的に透明なポリマー層の中央部分と整列されている中央部分を有し、前記第２の実質的に透明なポリマー層が、前記第１の実質的に透明なポリマー層の前記第２の表面に固定され、かつ、前記第１の実質的に透明なポリマー層の二次元形状を超えて伸びない、前記第２の実質的に透明なポリマー層；及び
（４）前記実質的に非透明なポリマー層と前記実質的に透明なポリマー層の中央部分の間で前記第１の実質的に透明なポリマー層の中央部分を囲む磁性の実質的に非透明な層であって、前記磁性の実質的に非透明な層が、前記第１及び前記第２の実質的に透明なポリマー層の間に固定される、前記磁性の実質的に非透明な層
をさらに含む、請求項１０５に記載のキット。
【請求項１２２】
前記ビーズが、前記実質的に非透明なポリマー層の前記アナログコード識別子を配向するための配向インジケーターをさらに含む、請求項１０５に記載のキット。
【請求項１２３】
前記配向インジケーターが、前記磁性の実質的に非透明な層の非対称性を含む、請求項１２２に記載のキット。
【請求項１２４】
前記磁性の実質的に非透明な層が、ニッケルを含む、請求項１２０〜１２３のいずれか１項に記載のキット。
【請求項１２５】
前記磁性の実質的に非透明な層が、約５０ｎｍ〜約１０μｍの厚さである、請求項１２０〜１２４のいずれか１項に記載のキット。
【請求項１２６】
前記磁性の実質的に非透明な層が、約０．１μｍの厚さである、請求項１２５に記載のキット。
【請求項１２７】
前記実質的に非透明なポリマー層の二次元形状が、複数のギア歯を含むギア形状を含み、前記アナログコード識別子が、前記複数のうちの１つ以上のギア歯の高さ、前記複数のうちの１つ以上のギア歯の幅、前記複数におけるギア歯の数、及び前記複数内の１つ以上のギア歯の配置からなる群から選択される１つ以上の態様によって表される、請求項１０５に記載のキット。
【請求項１２８】
前記複数のギア歯が、約１μｍ〜約１０μｍの幅である１つ以上のギア歯を含む、請求項１２７に記載のキット。
【請求項１２９】
前記複数のギア歯が、約１μｍ〜約１０μｍの高さである１つ以上のギア歯を含む、請求項１２７または請求項１２８に記載のキット。
【請求項１３０】
前記複数のギア歯が、約１μｍ〜約１０μｍ離間している２つ以上のギア歯を含む、請求項１２７〜１２９のいずれか１項に記載のキット。
【請求項１３１】
前記ビーズが、
（５）前記第１の実質的に透明なポリマー層の前記第１の表面から突出している１つ以上の円柱であって、前記１つ以上の円柱が、前記第１の実質的に透明なポリマー層の中央部分内ではない前記１つ以上の円柱；及び／または
（６）前記第１の実質的に透明なポリマー層に固定されない前記第１の実質的に透明なポリマー層の前記第２の表面または前記第２の実質的に透明なポリマー層の表面から突出している１つ以上の円柱であって、前記１つ以上の円柱が、前記第１または第２の実質的に透明なポリマー層の中央部分内ではない前記１つ以上の円柱
をさらに含む、請求項１０５に記載のキット。
【請求項１３２】
前記ビーズが、実質的に円形のディスクである、請求項１０５に記載のキット。
【請求項１３３】
前記第１の実質的に透明なポリマー層の中央部分が、前記第１の実質的に透明なポリマー層の表面積の約５％〜約９０％を含む、請求項１０５に記載のキット。
【請求項１３４】
前記第１の実質的に透明なポリマー層の中央部分が、前記第１の実質的に透明なポリマー層の表面積の約２５％を含む、請求項１３３に記載のキット。
【請求項１３５】
前記ビーズが、約２００μｍ未満の直径である、請求項１０５に記載のキット。
【請求項１３６】
前記ビーズが、約５０μｍの直径である、請求項１３５に記載のキット。
【請求項１３７】
前記ビーズが、約５０μｍ未満の厚さである、請求項１０５に記載のキット。
【請求項１３８】
前記ビーズが、約１０μｍの厚さである、請求項１３７に記載のキット。
【請求項１３９】
前記分析物が、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される、請求項１０５〜１３８のいずれか１項に記載のキット。
【請求項１４０】
前記第１または第２の実質的に透明なポリマー層の実質的に透明なポリマーが、エポキシ系ポリマーを含む、請求項１０５に記載のキット。
【請求項１４１】
前記エポキシ系ポリマーが、ＳＵ−８である、請求項１４０に記載のキット。
【請求項１４２】
マルチプレックスアッセイシステムであって、
ａ）請求項１０５〜１４１のいずれか１項に記載のキット中の複数のビーズ；及び
ｂ）イメージングプロセッサーシステム及び反応検出システムを含む装置
を含み、
デコードシステムにおける前記イメージングプロセッサーによって、
（ｉ）特定のアッセイ、
（ｉｉ）特定の分析物、
（ｉｉｉ）製造ロット、
（ｉｖ）個人、
（ｖ）位置識別子、及び／または
（ｖｉ）較生信号
のうちの１つ以上に対応する識別子の同定により、前記特定のアッセイと相関する反応検出システムによって検出されるソフトウェア分析検出信号の使用を活性化させる、前記マルチプレックスアッセイシステム。
【発明の詳細な説明】
【技術分野】
【０００１】
関連出願の相互参照
本発明は、２０１６年９月１６日に出願された米国仮出願第６２／３９６，０５６号の優先権の利益を主張し、本出願は、その全体を参照することによって本明細書に組み込まれる。
【０００２】
本出願は、固有のアナログコード識別子でコード化されたビーズを含む組成物、並びに組成物の作製方法、マルチプレックス化学及び生物学アッセイにおける組成物の使用方法に関する。
【０００３】
免疫学及び分子診断アッセイは、研究及び臨床現場の両方において重要な役割を果たす。複数のターゲットパネルに対するアッセイを行って、意義ある結果または俯瞰図の結果を得て、研究または臨床の意思決定を容易にする必要がある場合が多い。これは、ゲノミクス及びプロテオミクスの時代において特に当てはまり、豊富な遺伝子マーカー及び／またはバイオマーカーは、特定の疾患状態に影響を与えるかまたはそれを予測すると考えられる。理論的には、複数のターゲットのアッセイは、異なる反応槽で並列的あるいは個別に順次に各ターゲットを試験することで達成することが可能である（すなわち、マルチプルシングルプレックス）。しかしながら、シングルプレックス戦略を採用するアッセイは面倒な場合が多いだけでなく、典型的には、分析されるターゲットの数が多い場合には特に、大量のサンプル容量も必要とする。
【０００４】
マルチプレックスアッセイは、単一アッセイで複数の分析物（２つ以上）を同時に測定する。マルチプレックスアッセイは、ハイスループットスクリーニングの設定において一般に使用され、多くの検体を一度に分析することができる。多くの分析物を同時かつ多くの検体を並行してアッセイする能力は、マルチプレックスアッセイの顕著な特徴であり、そのようなアッセイが、創薬から機能ゲノミクスさらに臨床診断に至る範囲の分野において強力なツールとなっている理由である。シングルプレックスとは対照的に、全てのターゲットを同じ反応槽で組み合わせることで、アッセイは、サンプル１つ当たり１つの反応槽のみを扱うので、あまり面倒ではなく、はるかに実施が容易である。必要とされる試験サンプルの体積を劇的に減少させることができるため、これは、サンプル（例えば、腫瘍組織、脳脊髄液、または骨髄）を大量に取得することが難しく及び／または侵襲的である場合には特に重要である。試薬コストを減少させ、アッセイスループットを劇的に増すことができることも等しく重要である。
【０００５】
マルチプレックス検出に対する多くの技術が利用可能であり、蛍光コードビーズビーズ、バーコード磁性ビーズなどが挙げられる。従来から、全てのこれらのサスペンションアレイビーズは、実際のバイオアッセイを行うために利用される。これらのビーズベースのマルチプレックスアッセイシステムでは、アッセイ中の全てのビーズに対して２つの同定システムが存在する。１つのシステムは、ビーズの表面に付着した捕捉剤を同定することである一方、２番目の同定システムは、特定の捕捉剤に結合する分析物の存在または量を示すために用いられる。ルミネックス技術は、任意の所与のビーズと関連付けられた２つの異なるフルオロフォアを有するラテックスビーズを中心とするビーズベースのマルチプレックス検出システムの一例である。第１の蛍光色素をラテックス重合プロセス中にビーズに注入し、使用して、ビーズの同一性（すなわち、ビーズと関連付けられた捕捉剤の同定）を明らかにする。ビーズにリンクした分析物捕捉剤によって捕捉された分析物分子が存在する場合、第２のフルオロフォアは、ビーズに導入された分析物バインダーにコンジュゲートされる。他のビーズベースのアッセイでは、第１の同定システムは、蛍光ベースのもの以外のシステムに置き換えることができる。例えば、Ａｐｐｌｉｅｄ  Ｂｉｏｃｏｄｅ’ｓ  ＢＭＢシステムでは、第１の同定システムは、バーコードに置き換えられる。
【０００６】
これらの進歩にもかかわらず、高精度かつ再現性のある実験結果を確保するだけでなく、アッセイそれ自体には直接関係しない情報及びデータ記憶に関する他の機能を行うこともできるマルチプレックスハイスループットアッセイに使用される個々に同定可能なビーズを利用する方法及びシステムの必要性が依然としてある。
【０００７】
本明細書を通じて、種々の特許、特許出願、及び他の種類の刊行物（例えば、雑誌論文）に言及している。本明細書に引用される全ての特許、特許出願、及び刊行物の開示は、全ての目的のためのそれらの全体が参照として本明細書に組み込まれる。
【発明の概要】
【０００８】
本開示は、特に、固有の情報保存識別子でコード化された実質的に同一のサイズ及び形状のビーズの組成物（例えば、ポリマービーズ）、及びマルチプレックス化学及び生物学アッセイにおいて組成物を使用する方法を開示する。
【０００９】
したがって、本明細書で提供されるのは、以下の工程：ａ）アッセイシステム中でサンプルをビーズと接触させることであって、システム中の各ビーズは、（１）第１の表面及び第２の表面を有する実質的に透明なポリマー層であって、第１及び第２の表面は、互いに平行である、実質的に透明なポリマー層；（２）実質的に非透明なポリマー層であって、実質的に非透明なポリマー層は、実質的に透明なポリマー層の第１の表面に固定され、かつ、実質的に透明なポリマー層の中央部分を囲み、実質的に非透明なポリマー層は、アナログコード識別子を表す二次元形状を含む実質的に非透明なポリマー層；を含み、システムは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、及び複数のビーズの各ビーズは、捕捉剤に対応するアナログコード識別子を含む、接触させること；及び任意の順序で、同時または順次：ｂ）イメージングプロセッサーによって認識される識別子を特定のアッセイとして同定すること；及びｃ）捕捉剤に対応するアナログコード識別子の同定に基づいて、ビーズの表面上に固定化された捕捉剤への分析物の結合を分析することによってサンプル中の分析物の結合を検出することを含む、マルチプレックスアッセイの実施方法である。いくつかの実施形態では、システムは、（ｉｉｉ）少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、システムは、（ｉｖ）イメージングプロセッサーによって認識される少なくとも１つのビーズを陽性または陰性対照としてさらに含む。いくつかの実施形態では、位置識別子は、病院、診断研究所、住所、ヘルスケア専門家のオフィス、またはリサーチ研究所に対応する。いくつかの実施形態では、システムは、（ｖ）イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体���片からなる群から選択される。いくつかの実施形態では、複数のビーズは、磁性または非磁性である。いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない、第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコード識別子を配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコード識別子は、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、（６）第１の実質的に透明なポリマー層の第１の表面から突出している１つ以上の円柱であって、１つ以上の円柱は、第１の実質的に透明なポリマー層の中央部分内ではない、１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【００１０】
他の態様では、本明細書で提供されるのは、ａ）ビーズセットであって、セット中の各ビーズは、（１）第１の表面及び第２の表面を有する実質的に透明なポリマー層であって、第１及び第２の表面は、互いに平行である実質的に透明なポリマー層；（２）実質的に非透明なポリマー層であって、実質的に非透明なポリマー層は、実質的に透明なポリマー層の第１の表面に固定され、かつ、実質的に透明なポリマー層の中央部分を囲む実質的に非透明なポリマー層を含み；及びビーズセットは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、複数のビーズの各ビーズは、捕捉剤に対応するアナログコード識別子を含む、ビーズセット；及びｂ）分析物または捕捉剤に直接的または間接的に結合することが可能な信号発信エンティティを含む、マルチプレックスアッセイを実施するキットである。いくつかの実施形態では、信号発信エンティティは、信号発信エンティティにコンジュゲートされる二次抗体を介して、分析物または捕捉剤に間接的に結合する。いくつかの実施形態では、信号発信エンティティは、信号発信エンティティにコンジュゲートされるヌクレオチドプローブを介して、分析物または捕捉剤に間接的に結合する。いくつかの実施形態では、信号発信エンティティは、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である。いくつかの実施形態では、キットは、少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、キットは、（ｉ）特定のアッセイとしてイメージングプロセッサーによって認識される識別子を有する少なくとも１つのビーズを同定し、（ｉｉ）複数のビーズ上の識別子を同定し、（ｉｉｉ）信号発信エンティティによって生成された信号の量を検出し、（ｉｖ）イメージングプロセッサーによって認識される識別子を有する少なくとも１つのビーズを製造ロットとして同定し、（ｖ）イメージングプロセッサーによって認識される識別子を有する少なくとも１つのビーズを個人として同定し、（ｖｉ）イメージングプロセッサーによって認識される識別子を有する少なくとも１つのビーズを位置識別子として同定し、または（ｖｉｉ）イメージングプロセッサーの較正のために予め標識される少なくとも１つのビーズを同定するためのイメージングプロセッサーをさらに含む。いくつかの実施形態では、キットは、分析物または捕捉剤に直接的または間接的に結合することが可能なエンティティをさらに含み、エンティティは、親和性標識を含む。いくつかの実施形態では、親和性標識は、ビオチン、Ｈｉｓ６、またはマルトースである。上記の実施形態のいずれかのいくつかの実施形態では、キットは、イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される。いくつかの実施形態では、複数のビーズは、磁性または非磁性である。いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコード識別子を配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコード識別子は、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、（６）第１の実質的に透明なポリマー層の第１の表面から突出している１つ以上の円柱であって、１つ以上の円柱は、第１の実質的に透明なポリマー層の中央部分内ではない１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【００１１】
他の態様では、本明細書で提供されるのは、ａ）上記の実施形態のいずれか１項に記載のキット中の複数のビーズ；及びｂ）イメージングプロセッサーシステム及び反応検出システムを含む装置を含み、デコードシステムにおけるイメージングプロセッサーによって、（ｉ）特定のアッセイもしくはアッセイキット、（ｉｉ）特定の分析物、（ｉｉｉ）製造ロット、（ｉｖ）個人、（ｖ）位置識別子、及び／または（ｖｉ）較生信号のうちの１つ以上に対応する識別子の同定により、特定のアッセイと相関する反応検出システムによって検出されるソフトウェア分析検出信号の使用を活性化させる、マルチプレックスアッセイシステムである。
【００１２】
他の態様では、本明細書で提供されるのは、以下の工程：ａ）アッセイシステム中でサンプルをビーズと接触させることであって、システム中の各ビーズは、第１の表面及び第２の表面を有する実質的に非透明なポリマー層を含み、第１及び第２の表面は、互いに平行であり；実質的に非透明なポリマー層の輪郭は、アナログコード識別子を表す二次元形状を含み；システムは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、及び複数のビーズの各ビーズは、捕捉剤に対応するアナログコード識別子を含む、接触させること；及び任意の順序で、同時または順次：ｂ）イメージングプロセッサーによって認識される識別子を特定のアッセイとして同定すること；及びｃ）捕捉剤に対応するアナログコード識別子の同定に基づいて、ビーズの表面上に固定化された捕捉剤への分析物の結合を分析することによってサンプル中の分析物の結合を検出することを含む、マルチプレックスアッセイの実施方法である。いくつかの実施形態では、システムは、（ｉｉｉ）少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、システムは、（ｉｖ）イメージングプロセッサーによって認識される少なくとも１つのビーズを陽性または陰性対照としてさらに含む。いくつかの実施形態では、位置識別子は、病院、診断研究所、住所、ヘルスケア専門家のオフィス、またはリサーチ研究所に対応する。いくつかの実施形態では、システムは、（ｖ）イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体断片からなる群から選択される。いくつかの実施形態では、複数のビーズは、磁性または非磁性である。いくつかの実施形態では、ビーズは、（２）実質的に非透明なポリマー層と実質的に透明なポリマー層の中央部分の間で実質的に透明なポリマー層���中央部分を囲む磁性の実質的に非透明な層であって、磁性の実質的に非透明な層が、実質的に透明なポリマー層の第１の表面または第２の表面に固定される、磁性の実質的に非透明な層をさらに含む。いくつかの実施形態では、ビーズは、（３）第１の実質的に透明なポリマー層と整列されている第２の実質的に透明なポリマー層であって、第２の実質的に透明なポリマー層が、第１の実質的に透明なポリマー層の中央部分と整列されている中央部分を有し、第２の実質的に透明なポリマー層が、第１の実質的に透明なポリマー層の第２の表面に固定され、かつ、第１の実質的に透明なポリマー層の二次元形状を超えて伸びない第２の実質的に透明なポリマー層；及び（４）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコード識別子を配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコード識別子は、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、（５）第１の実質的に透明なポリマー層の第１の表面から突出している１つ以上の円柱であって、１つ以上の円柱が、第１の実質的に透明なポリマー層の中央部分内ではない１つ以上の円柱；及び／または（６）第１の実質的に透明なポリマー層に固定されない第１の実質的に透明なポリマー層の第２の表面または第２の実質的に透明なポリマー層の表面から突出している１つ以上の円柱であって、１つ以上の円柱が、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【００１３】
他の態様では、本明細書で提供されるのは、ａ）ビーズセットであって、セット中の各ビーズは、第１の表面及び第２の表面を有する実質的に非透明なポリマー層を含み、第１及び第２の表面は、互いに平行であり；実質的に非透明なポリマー層の輪郭は、アナログコード識別子を表す二次元形状を含み；及びビーズセットは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、複数のビーズの各ビーズは、捕捉剤に対応するアナログコード識別子を含む、ビーズセット；及びｂ）分析物または捕捉剤に直接的または間接的に結合することが可能な信号発信エンティティを含む、マルチプレックスアッセイを実施するキットである。いくつかの実施形態では、信号発信エンティティは、信号発信エンティティにコンジュゲートされる二次抗体を介して、分析物または捕捉剤に間接的に結合する。いくつかの実施形態では、信号発信エンティティは、信号発信エンティティにコンジュゲートされるヌクレオチドプローブを介して、分析物または捕捉剤に間接的に結合する。いくつかの実施形態では、信号発信エンティティは、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である。いくつかの実施形態では、キットは、少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、キットは、（ｉ）特定のアッセイとしてイメージングプロセッサーによって認識される識別子を有する少なくとも１つのビーズを同定し、（ｉｉ）複数のビーズ上の識別子を同定し、（ｉｉｉ）信号発信エンティティによって生成された信号の量を検出し、（ｉｖ）イメージングプロセッサーによって認識される識別子を有する少なくとも１つのビーズを製造ロットとして同定し、（ｖ）イメージングプロセッサーによって認識される識別子を有する少なくとも１つのビーズを個人として同定し、（ｖｉ）イメージングプロセッサーによって認識される識別子を有する少なくとも１つのビーズを位置識別子として同定し、または（ｖｉｉ）イメージングプロセッサーの較正のために予め標識される少なくとも１つのビーズを同定するためのイメージングプロセッサーをさらに含む。いくつかの実施形態では、キットは、分析物または捕捉剤に直接的または間接的に結合することが可能なエンティティをさらに含み、エンティティは、親和性標識を含む。いくつかの実施形態では、親和性標識は、ビオチン、Ｈｉｓ６、またはマルトースである。いくつかの実施形態では、キットは、イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される。いくつかの実施形態では、複数のビーズは、磁性または非磁性である。いくつかの実施形態では、ビーズは、（２）実質的に非透明なポリマー層と実質的に透明なポリマー層の中央部分の間で実質的に透明なポリマー層の中央部分を囲む磁性の実質的に非透明な層であって、磁性の実質的に非透明な層が、実質的に透明なポリマー層の第１の表面または第２の表面に固定される、磁性の実質的に非透明な層をさらに含む。いくつかの実施形態では、ビーズは、（３）第１の実質的に透明なポリマー層と整列されている第２の実質的に透明なポリマー層であって、第２の実質的に透明なポリマー層が、第１の実質的に透明なポリマー層の中央部分と整列されている中央部分を有し、第２の実質的に透明なポリマー層が、第１の実質的に透明なポリマー層の第２の表面に固定され、かつ、第１の実質的に透明なポリマー層の二次元形状を超えて伸びない第２の実質的に透明なポリマー層；及び（４）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコード識別子を配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコード識別子は、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、（５）第１の実質的に透明なポリマー層の第１の表面から突出している１つ以上の円柱であって、１つ以上の円柱が、第１の実質的に透明なポリマー層の中央部分内ではない１つ以上の円柱；及び／または（６）第１の実質的に透明なポリマー層に固定されない第１の実質的に透明なポリマー層の第２の表面または第２の実質的に透明なポリマー層の表面から突出している１つ以上の円柱であって、１つ以上の円柱が、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【００１４】
他の態様では、本明細書で提供されるのは、ａ）上記の実施形態のいずれか１項に記載のキット中の複数のビーズ；及びｂ）イメージングプロセッサーシステム及び反応検出システムを含む装置を含み、デコードシステムにおけるイメージングプロセッサーによって、（ｉ）特定のアッセイもしくはアッセイキット、（ｉｉ）特定の分析物、（ｉｉｉ）製造ロット、（ｉｖ）個人、（ｖ）位置識別子、及び／または（ｖｉ）較生信号のうちの１つ以上に対応する識別子の同定により、特定のアッセイまたはアッセイキットと相関する反応検出システムによって検出されるソフトウェア分析検出信号の使用を活性化させる、マルチプレックスアッセイシステムである。
【００１５】
本明細書に記載の種々の実施形態の特性の１つ、いくつか、または全てを組み合わせて、本発明の他の実施形態を形成してもよいことを理解されたい。本開示のこれらまたは他の態様は、当業者には明白となるであろう。本開示のこれら及び他の実施形態は、以下の詳細な説明によってさらに記載される。
【図面の簡単な説明】
【００１６】
【図１−１】図１Ａ及び１Ｂは、例示のビーズの２つの図を示す。
【図１−２】図１Ｃ及び１Ｄは、例示のビーズを用いた分析物検出のための例示のアッセイを示す。
【図２】図２Ａ及び２Ｂは、例示のビーズの２つの図を示す。
【図３】固有のアナログコードを生成するための複数の形状変化点を含む例示のアナログコード方式を示す。
【図４Ａ】各々が固有のアナログコードを有するビーズの３つの例を示す。
【図４Ｂ】いくつかの実施形態による、固有のアナログコードをもつビーズの例を示す。
【図５】図５Ａ及び５Ｂは、例示のビーズの２つの図を示す。
【図６−１】図６Ａ及び６Ｂは、例示のビーズの２つの図を示す。
【図６−２】図６Ｃは、例示のアナログコードの寸法を示す。寸法は、μｍ単位に基づく。
【図７】例示のビーズを示す。
【図８Ａ】配向インジケーターとして非対称の開始位置を含む例示のビーズを示す。
【図８Ｂ】固有のアナログコードを生成するための複数の形状変化点を含む例示のアナログコード方式を示す。
【図９】図９Ａ〜９Ｃは、随意的な特徴の描写と一緒に（図９Ｃ）、例示のビーズの２つの図を示す（図９Ａ及び図９Ｂ）。
【図１０】例示のビーズを生成する方法を示す。
【図１１Ａ】図１１Ａは、例示のビーズを生成する方法を示す。
【図１１Ｂ】図１１Ｂは、例示のビーズを生成する方法を示す。
【図１２Ａ】図１２Ａは、例示のビーズを生成する方法を示す。
【図１２Ｂ】図１２Ｂは、例示のビーズを生成する方法を示す。
【図１２Ｃ】図１２Ｃは、例示のビーズを生成する方法を示す。
【図１２Ｄ】図１２Ｄは、例示のビーズを生成する方法を示す。
【図１２Ｅ】図１２Ｄは、例示のビーズを生成する方法を示す。
【図１３Ａ】図１３Ａは、例示のビーズを生成する方法を示す。
【図１３Ｂ】図１３Ｂは、例示のビーズを生成する方法を示す。
【図１３Ｃ】図１３Ｃは、例示のビーズを生成する方法を示す。
【図１４】本明細書に記載される固有識別子でコード化されたビーズ組成物を使用する例示の方法を示す。
【発明を実施するための形態】
【００１７】
本開示は、特に、マルチプレックス生物学的及び化学アッセイに使用されるビーズ（例えば、ポリマービーズ）組成物、並びにビーズ組成物の作製及び使用方法を提供する。組成物中の各個々のビーズは、固有のアナログコード識別子、及び各ビーズの表面に付着することが可能な特定の捕捉剤（例えば、化学化合物及び／または生体分子）を有する。したがって、そのようなビーズは、捕捉剤に対応する固有のアナログコード識別子を含む各ビーズにより、ビーズに付着した任意の個々の捕捉剤の同一性を容易に確認できるため、ハイスループット及びマルチプレックス化学及び生物学アッセイを行うために有用である。アナログコード識別子をもつさらなるビーズは、特定の情報に対応するアナログコード識別子を含むさらなるビーズにより、ビーズの製造ロット数の同定、ビーズを使用するアッセイまたはアッセイキットの同定、位置の同定（例えば、これらに限定されないが、アッセイに使用されるサンプルの起源、またはアッセイを実施したラボもしくは病院）、及び／または個人の同定（例えば、これらに限定されないが、アッセイされる所与のサンプルを供給した個人）を含むが、これらに限定されない特定の情報記憶の目的のために含めることができる。組成物中のさらなるビーズは、組成物中の各ビーズと関連付けられた識別子を同定するために使用したイメージングプロセッサーを較正する目的のためにアナログコード識別子で標識することができる。
【００１８】
Ｉ．一般的な技術
本開示の実施は、特に明記されない限り、ポリマー技術、フォトリソグラフィー、マイクロ流体力学、有機化学、生化学、オリゴヌクレオチド合成及び改変、バイオコンジュゲートケミストリー、核酸ハイブリダイゼーション、分子生物学、微生物学、遺伝学、組換えＤＮＡ、及び当該技術分野の範囲内において関連分野における従来技術を使用する。これらの技術は、本明細書で引用した参照文献に記載され、文献で完全に説明されている。
【００１９】
分子生物学及び組換えＤＮＡ技術については、例えば、（Ｍａｎｉａｔｉｓ，Ｔ．ｅｔ  ａｌ．（１９８２），Ｍｏｌｅｃｕｌａｒ  Ｃｌｏｎｉｎｇ：Ａ  Ｌａｂｏｒａｔｏｒｙ  Ｍａｎｕａｌ，Ｃｏｌｄ  Ｓｐｒｉｎｇ  Ｈａｒｂｏｒ；Ａｕｓｕｂｅｌ，Ｆ．Ｍ．（１９８７），Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂ．Ａｓｓｏｃｉａｔｅｓ  ａｎｄ  Ｗｉｌｅｙ−Ｉｎｔｅｒｓｃｉｅｎｃｅ；Ａｕｓｕｂｅｌ，Ｆ．Ｍ．（１９８９），Ｓｈｏｒｔ  Ｐｒｏｔｏｃｏｌｓ  ｉｎ  Ｍｏｌｅｃｕｌａｒ  Ｂｉｏｌｏｇｙ：Ａ  Ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂ．Ａｓｓｏｃｉａｔｅｓ  ａｎｄ  Ｗｉｌｅｙ−Ｉｎｔｅｒｓｃｉｅｎｃｅ；Ｓａｍｂｒｏｏｋ，Ｊ．ｅｔ  ａｌ．（１９８９），Ｍｏｌｅｃｕｌａｒ  Ｃｌｏｎｉｎｇ：Ａ  Ｌａｂｏｒａｔｏｒｙ  Ｍａｎｕａｌ，Ｃｏｌｄ  Ｓｐｒｉｎｇ  Ｈａｒｂｏｒ；Ｉｎｎｉｓ，Ｍ．Ａ．（１９９０），ＰＣＲ  Ｐｒｏｔｏｃｏｌｓ：Ａ  Ｇｕｉｄｅ  ｔｏ  Ｍｅｔｈｏｄｓ  ａｎｄ  Ａｐｐｌｉｃａｔｉｏｎｓ，Ａｃａｄｅｍｉｃ  Ｐｒｅｓｓ；Ａｕｓｕｂｅｌ，Ｆ．Ｍ．（１９９２），Ｓｈｏｒｔ  Ｐｒｏｔｏｃｏｌｓ  ｉｎ  Ｍｏｌｅｃｕｌａｒ  Ｂｉｏｌｏｇｙ：Ａ  Ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂ．Ａｓｓｏｃｉａｔｅｓ；Ａｕｓｕｂｅｌ，Ｆ．Ｍ．（１９９５），Ｓｈｏｒｔ  Ｐｒｏｔｏｃｏｌｓ  ｉｎ  Ｍｏｌｅｃｕｌａｒ  Ｂｉｏｌｏｇｙ：Ａ  Ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，Ｇｒｅｅｎｅ  Ｐｕｂ．Ａｓｓｏｃｉａｔｅｓ；Ｉｎｎｉｓ，Ｍ．Ａ．ｅｔ  ａｌ．（１９９５），ＰＣＲ  Ｓｔｒａｔｅｇｉｅｓ，Ａｃａｄｅｍｉｃ  Ｐｒｅｓｓ；Ａｕｓｕｂｅｌ，Ｆ．Ｍ．（１９９９），Ｓｈｏｒｔ  Ｐｒｏｔｏｃｏｌｓ  ｉｎ  Ｍｏｌｅｃｕｌａｒ  Ｂｉｏｌｏｇｙ：Ａ  Ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，Ｗｉｌｅｙ，及び年次更新を参照されたい。
【００２０】
ＤＮＡ合成技術及び核酸化学については、例えば、Ｇａｉｔ，Ｍ．Ｊ．（１９９０），Ｏｌｉｇｏｎｕｃｌｅｏｔｉｄｅ  Ｓｙｎｔｈｅｓｉｓ：Ａ  Ｐｒａｃｔｉｃａｌ  Ａｐｐｒｏａｃｈ，ＩＲＬ  Ｐｒｅｓｓ；Ｅｃｋｓｔｅｉｎ，Ｆ．（１９９１），Ｏｌｉｇｏｎｕｃｌｅｏｔｉｄｅｓ  ａｎｄ  Ａｎａｌｏｇｕｅｓ：Ａ  Ｐｒａｃｔｉｃａｌ  Ａｐｐｒｏａｃｈ，ＩＲＬ  Ｐｒｅｓｓ；Ａｄａｍｓ，Ｒ．Ｌ．ｅｔ  ａｌ．（１９９２），Ｔｈｅ  Ｂｉｏｃｈｅｍｉｓｔｒｙ  ｏｆ  ｔｈｅ  Ｎｕｃｌｅｉｃ  Ａｃｉｄｓ，Ｃｈａｐｍａｎ  ＆  Ｈａｌｌ；Ｓｈａｂａｒｏｖａ，Ｚ．ｅｔ  ａｌ．（１９９４），Ａｄｖａｎｃｅｄ  Ｏｒｇａｎｉｃ  Ｃｈｅｍｉｓｔｒｙ  ｏｆ  Ｎｕｃｌｅｉｃ  Ａｃｉｄｓ，Ｗｅｉｎｈｅｉｍ；Ｂｌａｃｋｂｕｒｎ，Ｇ．Ｍ．ｅｔ  ａｌ．（１９９６），Ｎｕｃｌｅｉｃ  Ａｃｉｄｓ  ｉｎ  Ｃｈｅｍｉｓｔｒｙ  ａｎｄ  Ｂｉｏｌｏｇｙ，Ｏｘｆｏｒｄ  Ｕｎｉｖｅｒｓｉｔｙ  Ｐｒｅｓｓ；Ｈｅｒｍａｎｓｏｎ，Ｇ．Ｔ．（１９９６），Ｂｉｏｃｏｎｊｕｇａｔｅ  Ｔｅｃｈｎｉｑｕｅｓ，Ａｃａｄｅｍｉｃ  Ｐｒｅｓｓ）を参照されたい。
【００２１】
微細加工については、例えば、（Ｃａｍｐｂｅｌｌ，Ｓ．Ａ．（１９９６），Ｔｈｅ  Ｓｃｉｅｎｃｅ  ａｎｄ  Ｅｎｇｉｎｅｅｒｉｎｇ  ｏｆ  Ｍｉｃｒｏｅｌｅｃｔｒｏｎｉｃ  Ｆａｂｒｉｃａｔｉｏｎ，Ｏｘｆｏｒｄ  Ｕｎｉｖｅｒｓｉｔｙ  Ｐｒｅｓｓ；Ｚａｕｔ，Ｐ．Ｖ．（１９９６），Ｍｉｃｒｏｍｉｃｒｏａｒｒａｙ  Ｆａｂｒｉｃａｔｉｏｎ：ａ  Ｐｒａｃｔｉｃａｌ  Ｇｕｉｄｅ  ｔｏ  Ｓｅｍｉｃｏｎｄｕｃｔｏｒ  Ｐｒｏｃｅｓｓｉｎｇ，Ｓｅｍｉｃｏｎｄｕｃｔｏｒ  Ｓｅｒｖｉｃｅｓ；Ｍａｄｏｕ，Ｍ．Ｊ．（１９９７），Ｆｕｎｄａｍｅｎｔａｌｓ  ｏｆ  Ｍｉｃｒｏｆａｂｒｉｃａｔｉｏｎ，ＣＲＣ  Ｐｒｅｓｓ；Ｒａｉ−Ｃｈｏｕｄｈｕｒｙ，Ｐ．（１９９７）．Ｈａｎｄｂｏｏｋ  ｏｆ  Ｍｉｃｒｏｌｉｔｈｏｇｒａｐｈｙ，Ｍｉｃｒｏｍａｃｈｉｎｉｎｇ，＆  Ｍｉｃｒｏｆａｂｒｉｃａｔｉｏｎ：Ｍｉｃｒｏｌｉｔｈｏｇｒａｐｈｙ）を参照されたい。
【００２２】
ＩＩ．定義
本明細書で使用する場合、単数形「ａ」、「ａｎ」及び「ｔｈｅ」は、特に断りのない限り、複数の参照を含む。
【００２３】
本明細書で使用する場合、「生体分子」は、大きい巨大分子、例えば、タンパク質、多糖、脂質、及び核酸、並びに小さい分子、例えば、これらに限定されないが、一次代謝産物、二次代謝産物、及び天然産物を含むがこれらに限定されない、生物によって産生される任意の分子を意味する。
【００２４】
本明細書で使用する場合、「サンプル」とは、検出すべき材料、例えば、分子を含む組成物を指す。一実施形態では、サンプルは、「生物試料」（すなわち、生きた供給源（例えば、ヒト、動物、植物、細菌、真菌、原生生物、ウイルス）から得られる任意の材料）である。生物試料は、固体材料（例えば、組織、細胞ペレット、及び生検）、及び生物流体（例えば、尿、血液、唾液、リンパ、涙、汗、前立腺液、精液（ｓｅｍｉｎａｌ  ｆｌｕｉｄ）、精液（ｓｅｍｅｎ）、胆汁、粘液、羊水及び洗口液（口腔細胞を含む））を含む、任意の形態であり得る。固体材料は、典型的には、流体と混合される。サンプルは、水、空気、土、または任意の他の環境供給源などの環境試料のことも指し得る。
【００２５】
「分析物」とは、本明細書で使用する場合、広義の用語であり、限定されないが、分析することが可能な生物試料または細胞または細胞の集団などのサンプル中の物質または化学成分を指すように、物質、決定されるべき物質の存在、不在、または量としてその通常の意味で使用される。分析物は、天然に存在する結合メンバーが存在する物質、または結合メンバーを調製することが可能な物質であり得る。分析物の非限定例としては、例えば、抗体、抗原、ポリヌクレオチド（例えば、ＲＮＡ、ＤＮＡ、またはｃＤＮＡ）、ポリペプチド、タンパク質、ホルモン、サイトカイン、増殖因子、ステロイド、ビタミン、毒素、薬物、及び上記の物質の代謝産物、並びに細菌、ウイルス、真菌、藻類、真菌胞子などが挙げられる。
【００２６】
本明細書で使用する場合、「生物試料」とは、生きた供給源に由来することが可能な材料を指す。そのようなサンプルは、生体分子及びバイオポリマーを含む。
【００２７】
本明細書で使用する場合、「化学化合物」という用語は、固有に定義された化学構造をもつ２つ以上の異なる化学要素からなる任意の化学物質を意味する。
【００２８】
本明細書に記載される本開示の態様及び実施形態は、態様及び実施形態「を含む」、「からなる」、及び「から本質的になる」を含むことを理解されたい。
【００２９】
本明細書全体を通じて記載されているあらゆる最大数値限定には、それよりも小さいあらゆる数値限定が、そのような小さい数値限定が本明細書に明確に記載されているかのように包含されることを理解すべきである。本明細書全体を通じて記載されるあらゆる最小数値限定は、それより大きいあらゆる数値限定を、そのような大きい数値限定が本明細書に明確に記載されているかのように含む。本明細書全体を通じて記載されるあらゆる数値範囲は、そのようなより広い数値範囲内に入るそれよりも狭いあらゆる数値範囲を、そのようなより狭い数値範囲が全て本明細書に明確に記載されているかのように含む。
【００３０】
「ポリマー」という用語は、本明細書で使用する場合、繰り返しモノマーを含む任意の巨大分子構造のことを指す。ポリマーは、天然（例えば、自然界に見られる）または合成（例えば、非天然モノマー（複数可）からなる、及び／または自然界に見られない構成または組み合わせで重合されたポリマーなどの人工物）であり得る。
【００３１】
「実質的に透明な」及び「実質的に非透明な」という用語は、本明細書で使用する場合、ポリマー層などの基質を通過する（例えば、赤外線、可視、紫外線などの特定の波長の）光の能力のことを指す。実質的に透明なポリマーは、透明なもの、半透明なもの、及び／または光を透過するもののことを指す一方、実質的に非透明なポリマーは、光を反射及び／または吸収するもののことを指す。材料が実質的に透明であるかまたは実質的に非透明であるかどうかは、材料に照射する光の波長及び／または強度、並びに材料中を進む光（またはその減少もしくは不在）を検出する手段に依存し得ることを理解すべきである。いくつかの実施形態では、実質的に非透明な材料は、例えば、光学顕微鏡法（例えば、明視野、暗視野、位相コントラスト、差干渉コントラスト（ＤＩＣ）、ノマルスキー干渉コントラスト（ＮＩＣ）、ノマルスキー、ホフマン調節コントラスト（ＨＭＣ）、または蛍光学顕微鏡法）によって撮像された際に、周囲の材料または画像視野と比較して、透過光の知覚の減少を引き起こす。いくつかの実施形態では、実質的に透明な材料は、例えば、光学顕微鏡法（例えば、明視野、暗視野、位相コントラスト、差干渉コントラスト（ＤＩＣ）、ノマルスキー干渉コントラスト（ＮＩＣ）、ノマルスキー、ホフマン調節コントラスト（ＨＭＣ）、または蛍光学顕微鏡法）によって撮像された際に、材料に知覚量の透過光を通過させることができる。
【００３２】
「アナログコード」という用語は、本明細書で使用する場合、例えば、デジタルコードとは対照的に、コード化情報が非量子化及び／または非離散的方法で表される任意のコードのことを指す。例えば、デジタルコードは、限定セットの値（例えば、０／１タイプの値）の離散位置でサンプリングされる一方、アナログコードは、より大きな範囲の位置で（または連続全体として）サンプリングされ得、及び／またはより広いセットの値（例えば、形状）を含み得る。いくつかの実施形態では、アナログコードは、１つ以上のアナログ形状認識技術を用いて、読み取りまたはデコードされ得る。
【００３３】
「捕捉剤」という用語は、本明細書で使用する場合、広義の用語であり、対象分析物を特異的に認識することが可能な任意の化合物または物質を指すようにその通常の意味で使用される。いくつかの実施形態では、特異的認識は、特異的結合のことを指す。捕捉剤の非限定例としては、例えば、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片が挙げられる。
【００３４】
「抗体」という用語は、最も広い意味で使用され、モノクローナル抗体（免疫グロブリンＦｃ領域を有する完全長抗体を含む）、ポリクローナル抗体、多重特異性抗体（例えば、二重特異性抗体、ダイアボディ、及び一本鎖分子）、並びに抗体断片（例えば、Ｆａｂ、Ｆ（ａｂ’）２、及びＦｖ）を含む。
【００３５】
ＩＩＩ．ビーズ組成物
本明細書で提供されるのは、分析物検出、例えば、マルチプレックス分析物検出に適当なコード化ビーズである。本明細書で使用する場合、ビーズ（複数可）及びマイクロキャリア（複数可）という用語は、交換可能に使用される。複数構成のコード化ビーズが本明細書で考えられ、記載され、例示される。
【００３６】
いくつかの態様では、本明細書で提供されるのは、第１の表面及び第２の表面を有する実質的に透明なポリマー層であって、第１及び第２の表面は、互いに平行である実質的に透明なポリマー層；実質的に非透明なポリマー層を含み、実質的に非透明なポリマー層は、実質的に透明なポリマー層の第１の表面に固定され、実質的に透明なポリマー層の中央部分を囲み、実質的に非透明なポリマー層は、アナログコードを表す二次元形状を含む、コード化ビーズである。いくつかの実施形態では、ビーズは、分析物を捕捉するための捕捉剤をさらに含み、捕捉剤は、実質的に透明なポリマー層の少なくとも中央部分において、実質的に透明なポリマー層の第１の表面及び第２の表面のうちの少なくとも１つに連結される。したがって、ビーズは、少なくとも２つの層を含有し：そのうちの一方は、実質的に透明であり、そのうちの他方は、実質的に非透明である、アナログコードを表す二次元形状である。好都合なことに、これらのビーズは、例えば、全体寸法、物理特性、及び／または溶液中の挙動を含む、態様の均一性に対して均一な全体形態（例えば、実質的に透明なポリマー層の周囲長）をまだ保持しながら、種々の二次元形状を採用し得る。このタイプのビーズ及びその態様の例を図１Ａ〜５Ｂに示す。
【００３７】
いくつかの実施形態では、ビーズは、実質的に透明なポリマー層の中央部分を囲む実質的に透明なポリマー層の表面に固定された磁性の実質的に非透明な層をさらに含む。いくつかの実施形態では、磁性の実質的に非透明な層は、実質的に非透明なポリマー層と実質的に透明なポリマー層の中央部分の間である。
【００３８】
いくつかの実施形態では、ビーズは、第１の実質的に透明なポリマー層と整列され、これに固定された第２の実質的に透明なポリマー層をさらに含む。いくつかの実施形態では、第１及び第２の実質的に透明なポリマー層の各々は、中央部分を有し、第１及び第２の実質的に透明なポリマー層の両方の中央部分は、整列されている。いくつかの実施形態では、ビーズは、第１及び第２の実質的に透明なポリマー層の両方の中央部分を囲む磁性の実質的に非透明な層をさらに含む。いくつかの実施形態では、磁性の実質的に非透明な層は、第１及び第２の実質的に透明なポリマー層の間に固定される。いくつかの実施形態では、磁性の実質的に非透明な層は、実質的に非透明なポリマー層と第１及び第２の実質的に透明なポリマー層の両方の中央部分の間である。
【００３９】
いくつかの実施形態では、磁性の実質的に非透明な層は、約５０ｎｍ〜約１０μｍの厚さである。いくつかの実施形態では、磁性の実質的に非透明な層の厚さは、以下の厚さ（ｎｍ）：１００００、９５００、９０００、８５００、８０００、７５００、７０００、６５００、６０００、５５００、５０００、４５００、４０００、３５００、３０００、２５００、２０００、１５００、１０００、９５０、９００、８５０、８００、７５０、７００、６５０、６００、５５０、５００、４５０、４００、３５０、３００、２５０、２００、１５０、または１００の約いずれか未満である。いくつかの実施形態では、磁性の実質的に非透明な層の厚さは、以下の厚さ（ｎｍ）：５０、１００、１５０、２００、２５０、３００、３５０、４００、４５０、５００、５５０、６００、６５０、７００、７５０、８００、８５０、９００、９５０、１０００、１５００、２０００、２５００、３０００、３５００、４０００、４５００、５０００、５５００、６０００、６５００、７０００、７５００、８０００、８５００、９０００、または９５００の約いずれか超である。すなわち、磁性の実質的に非透明な層の厚さは、１００００、９５００、９０００、８５００、８０００、７５００、７０００、６５００、６０００、５５００、５０００、４５００、４０００、３５００、３０００、２５００、２０００、１５００、１０００、９５０、９００、８５０、８００、７５０、７００、６５０、６００、５５０、５００、４５０、４００、３５０、３００、２５０、２００、１５０、または１００の上限値、及び５０、１００、１５０、２００、２５０、３００、３５０、４００、４５０、５００、５５０、６００、６５０、７００、７５０、８００、８５０、９００、９５０、１０００、１５００、２０００、２５００、３０００、３５００、４０００、４５００、５０００、５５００、６０００、６５００、７０００、７５００、８０００、８５００、９０００、または９５００の独立して選択される下限値を有する厚さ（ｎｍ）の範囲のいずれかであってもよく、下限値は、上限値未満である。
【００４０】
いくつかの実施形態では、磁性の実質的に非透明な層は、約０．１μｍの厚さである。いくつかの実施形態では、磁性の実質的に非透明な層は、約５０ｎｍ、約１００ｎｍ、約１５０ｎｍ、約２００ｎｍ、約２５０ｎｍ、約３００ｎｍ、約３５０ｎｍ、約４００ｎｍ、約４５０ｎｍ、約５００ｎｍ、約５５０ｎｍ、約６００ｎｍ、約６５０ｎｍ、約７００ｎｍ、約７５０ｎｍ、約８００ｎｍ、約８５０ｎｍ、約９００ｎｍ、約９５０ｎｍ、約１μｍ、約１．５μｍ、約２μｍ、約２．５μｍ、約３μｍ、約３．５μｍ、約４μｍ、約４．５μｍ、約５μｍ、約５．５μｍ、約６μｍ、約６．５μｍ、約７μｍ、約７．５μｍ、約８μｍ、約８．５μｍ、約９μｍ、約９．５μｍ、または約１０μｍの厚さである。いくつかの実施形態では、磁性の実質的に非透明な層の厚さは、約０．０１μｍ、約０．０２μｍ、約０．０３μｍ、約０．０４μｍ、約０．０５μｍ、約０．０６μｍ、約０．０７μｍ、約０．０８μｍ、約０．０９μｍ、約０．１μｍ、約０．１１μｍ、約０．１２μｍ、約０．１３μｍ、約０．１４μｍ、約０．１５μｍ、約０．１６μｍ、約０．１７μｍ、約０．１８μｍ、約０．１９μｍ、約０．２０μｍ、約０．２５μｍ、約０．３０μｍ、約０．３５μｍ、約０．４０μｍ、約０．４５μｍ、または約０．５０μｍである。
【００４１】
いくつかの実施形態では、ビーズは、実質的に非透明なポリマー層のアナログコードを配向するための配向インジケーターをさらに含む。イメージング（例えば、顕微鏡または本明細書に記載される他のイメージングの形態）及び／または画像認識ソフトウェアによって可視及び／または検出可能であるビーズの任意の特徴は、配向インジケーターとして機能を果たし得る。配向インジケーターは、例えば、画像認識アルゴリズムが、アナログコードの画像を均一配向（すなわち、実質的に非透明なポリマー層の形状）に配向する基準点として機能を果たし得る。好都合なことに、これは、アルゴリズムが、同じ配向におけるアナログコードのライブラリーに対する特定のアナログコードの画像と、全ての可能な配向における全てのアナログコードを含むライブラリーに対さない特定のアナログコードの画像を比較することしか必要としない場合に、画像認識を簡素化する。いくつかの実施形態では、配向インジケーターは、実質的に非透明なポリマー層から独立してもよい。例えば、それは、磁性層及び／または実質的に透明なポリマー層の一部として形成され得る。他の実施形態では、配向インジケーターは、実質的に非透明なポリマー層の一部として形成され得る。いくつかの実施形態では、配向インジケーターは、磁性の実質的に非透明な層の非対称性を含む（例えば、図２Ａで、間隙２１０で示されるように）。
【００４２】
いくつかの実施形態では、ビーズは、ビーズの表面（例えば、ビーズの上面及び／または底面）から突出している１つ以上の円柱をさらに含む。本明細書で使用する場合、「円柱」は、ビーズ表面から突出する任意の幾何学的形状のことを指し、任意の寸法の規則も任意の円柱形の文字も必ずしも意味しない。例えば、円柱の外面は、ビーズ表面と平行であっても平行でなくてもよい。ビーズから突出してもよい円柱形状の例としては、直角プリズム、三角形、ピラミッド形、立方体、円柱、球形または半球形、円錐形などが挙げられるが、これらに限定されない。いくつかの実施形態では、１つ以上の円柱が、第１及び／または第２の実質的に透明なポリマー層の中央部分内ではない。いくつかの実施形態では、１つ以上の円柱は、第１及び第２の実質的に透明なポリマー層のうちの１つ以上の外向き面（例えば、別の層に固定されない表面）から突出してもよい。本明細書のビーズ厚さの任意の記述は、述べた寸法における１つ以上の円柱を含まないことに留意すべきである。すなわち、本明細書に記載されるビーズ厚さは、それから突出している任意の随意の円柱から独立している。
【００４３】
いくつかの実施形態では、１つ以上の円柱は、約１μｍ〜約１０μｍの高さの間である。いくつかの実施形態では、１つ以上の円柱は、約１μｍの高さ、約１．５μｍの高さ、約２μｍの高さ、約２．５μｍの高さ、約３μｍの高さ、約３．５μｍの高さ、約４μｍの高さ、約４．５μｍの高さ、約５μｍの高さ、約５．５μｍの高さ、約６μｍの高さ、約６．５μｍの高さ、約７μｍの高さ、約７．５μｍの高さ、約８μｍの高さ、約８．５μｍの高さ、約９μｍの高さ、約９．５μｍの高さ、または約１０μｍの高さである。いくつかの実施形態では、１つ以上の円柱は、以下の高さ（μｍ）：１０、９．５、９、８．５、８、７．５、７、６．５、６、５．５、５、４．５、４、３．５、３、２．５、２、または１．５の約いずれか未満である。いくつかの実施形態では、１つ以上の円柱は、以下の高さ（μｍ）：１、１．５、２、２．５、３、３．５、４、４．５、５、５．５、６、６．５、７、７．５、８、８．５、９、または９．５の約いずれかよりも大きい。すなわち、１つ以上の円柱は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する高さの範囲のいずれかであり得、下限値は、上限値未満である。
【００４４】
いくつかの実施形態では、１つ以上の円柱は、円柱形状であり得る。いくつかの実施形態では、１つ以上の円柱は、約１μｍ〜約１０μｍの直径を有する。いくつかの実施形態では、１つ以上の円柱は、約１μｍ、約１．５μｍ、約２μｍ、約２．５μｍ、約３μｍ、約３．５μｍ、約４μｍ、約４．５μｍ、約５μｍ、約５．５μｍ、約６μｍ、約６．５μｍ、約７μｍ、約７．５μｍ、約８μｍ、約８．５μｍ、約９μｍ、約９．５μｍ、または約１０μｍの直径を有する。いくつかの実施形態では、１つ以上の円柱は、以下の長さ（μｍ）：１０、９．５、９、８．５、８、７．５、７、６．５、６、５．５、５、４．５、４、３．５、３、２．５、２、または１．５の約いずれか未満の直径を有する。いくつかの実施形態では、１つ以上の円柱は、以下の長さ（μｍ）：１、１．５、２、２．５、３、３．５、４、４．５、５、５．５、６、６．５、７、７．５、８、８．５、９、または９．５の約いずれかよりも大きい直径を有する。すなわち、１つ以上の円柱は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する直径の範囲のいずれかを有し得、下限値は、上限値未満である。他の実施形態では、１つ以上の円柱は、上述の任意の直径とほぼ同じ幅、または上述の直径の任意の範囲とほぼ同じ幅の範囲を有し得るが、１つ以上の円柱は、本明細書に記載されるまたは当該技術分野で公知の楕円円柱、放物面円柱、双曲線円柱、または任意の他の円柱または多面体形状の形状を採用し得る。
【００４５】
他の態様では、本明細書で提供されるのは、第１の表面及び第２の表面を有する実質的に非透明なポリマー層を含み、第１及び第２の表面は、互いに平行であり、実質的に非透明なポリマー層の輪郭は、アナログコードを表す二次元形状を含む、コード化ビーズである。いくつかの実施形態では、ビーズは、分析物を捕捉するための捕捉剤をさらに含み、捕捉剤は、実質的に非透明なポリマー層の少なくとも中央部分において、実質的に非透明なポリマー層の第１の表面及び第２の表面のうちの少なくとも１つに連結される。したがって、ビーズは、ビーズ自体の形状（例えば、輪郭）：アナログコードを表す二次元形状によってコードされる。好都合なことに、これらのビーズは、効率的かつ高精度で製造され得ることで、高精度なデコーディング及びコスト効率の高い生産が可能になる。このタイプのビーズ及びその態様の例を図６Ａ〜９Ｃに示す。
【００４６】
いくつかの実施形態では、ビーズは、実質的に非透明なポリマー層の表面から突出している１つ以上の円柱をさらに含む。上記でより詳細に記載されるように、「円柱」とは、ビーズ表面から突出する任意の幾何学的形状のことを指し、円柱状寸法（複数可）の任意の規則を必ずしも意味しない。上述の例示の円柱形状のいずれを使用してもよい。
【００４７】
いくつかの実施形態では、１つ以上の円柱は、約１μｍ〜約１０μｍの高さである。いくつかの実施形態では、１つ以上の円柱は、約１μｍの高さ、約１．５μｍの高さ、約２μｍの高さ、約２．５μｍの高さ、約３μｍの高さ、約３．５μｍの高さ、約４μｍの高さ、約４．５μｍの高さ、約５μｍの高さ、約５．５μｍの高さ、約６μｍの高さ、約６．５μｍの高さ、約７μｍの高さ、約７．５μｍの高さ、約８μｍの高さ、約８．５μｍの高さ、約９μｍの高さ、約９．５μｍの高さ、または約１０μｍの高さである。いくつかの実施形態では、１つ以上の円柱は、以下の高さ（μｍ）：１０、９．５、９、８．５、８、７．５、７、６．５、６、５．５、５、４．５、４、３．５、３、２．５、２、または１．５の約いずれか未満である。いくつかの実施形態では、１つ以上の円柱は、以下の高さ（μｍ）：１、１．５、２、２．５、３、３．５、４、４．５、５、５．５、６、６．５、７、７．５、８、８．５、９、または９．５の約いずれかよりも大きい。すなわち、１つ以上の円柱は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する高さの範囲のいずれかであり得、下限値は、上限値未満である。
【００４８】
いくつかの実施形態では、１つ以上の円柱は、円柱形状であり得る。いくつかの実施形態では、１つ以上の円柱は、約１μｍ〜約１０μｍの直径を有する。いくつかの実施形態では、１つ以上の円柱は、約１μｍ、約１．５μｍ、約２μｍ、約２．５μｍ、約３μｍ、約３．５μｍ、約４μｍ、約４．５μｍ、約５μｍ、約５．５μｍ、約６μｍ、約６．５μｍ、約７μｍ、約７．５μｍ、約８μｍ、約８．５μｍ、約９μｍ、約９．５μｍ、または約１０μｍの直径を有する。いくつかの実施形態では、１つ以上の円柱は、以下の長さ（μｍ）：１０、９．５、９、８．５、８、７．５、７、６．５、６、５．５、５、４．５、４、３．５、３、２．５、２、または１．５の約いずれか未満の直径を有する。いくつかの実施形態では、１つ以上の円柱は、以下の長さ（μｍ）：１、１．５、２、２．５、３、３．５、４、４．５、５、５．５、６、６．５、７、７．５、８、８．５、９、または９．５の約いずれかよりも大きい直径を有する。すなわち、１つ以上の円柱は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する直径の範囲のいずれかを有し得、下限値は、上限値未満である。他の実施形態では、１つ以上の円柱は、上述の任意の直径とほぼ同じ幅、または上述の直径の任意の範囲とほぼ同じ幅の範囲を有し得るが、１つ以上の円柱は、本明細書に記載されるまたは当該技術分野で公知の楕円円柱、放物面円柱、双曲線円柱、または任意の他の円柱または多面体形状の形状を採用し得る。
【００４９】
いくつかの実施形態では、ビーズは、実質的に非透明なポリマー層の表面に固定された磁性材料を含む磁性層をさらに含む。いくつかの実施形態では、磁性層は、実質的に非透明なポリマー層の二次元形状を越えて延びない。すなわち、実質的に非透明なポリマー層の輪郭が撮像された場合、得られた画像は、磁性層の存在または不在によって変化しない。いくつかの実施形態では、磁性層は、上述の１つ以上の円柱を含み得る。すなわち、上述の１つ以上の円柱は、本明細書に記載される磁性材料で作製され得る。
【００５０】
いくつかの実施形態では、ビーズは、実質的に非透明なポリマー層のアナログコードを配向するための配向インジケーターをさらに含む。イメージング（例えば、顕微鏡の形態または本明細書に記載される他のイメージング）によって、及び／または画像認識ソフトウェアによって可視及び／または検出可能であるビーズの任意の特徴は、配向インジケーターとして機能を果たし得る。配向インジケーターは、例えば、画像認識アルゴリズムが、アナログコードの画像を均一配向（すなわち、実質的に非透明なポリマー層の形状）に配向する基準点として機能を果たし得る。好都合なことに、これは、アルゴリズムが、同じ配向におけるアナログコードのライブラリーに対する特定のアナログコードの画像と、全ての可能な配向における全てのアナログコードを含むライブラリーに対さない特定のアナログコードの画像を比較することしか必要としない場合に、画像認識を簡素化する。いくつかの実施形態では、配向インジケーターは、実質的に非透明なポリマー層の輪郭の非対称性を含む。例えば、配向インジケーターは、ビーズの輪郭の非対称性などの可視特徴を含み得る（例えば、図８Ａ及び９Ａの開始位置８０４及び９０４で示されるように）。
【００５１】
本明細書に記載されるビーズのいずれかは、以下に記載される特徴、要素、または態様のうちの１つ以上を含み得る。さらに、以下に記載される特徴、要素、または態様のうちの１つ以上は、例えば、上述のように、ビーズの実施形態に応じて異なる特性を採用し得る。
【００５２】
いくつかの実施形態では、本開示の実質的に透明なポリマーは、エポキシ系ポリマーを含む。本明細書に記載される組成物の製造のための適切なエポキシ系ポリマーとしては、Ｈｅｘｉｏｎ  Ｓｐｅｃｉａｌｔｙ  Ｃｈｅｍｉｃａｌｓ，Ｉｎｃ．（Ｃｏｌｕｍｂｕｓ、ＯＨ）によって提供されるエポキシ樹脂のＥＰＯＮ（商標）ファミリー、及びＤｏｗ  Ｃｈｅｍｉｃａｌ  Ｃｏｍｐａｎｙ（Ｍｉｄｌａｎｄ、ＭＩ）によって提供される任意の数のエポキシ樹脂が挙げられるが、これらに限定されない。適当なポリマーの多くの例は、当該技術分野において周知であり、ＳＵ−８、ＥＰＯＮ  １００２Ｆ、ＥＰＯＮ  １６５／１５４、及びポリ（メタクリル酸メチル）／ポリ（アクリル酸）ブロック共重合体（ＰＭＭＡ−ｃｏ−ＰＡＡ）を含むがこれらに限定されない。さらなるポリマーについては、例えば、Ｗａｒａｄ，ＩＣ  Ｐａｃｋａｇｉｎｇ：Ｐａｃｋａｇｅ  Ｃｏｎｓｔｒｕｃｔｉｏｎ  Ａｎａｌｙｓｉｓ  ｉｎ  Ｕｌｔｒａ  Ｓｍａｌｌ  ＩＣ  Ｐａｃｋａｇｉｎｇ，ＬＡＰ  ＬＡＭＢＥＲＴ  Ａｃａｄｅｍｉｃ  Ｐｕｂｌｉｓｈｉｎｇ（２０１０）；Ｔｈｅ  Ｅｌｅｃｔｒｏｎｉｃ  Ｐａｃｋａｇｉｎｇ  Ｈａｎｄｂｏｏｋ，ＣＲＣ  Ｐｒｅｓｓ（Ｂｌａｃｋｗｅｌｌ，ｅｄ．），（２０００）；ａｎｄ  Ｐｅｃｈｔ  ｅｔ  ａｌ．，Ｅｌｅｃｔｒｏｎｉｃ  Ｐａｃｋａｇｉｎｇ  Ｍａｔｅｒｉａｌｓ  ａｎｄ  Ｔｈｅｉｒ  Ｐｒｏｐｅｒｔｉｅｓ，ＣＣＲ  Ｐｒｅｓｓ，１ｓｔ  ｅｄ．，（１９９８）を参照されたい。これらのタイプの材料は、水性環境で膨張しない利点を有し、均一なビーズサイズ及び形状がビーズの集団内で確実に維持される。いくつかの実施形態では、実質的に透明なポリマーは、フォトレジストポリマーである。いくつかの実施形態では、エポキシ系ポリマーは、エポキシ系でネガ型の近紫外フォトレジストである。いくつかの実施形態では、エポキシ系ポリマーは、ＳＵ−８である。
【００５３】
いくつかの実施形態では、実質的に非透明なポリマーは、１つ以上の非透明または着色染料（複数可）と混合された本明細書に記載されるポリマー（例えば、ＳＵ−８）である。他の実施形態では、実質的に非透明なポリマーは、ブラックマトリックスレジストである。当該技術分野で公知の任意のブラックマトリックスレジストが使用され得る；例えば、例示のブラックマトリックスレジスト及びそれに関連する方法について、米国特許第８，６１０，８４８号を参照されたい。いくつかの実施形態では、ブラックマトリックスレジストは、例えば、ブラックマトリックスの一部としてＬＣＤのカラーフィルター上のパターンとして、黒色顔料で着色されたフォトレジストであり得る。ブラックマトリックスレジストは、Ｔｏｐｐａｎ  Ｐｒｉｎｔｉｎｇ  Ｃｏ．（Ｔｏｋｙｏ）、Ｔｏｋｙｏ  ＯＨＫＡ  Ｋｏｇｙｏ（Ｋａｗａｓａｋｉ）、及びＤａｘｉｎ  Ｍａｔｅｒｉａｌｓ  Ｃｏｒｐ．（Ｔａｉｃｈｕｎｇ  Ｃｉｔｙ、Ｔａｉｗａｎ）で販売されるものを含み得るが、これらに限定されない。
【００５４】
いくつかの実施形態では、１つ以上のポリマー層の中央部分を参照してもよい。本開示の中央部分は、任意の形状をとってもよい。いくつかの実施形態では、中央部分の形状は、対応するポリマー層の形状（例えば、輪郭）を反映またはそれに対応してもよい。他の実施形態では、中央部分の形状は、対応するポリマー層の形状（例えば、輪郭）から独立してもよい。例えば、円形のビーズ表面の中央部分は、いくつかの実施形態では円形であってもよく、他の実施形態では正方形であってもよい。正方形のビーズ表面の中央部分は、いくつかの実施形態では正方形であってもよく、他の実施形態では円形であってもよい。
【００５５】
いくつかの実施形態では、本開示のポリマー層の中央部分は、ポリマー層の表面積の約５％、約７％、約１０％、約１５％、約２０％、約２５％、約３０％、約３５％、約４０％、約４５％、約５０％、約５５％、約６０％、約６５％、約７０％、約７５％、約８０％、約８５％、または約９０％である。いくつかの実施形態では、本開示のポリマー層の中央部分は、実質的に透明なポリマー層の以下の割合（％）：９０、８５、８０、７５、７０、６５、６０、５５、５０、４５、４０、３５、３０、２５、２０、１５、１０、または７の約いずれか未満である。いくつかの実施形態では、本開示のポリマー層の中央部分は、実質的に透明なポリマー層の以下の割合（％）：５、７、１０、１５、２０、２５、３０、３５、４０、４５、５０、５５、６０、６５、７０、７５、８０、または８５の約いずれかよりも大きい。すなわち、中央部分に含まれるポリマー層表面積の割合は、９０、８５、８０、７５、７０、６５、６０、５５、５０、４５、４０、３５、３０、２５、２０、１５、１０、または７の上限値、及び５、７、１０、１５、２０、２５、３０、３５、４０、４５、５０、５５、６０、６５、７０、７５、８０、または８５の独立して選択される下限値を有するパーセンテージの範囲のいずれかであり得、下限値は、上限値未満である。いくつかの実施形態では、ポリマー層の中央部分は、ポリマー層の表面積の約２５％を含む。いくつかの実施形態では、ビーズ表面の中央部分は、全表面からビーズの輪郭部分を引いたものが含まれる。
【００５６】
上述のように、本開示のビーズは、磁性層をさらに含み得、これには、本明細書に記載される種々の形状を採用し得る。いくつかの実施形態では、磁性層は、実質的に非透明な層であり得る。いくつかの実施形態では、磁性層は、磁性材料を含み得る。本開示の磁性層は、任意の適当な磁性材料、例えば、常磁性、強磁性、またはフェリ磁気特性をもつ材料からなり得る。磁性材料の例としては、鉄、ニッケル、コバルト、及びいくつかの希土類金属（例えば、ガドリニウム、ジスプロシウム、ネオジムなど）、並びにそれらの合金が挙げられるが、これらに限定されない。いくつかの実施形態では、磁性材料は、ニッケルを含み、アルニコ及びパーマ合金などの元素ニッケル及び磁性ニッケル合金が挙げられるが、これらに限定されない。本開示のビーズ中に磁性層を含めることは、例えば、磁気分離を容易にする点で有利であり得、これは、１つ以上のビーズの洗浄、収集、あるいは操作に有用であり得る。
【００５７】
上述のように、いくつかの実施形態では、磁性層は、実質的に透明なポリマー層の表面に固定され、実質的に透明なポリマー層の中央部分を囲み得る。他の実施形態では、上述のように、磁性層は、１つ以上の円柱を含み得；すなわち、上述の１つ以上の円柱は、本明細書に記載される磁性材料で作製され得る。
【００５８】
いくつかの実施形態では、本開示のビーズは、二次元形状を構成する実質的に非透明な層でコード化され得る。例えば、上述のように、二次元形状は、ビーズの実質的に透明な層と対照的な実質的に非透明な層の形状を構成してもよく、またはビーズ自体の形状（例えば、周囲長）を構成してもよい。複数の解決可能かつ独特の品種を包含し得る任意の二次元形状を使用してもよい。いくつかの実施形態では、二次元形状は、線形、円形、楕円形、長方形、四辺形、または高次多角形の態様、要素、及び／または形状のうちの１つ以上を含む。
【００５９】
いくつかの実施形態では、実質的に非透明なポリマー層の二次元形状は、実質的に透明なポリマー層の中央部分を囲む１つ以上のリングを含む。いくつかの実施形態では、１つ以上のリングの少なくとも１つは、不連続を含む。種々の数及び構成の不連続を有する１つ以上のリング（例えば、２つのリング）を用いて形成された例示の非限定的な二次元形状を図４Ｂに示す。
【００６０】
いくつかの実施形態では、実質的に非透明なポリマー層の二次元形状は、ギア形状を含む。ギア形状とは、本明細書で使用する場合、複数の形状のうちの少なくとも２つが空間的に分離される、実質的に丸い、楕円形、または円形の本体の周囲長上に配列された複数の形状（例えば、ギア歯）のことを指す。いくつかの実施形態では、ギア形状は、複数のギア歯を含む。いくつかの実施形態では、アナログコードは、複数のうちの１つ以上のギア歯の高さ、複数のうちの１つ以上のギア歯の幅、複数におけるギア歯の数、及び複数内の１つ以上のギア歯の配置から選択される１つ以上の態様によって表される。好都合なことに、ギア形状は、大きな多様性のポテンシャル固有の二次元形状を生成するために変更し得る、ギア歯の高さ、ギア歯の幅、ギア歯の数、及びギア歯の配置を含む、多数の態様を包含する。しかしながら、本開示のギア形状は、コード化のために使用され、別のギア（例えば、トルクを伝達する機械的ギアと同様に）と物理的にかみ合う必要がないため、本開示のギア歯は、１つのギア形状内または複数のギア形状間のいずれかで同一形状またはかみ合い形状の必要性によって制約されないことを理解すべきである。したがって、本開示のギア歯と考えられ得る種々の形状は、機械的ギアよりも著しく大きい。
【００６１】
いくつかの実施形態では、複数のギア歯は、約１μｍ〜約１０μｍの幅である１つ以上のギア歯を含む。いくつかの実施形態では、複数のギア歯は、約１μｍの幅、約１．５μｍの幅、約２μｍの幅、約２．５μｍの幅、約３μｍの幅、約３．５μｍの幅、約４μｍの幅、約４．５μｍの幅、約５μｍの幅、約５．５μｍの幅、約６μｍの幅、約６．５μｍの幅、約７μｍの幅、約７．５μｍの幅、約８μｍの幅、約８．５μｍの幅、約９μｍの幅、約９．５μｍの幅、または約１０μｍの幅である１つ以上のギア歯を含む。いくつかの実施形態では、複数のギア歯は、以下の幅（μｍ）：１０、９．５、９、８．５、８、７．５、７、６．５、６、５．５、５、４．５、４、３．５、３、２．５、２、または１．５の約いずれか未満である１つ以上のギア歯を含む。いくつかの実施形態では、複数のギア歯は、以下の幅（μｍ）：１、１．５、２、２．５、３、３．５、４、４．５、５、５．５、６、６．５、７、７．５、８、８．５、９、または９．５の約いずれかよりも大きい１つ以上のギア歯を含む。すなわち、複数のギア歯は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する幅の範囲のいずれかであり得る１つ以上のギア歯を含み得、下限値は、上限値未満である。
【００６２】
いくつかの実施形態では、複数のギア歯は、約１μｍ〜約１０μｍの高さである１つ以上のギア歯を含む。いくつかの実施形態では、複数のギア歯は、約１μｍの高さ、約１．５μｍの高さ、約２μｍの高さ、約２．５μｍの高さ、約３μｍの高さ、約３．５μｍの高さ、約４μｍの高さ、約４．５μｍの高さ、約５μｍの高さ、約５．５μｍの高さ、約６μｍの高さ、約６．５μｍの高さ、約７μｍの高さ、約７．５μｍの高さ、約８μｍの高さ、約８．５μｍの高さ、約９μｍの高さ、約９．５μｍの高さ、または約１０μｍの高さである１つ以上のギア歯を含む。いくつかの実施形態では、複数のギア歯は、以下の高さ（μｍ）：１０、９．５、９、８．５、８、７．５、７、６．５、６、５．５、５、４．５、４、３．５、３、２．５、２、または１．５の約いずれか未満である１つ以上のギア歯を含む。いくつかの実施形態では、複数のギア歯は、以下の高さ（μｍ）：１、１．５、２、２．５、３、３．５、４、４．５、５、５．５、６、６．５、７、７．５、８、８．５、９、または９．５の約いずれかよりも大きい１つ以上のギア歯を含む。すなわち、複数のギア歯は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する高さの範囲のいずれかであり得る１つ以上のギア歯を含み得、下限値は、上限値未満である。ギア歯が伸びる隣接する周辺セグメントに凹凸がある場合に、ギア歯は、基準点に応じて異なる測定可能な高さを有し得ることを理解すべきである（例えば、基準点に応じて、４または６．５μｍの高さであり得る、図６Ｃのギア歯６０２を参照されたい）。
【００６３】
いくつかの実施形態では、複数のギア歯は、約１μｍ〜約１０μｍ離間している１つ以上のギア歯を含む。いくつかの実施形態では、複数のギア歯は、約１μｍ離間、約１．５μｍ離間、約２μｍ離間、約２．５μｍ離間、約３μｍ離間、約３．５μｍ離間、約４μｍ離間、約４．５μｍ離間、約５μｍ離間、約５．５μｍ離間、約６μｍ離間、約６．５μｍ離間、約７μｍ離間、約７．５μｍ離間、約８μｍ離間、約８．５μｍ離間、約９μｍ離間、約９．５μｍ離間、または約１０μｍ離間している１つ以上のギア歯を含む。いくつかの実施形態では、複数のギア歯は、以下の幅（μｍ）：１０、９．５、９、８．５、８、７．５、７、６．５、６、５．５、５、４．５、４、３．５、３、２．５、２、または１．５の約いずれか未満離間している１つ以上のギア歯を含む。いくつかの実施形態では、複数のギア歯は、以下の幅（μｍ）：１、１．５、２、２．５、３、３．５、４、４．５、５、５．５、６、６．５、７、７．５、８、８．５、９、または９．５の約いずれかよりも大きく離間している１つ以上のギア歯を含む。すなわち、複数のギア歯は、１０、９．５、９、８．５、８、７．５、７、６．５、６、５．５、５、４．５、４、３．５、３、２．５、２、または１．５の上限値、及び１、１．５、２、２．５、３、３．５、４、４．５、５、５．５、６、６．５、７、７．５、８、８．５、９、または９．５の独立して選択される下限値を有する幅の範囲のいずれかで離間し得る１つ以上のギア歯を含み得、下限値は、上限値未満である。
【００６４】
いくつかの実施形態では、本開示のビーズは、実質的に円形のディスクである。本明細書で使用する場合、実質的に円形の形状とは、形状の周囲長の全ての点と形状の幾何学的中心の間で大体同じ距離を有する任意の形状のことを指す。いくつかの実施形態では、形状は、幾何学的中心と周囲長上の所与の点とを結ぶポテンシャル半径のいずれかのばらつきが、長さの変化の１０％未満を示す場合に、実質的に円形であるとみなされる。本明細書で使用する場合、実質的に円形のディスクとは、形状の厚さがその直径よりも著しく小さい任意の実質的に円形の形状のことを指す。例えば、いくつかの実施形態では、実質的に円形のディスクの厚さは、その直径の約５０％未満、約４０％未満、約３０％未満、約２０％未満、約１５％未満、約１０％未満、または約５％未満であり得る。ある特定の実施形態では、実質的に円形のディスクの厚さは、その直径の約２０％であり得る。輪郭がギア形状である本開示のビーズは、実質的に円形のディスクともみなされ得る；例えば、１つ以上のギア歯を除外するビーズの形状は、実質的に円形のディスクを含み得ることを理解すべきである。
【００６５】
いくつかの実施形態では、ビーズは、約３００μｍ未満の直径である。例えば、いくつかの実施形態では、ビーズの直径は、約３００μｍ未満、約２００μｍ未満、約１８０μｍ未満、約１６０μｍ未満、約１４０μｍ未満、約１２０μｍ未満、約１００μｍ未満、約８０μｍ未満、約６０μｍ未満、約４０μｍ未満、または約２０μｍ未満である。いくつかの実施形態では、ビーズは、球形であり、約３００μｍの直径を測定する。他の実施形態では、ビーズは、長方形であり、約３００μｍの直径を測定する。いくつかの実施形態では、ビーズは、長方形であり、約４０×６０×５μｍを測定する。
【００６６】
いくつかの実施形態では、ビーズの直径は、約１８０μｍ、約１６０μｍ、約１４０μｍ、約１２０μｍ、約１００μｍ、約９０μｍ、約８０μｍ、約７０μｍ、約６０μｍ、約５０μｍ、約４０μｍ、約３０μｍ、約２０μｍ、または約１０μｍである。ある特定の実施形態では、ビーズは、約６０μｍの直径である。
【００６７】
いくつかの実施形態では、ビーズは、約５０μｍ未満の厚さである。例えば、いくつかの実施形態では、ビーズの厚さは、約７０μｍ未満、約６０μｍ、約５０μｍ、約４０μｍ、約３０μｍ、約２５μｍ未満、約２０μｍ未満、約１５μｍ未満、約１０μｍ未満、または約５μｍ未満である。いくつかの実施形態では、ビーズの厚さは、以下の厚さ（μｍ）：７０、６５、６０、５５、５０、４５、４０、３５、３０、２５、２０、１５、１０、９、８、７、６、５、４、３、または２の約いずれか未満である。いくつかの実施形態では、ビーズの厚さは、以下の厚さ（μｍ）：１、２、３、４、５、６、７、８、９、１０、１５、２０、２５、３０、３５、４０、４５、５０、５５、６０、または６５の約いずれかよりも大きい。すなわち、ビーズの厚さは、７０、６５、６０、５５、５０、４５、４０、３５、３０、２５、２０、１５、１０、９、８、７、６、５、４、３、または２の上限値、及び１、２、３、４、５、６、７、８、９、１０、１５、２０、２５、３０、３５、４０、４５、５０、５５、６０、または６５の独立して選択される下限値を有する厚さ（μｍ）の範囲のいずれかであり得、下限値は、上限値未満である。
【００６８】
いくつかの実施形態では、ビーズの厚さは、約５０μｍ、約４５μｍ、約４０μｍ、約３５μｍ、約３０μｍ、約２５μｍ、約２０μｍ、約１９μｍ、約１８μｍ、約１７μｍ、約１６μｍ、約１５μｍ、約１４μｍ、約１３μｍ、約１２μｍ、約１１μｍ、約１０μｍ、約９μｍ、約８μｍ、約７μｍ、約６μｍ、約５μｍ、約４μｍ、約３μｍ、約２μｍ、または約１μｍである。ある特定の実施形態では、ビーズは、約１０μｍの厚さである。
【００６９】
いくつかの態様では、本開示のビーズは、捕捉剤を含み得る。いくつかの実施形態では、特定のビーズ種の捕捉剤は、「固有の捕捉剤」であり得、例えば、捕捉剤は、特定の識別子（例えば、アナログコード）を有する特定のビーズ種と関連している。捕捉剤は、溶液中に存在する１つ以上の分析物（例えば、生体分子または化学化合物）に結合することが可能な任意の生体分子または化学化合物であり得る。生体分子捕捉剤の例としては、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片が挙げられるが、これらに限定されない。化学化合物捕捉剤の例としては、化学ライブラリー、小分子、または環境毒素（例えば、殺虫剤または重金属）の個々の成分が挙げられるが、これらに限定されない。
【００７０】
いくつかの実施形態では、捕捉剤は、（いくつかの実施形態では、ビーズ表面の少なくとも中央部分において）ビーズの表面に連結される。いくつかの実施形態では、捕捉剤は、ビーズに化学的に付着することができる。他の実施形態では、捕捉剤は、ビーズの表面に物理的に吸着することができる。いくつかの実施形態では、捕捉剤とビーズ表面の付着連結は、共有結合であり得る。他の実施形態では、捕捉剤とビーズ表面の付着連結は、非共有結合であり得、塩橋または他のイオン結合、１つ以上の水素結合、疎水性相互作用、ファンデルワールス力、ロンドン分散力、機械的結合、１つ以上のハロゲン結合、金原子同士の親和性、インターカレーション、またはスタッキングが挙げられるが、これらに限定されない。
【００７１】
いくつかの態様では、同じ分析物に対する２つ以上（例えば、２、３、４、５、６、７、８、９、または１０）の捕捉剤は、各々、本明細書に記載されるビーズと関連することができる。この実施形態では、特定の分析物に対する各捕捉剤は、分析物／捕捉剤結合の解離定数によって測定された異なる親和性をもつ分析物に結合する。したがって、組成物中の複数のビーズ内に、同じ分析物に結合する捕捉剤を有するビーズの２つ以上の亜集団が存在し得るが、各亜集団と関連する捕捉剤は、異なる親和性で分析物に結合する。いくつかの実施形態では、捕捉剤のいずれかに対する分析物の解離定数は、１０−６Ｍ以下、例えば、１０−７Ｍまたは１０−８Ｍである。他の実施形態では、捕捉剤のいずれかに対する分析物の解離定数は、約１０−１０Ｍ〜約１０−６Ｍ、例えば、約１０−１０Ｍ〜約１０−７Ｍ、約１０−１０Ｍ〜約１０−８Ｍ、約１０−１０Ｍ〜約１０−９Ｍ、約１０−９Ｍ〜約１０−６Ｍ、約１０−９Ｍ〜約１０−７Ｍ、約１０−９Ｍ〜約１０−８Ｍ、約１０−８Ｍ〜約１０−６Ｍ、または約１０−８Ｍ〜約１０−７Ｍである。いくつかの実施形態では、２つの捕捉剤のいずれかに対する分析物の解離定数は、約３  ｌｏｇ１０と同程度、例えば、約２．５  ｌｏｇ１０、２  ｌｏｇ１０、１．５  ｌｏｇ１０、または１  ｌｏｇ１０と同程度に異なる。
【００７２】
いくつかの実施形態では、本開示の分析物は、１つ以上の分析物の捕捉のためのビーズに連結される。いくつかの実施形態では、１つ以上の分析物は、サンプル、例えば、本明細書に記載される生物試料から捕捉され得る。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片を含み得るが、これらに限定されない。他の実施形態では、分析物は、化学ライブラリー、小分子、または環境毒素（例えば、殺虫剤または重金属）の個々の成分などの、捕捉剤に結合することが可能な化学化合物（例えば、小分子化学化合物）である。
【００７３】
本開示のサンプル、例えば、生物試料は、固体材料（例えば、組織、細胞ペレット及び生検）及び生物流体（例えば、尿、血液及びその成分、例えば、血清、唾液、リンパ、涙、汗、前立腺液、精液（ｓｅｍｉｎａｌ  ｆｌｕｉｄ）、精液（ｓｅｍｅｎ）、胆汁、糞便、粘液、羊水及び洗口液（口腔細胞を含む））を含む任意の形態であり得る。固体材料は、典型的には、流体と混合される。サンプルは、水、空気、土、または任意の他の環境供給源などの環境試料のことも指し得る。いくつかの実施形態では（以下の実施例５に示すように）、サンプルは、血清を含む。
【００７４】
いくつかの態様では、サンプル（例えば、生物試料）中の分析物は、捕捉剤に結合する際に検出可能な信号を放出することが可能な信号発信エンティティで標識することができる。いくつかの実施形態では、信号発信エンティティは、比色ベースであり得る。他の実施形態では、信号発信エンティティは、フィコエリトリン、青色蛍光タンパク質、緑色蛍光タンパク質、黄色蛍光タンパク質、シアン蛍光タンパク質、及びそれらの誘導体を含むがこれらに限定されない蛍光ベースであり得る。他の実施形態では、信号発信エンティティは、３２Ｐ、３３Ｐ、２２Ｎａ、３６Ｃｌ、２Ｈ、３Ｈ、３５Ｓ、及び１２３Ｉで標識された分子を含むがこれらに限定されない放射性同位体ベースであり得る。他の実施形態では、信号発信エンティティは、ルシフェラーゼ（例えば、化学発光ベース）、ホースラディッシュペルオキシダーゼ、アルカリフォスファターゼ、及びそれらの誘導体を含むがこれらに限定されない光ベースであり得る。いくつかの実施形態では、サンプル中に存在する生体分子または化学化合物は、ビーズとの接触前に信号発信エンティティで標識することができる。他の実施形態では、サンプル中に存在する生体分子または化学化合物は、ビーズとの接触後に信号発信エンティティで標識することができる。
【００７５】
Ａ．ビーズの形状
本明細書に記載されるビーズは、任意の三次元の幾何学的形状を有し得る。いくつかの実施形態では、複数のビーズは、半球形の形状を含む球形であり得る。他の実施形態では、複数のビーズは、卵形の形状であり得る。いくつかの実施形態では、複数のビーズは、斜方立方体、長方形の立方体、切頂立方体、カンテラ立方体、全切頂立方体、または変形立方体を含むがこれらに限定されない立方体形状であり得る。いくつかの実施形態では、複数のビーズは、右円の円柱、楕円柱、または斜柱を含むがこれらに限定されない円柱形状であり得る。いくつかの実施形態では、複数のビーズは、右円の円錐形または斜円の円錐形を含むがこれらに限定されない円錐形状であり得る。いくつかの実施形態では、複数のビーズは、正方形ピラミッドまたは五角形ピラミッドを含むがこれらに限定されないピラミッド形状であり得る。いくつかの実施形態では、複数のビーズは、四面体形状であり得る。いくつかの実施形態では、複数のビーズは、角柱形状であり得る。さらに、複数のビーズの他の実施形態は、十二面体、二十・十二面体、菱形三十面体、または菱形十二面体を含むがこれらに限定されない任意の形態の多面体であり得る。
【００７６】
いくつかの態様では、本明細書に記載される組成物のいくつかのビーズは、滑らかで、表面の凹凸がない表面を有し得る。本明細書で使用する場合、ビーズは、組成物中の任意の１つのビーズの重心からビーズの表面上の任意の２点までの距離が約１０％を超えて変化しない場合に、「滑らかで、表面の凹凸がない」である。いくつかの実施形態では、組成物中の任意の１つのビーズの重心からビーズの表面上の任意の２点までの距離は、約１９％、約１８％、約１７％、約１６％、約１５％、約１４％、約１３％、約１２％、約１１％、約１０％、約９％、約８％、約７％、約６％、約５％、約４％、約３％、約２％、約１％、約０．５％、または約０．２５％（その間を含む）、並びにこれらのパーセンテージ間の任意の数値以下で変化することができる。いくつかの実施形態では、顕微鏡検査は、ビーズ表面に深い凹み、穴、または高隆起がないことを判断するために使用することができる。
【００７７】
Ｂ．ビーズのサイズ
いくつかの態様では、本明細書に記載される組成物のビーズは、実質的に同一なサイズ及び形状のものであり得る。本明細書で使用する場合、「実質的に同一なサイズ」は、組成物中の任意の２つのビーズ（例えば、ポリマービーズ）間の最も広い寸法で測定された距離間の変化が約１０％未満であることを意味する。いくつかの実施形態では、組成物中の任意の２つのビーズ間の最も広い寸法で測定された距離間の変化は、約９％、約８％、約７％、約６％、約５％、約４％、約３％、約２％、約１％、約０．５％、または約０．２５％（その間を含む）、並びにこれらの数の間の任意の数値未満であり得る。「実質的に同一な形状」とは、本明細書で使用する場合、組成物の各ビーズが組成物内の任意の他のビーズと同じ形状であることを意味する。
【００７８】
Ｃ．識別子
本明細書に記載されるビーズ組成物中の各ビーズは、１つ以上の固有識別子と関連付けられ得る。いくつかの実施形態では、識別子は、アナログコード識別子である。いくつかの態様では、識別子は、特定のアッセイを実施する目的のために、ビーズの表面に固定化された捕捉剤（例えば、抗体、小分子化学化合物、または核酸プローブ）の同一性に対応する。他の態様では、本明細書に記載されるビーズ組成物は、情報（例えば、データ）を保存し、及び／またはマルチプレックスアッセイそれ自体には直接関係しない他の機能を行うために利用することもできるアナログコード識別子をもつさらなるビーズを含む。例えば、いくつかの実施形態では、アナログ識別子は、特定のアッセイまたはアッセイキット、特定の分析物、製造ロット、個人、位置識別子、または較生信号としてイメージングプロセッサーによって認識される。
【００７９】
いくつかの実施形態では、ビーズ組成物及びシステムは、少なくとも２つのビーズ、少なくとも３つのビーズ、少なくとも４つのビーズ、少なくとも５つのビーズ、または少なくとも６つのビーズを含み、各々は、特定のアッセイもしくはアッセイキット、特定の分析物、製造ロット、個人、位置識別子、または較生信号としてイメージングプロセッサーによって認識されるアナログコード識別子を有する。少なくとも２つのビーズ、少なくとも３つのビーズ、少なくとも４つのビーズ、少なくとも５つのビーズ、または少なくとも６つのビーズの各々は、特定のアッセイまたはアッセイキット、特定の分析物、製造ロット、個人、位置識別子、または較生信号から独立して選択されるパラメーターとして認識されるアナログコード識別子を有し得ることを理解されたい。すなわち、ビーズの各々は、異なるクラスのパラメーターに属する異なる識別子を有し得る。例えば、少なくとも２つのビーズは、特定のアッセイとして認識される識別子をもつもの、及び製造ロットとして認識される識別子をもつもの；または特定のアッセイキットとして認識される識別子をもつもの、及び個人として認識される識別子をもつものを含み得る。別の非限定例について、少なくとも３つのビーズは、較生信号として認識される識別子をもつもの、位置識別子として認識される識別子をもつもの、及び特定の分析物として認識される識別子をもつものを含み得る。別の非限定例について、少なくとも４つのビーズは、特定のアッセイとして認識される識別子をもつもの、位置識別子として認識される識別子をもつもの、特定の分析物として認識される識別子をもつもの、及び製造ロットとして認識される識別子をもつものを含み得る。別の非限定例について、少なくとも５つのビーズは、特定のアッセイとして認識される識別子をもつもの、特定のアッセイキットとして認識される識別子をもつもの、特定の分析物として認識される識別子をもつもの、製造ロットとして認識される識別子をもつもの、及び較生信号として認識される識別子をもつものを含み得る。別の非限定例について、少なくとも６つのビーズは、特定のアッセイとして認識される識別子をもつもの、特定の分析物として認識される識別子をもつもの、製造ロットとして認識される識別子をもつもの、個人として認識される識別子をもつもの、位置識別子として認識される識別子をもつもの、及び較生信号として認識される識別子をもつものを含み得る。
【００８０】
したがって、いくつかの実施形態では、アッセイを行うことは、捕捉剤の同一性に対応するビーズのアナログコード識別子を用いて、複数のビーズの各ビーズに連結された捕捉剤を同定すること、及び１つ以上のさらなるビーズ（複数可）をもつアナログコード識別子を用いて、特定のアッセイまたはアッセイキット、特定の分析物、製造ロット、個人、位置識別子、及び／または較生信号のうちの１つ以上を同定することを含み得る。一実施形態では、本明細書に記載されるビーズ（例えば、ポリマービーズ）組成物は、特定の生化学または化学マルチプレックスアッセイに対応するようにイメージングプロセッサーによって認識されるアナログコード識別子をもつ少なくとも１つのビーズを含む。アッセイ識別子は、キット内に含まれる組成物中の他のビーズの全ての機能（例えば、これらに限定されないが、組成物中のビーズと関連付けられた捕捉剤、またはアッセイを組み合わせて使用されるイメージングプロセッサーを較正する目的のために識別子で標識されたビーズの同一性）を含む、特定のマルチプレックスアッセイキットに関する情報を記憶するために使用することもできる。
【００８１】
いくつかの実施形態では、本明細書に記載されるビーズ組成物は、特定の製造ロットに対応するようにイメージングプロセッサーによって認識されるアナログコード識別子をもつ少なくとも１つのビーズを含む。ロット識別子は、評価すべきサンプル（例えば、生物試料）中の１つ以上のターゲット分析物の濃度を算出するために使用することができる製造の日付、有効期限、及び外部標準曲線を含む、アッセイキットの特定の製造ロットに関する情報を記憶するために使用することができる。さらなる実施形態では、マルチプレックスアッセイキット中のターゲット分析物ごとの外部標準曲線は、生産ロットごとに決定することができ、データは、新しい製造ロットを生産するたびに、マルチプレックスアッセイキットに付随するソフトウェアに組み込まれる。さらに別の実施形態では、これらの予め決定された標準曲線に関するデータは、それらを用いてサンプル（例えば、生物試料）中の１つ以上のターゲット分析物の濃度を算出することができるイメージングプロセッサーによって、インターネット経由でアクセス可能である。
【００８２】
いくつかの実施形態では、本明細書に記載されるビーズ組成物は、個人に対応するようにイメージングプロセッサーによって認識されるアナログコード識別子をもつ少なくとも１つのビーズを含む。個々の識別子は、例えば、生物学的または化学アッセイ分析用のサンプルを提出する個人、または行うべきこれらのアッセイを命令する個人、例えば、これらに限定されないが、ヘルスケア専門家に関する情報を記憶するために使用することができる。本明細書で使用する場合、「個人」は、任意の一般的な実験室のモデル生物などの哺乳類であり得る。哺乳類としては、ヒト及び非ヒト霊長類、農業動物、スポーツ動物、ペット（例えば、イヌまたはネコ）、マウス、ラット、及び他の齧歯類が挙げられるが、これらに限定されない。いくつかの実施形態では、個人は、ヒトである。他の実施形態では、個人は、生物学的または化学的に評価すべき生物試料を提供した患者である。別の実施形態では、個人は、行うべきアッセイを命令したヘルスケア専門家である。さらに別の実施形態では、個人は、政府機関または部門である。
【００８３】
いくつかの実施形態では、本明細書に記載されるビーズ組成物は、位置に対応するようにイメージングプロセッサーによって認識されるアナログコード識別子をもつ少なくとも１つのビーズを含む。位置識別子は、評価すべきサンプルに関する位置または評価すべきサンプルの供給源の位置に関する情報を記憶するために使用することができる。位置識別子の非限定例としては、病院、ヘルスケア専門家のオフィス、住所（例えば、個人、病院、またはヘルスケア専門家の住所）、または研究所（例えば、診断研究所、医療研究所、大学研究所、またはリサーチ研究所）が挙げられる。
【００８４】
いくつかの実施形態では、本明細書に記載されるビーズ組成物は、一時的な識別子に対応するようにイメージングプロセッサーによって認識されるアナログコード識別子をもつ少なくとも１つのビーズを含む。一時的な識別子の非限定例としては、検体収集の日付が挙げられる。
【００８５】
いくつかの実施形態では、本明細書に記載されるビーズ組成物は、陽性または陰性対照としてビーズを同定するようにイメージングプロセッサーによって認識されるアナログコード識別子をもつ少なくとも１つのビーズを含む。陽性対照ビーズは、例えば、ビオチン化ウシ血清アルブミン（ＢＳＡ）で被覆されたビーズ、または陽性対照として使用され得る任意の他のマーカーであり得る。いくつかの実施形態では、陽性対照ビーズは、ビオチンで被覆され、陽性対照ビーズは、ストレプトアビジンまたはその誘導体（例えば、ストレプトアビジンフィコエリトリンコンジュゲート）にコンジュゲートされる信号発信エンティティを用いて検出される。陰性対照ビーズは、例えば、ＢＳＡで被覆されたビーズ、または陰性対照として使用され得る任意の他のマーカーであり得る。
【００８６】
いくつかの実施形態では、本明細書に記載されるビーズ組成物は、イメージングプロセッサーの較正のために予め標識される少なくとも１つのビーズを含む。
【００８７】
いくつかの実施形態では、本明細書に記載されるビーズ組成物は、２つ以上の機能または一部の情報（例えば、これらに限定されないが、特定の生化学または化学マルチプレックスアッセイ、特定のマルチプレックスアッセイキットに関する情報、特定の製造ロット、個人、位置に関する情報）に対応するようにイメージングプロセッサーによって認識されるアナログコード識別子をもつ少なくとも１つのビーズを含む。例えば、本明細書に記載されるビーズ組成物は、製造ロット（製造日付、有効期限、標準曲線、及びカットオフ値を含むが、これらに限定されない）に関する情報に対応し、かつ陰性対照ビーズとしてビーズを同定するようにイメージングプロセッサーによって認識されるアナログコード識別子をもつ少なくとも１つのビーズを含み得る。別の例として、本明細書に記載されるビーズ組成物は、アッセイキット（キット内に含まれる、組成物中の他のビーズの全ての機能を含むが、これらに限定されない）に関する情報に対応し、かつ陽性または陰性対照としてビーズを同定するようにイメージングプロセッサーによって認識されるアナログコード識別子をもつ少なくとも１つのビーズを含み得る。別の例として、本明細書に記載されるビーズ組成物は、製造ロット（評価すべきサンプル中の１つ以上のターゲット分析物の濃度を算出するために使用することができる製造の日付、有効期限、及び外部標準曲線が挙げられるが、これらに限定されない）に関する情報に対応し、かつ陽性または陰性対照としてビーズを同定するようにイメージングプロセッサーによって認識されるアナログコード識別子をもつ少なくとも１つのビーズを含み得る。別の例として、本明細書に記載されるビーズ組成物は、患者名及び識別子、病院、ヘルスケア専門家、診断研究所、及び検体収集の日付に対応するようにイメージングプロセッサーによって認識されるアナログコード識別子をもつ少なくとも１つのビーズを含み得る。さらに別の例として、本明細書に記載されるビーズ組成物は、ビーズの表面に結合する捕捉剤を同定するように、かつ、アッセイキットに関する情報（キット内に含まれる、組成物中の他のビーズの全ての機能を含むが、これらに限定されない）に対応するようにイメージングプロセッサーによって認識されるアナログコード識別子をもつ少なくとも１つのビーズを含み得る。
【００８８】
Ｄ．捕捉剤
いくつかの態様では、本明細書に記載される組成物のビーズは、固有の捕捉剤に付着することができる。「固有の捕捉剤」によって、各捕捉剤が、特定の識別子を有する特定のビーズと関連していることを意味する。捕捉剤は、溶液中に存在する１つ以上の生体分子または化学化合物に結合することが可能な任意の生体分子または化学化合物であり得る。生体分子捕捉剤の例としては、ＤＮＡ分子、ＤＮＡアナログ分子、ＲＮＡ分子、ＲＮＡアナログ分子、アミノ酸、ヌクレオチド、タンパク質、酵素、脂質、リン脂質、炭水化物部分、多糖、抗原、ウイルス、細胞、抗体、または抗体断片が挙げられるが、これらに限定されない。化学化合物捕捉剤の例としては、化学ライブラリー、小分子、または環境毒素（例えば、殺虫剤または重金属）の個々の成分が挙げられるが、これらに限定されない。いくつかの実施形態では、捕捉剤は、ビーズに化学的に付着しすることができる。他の実施形態では、捕捉剤は、ビーズの表面に物理的に吸着することができる。いくつかの実施形態では、捕捉剤とビーズの間の付着連結は、共有結合であり得る。他の実施形態では、捕捉剤とビーズの間の付着連結は、非共有結合であり得、これらに限定されないが、塩橋または他のイオン結合、１つ以上の水素結合、疎水性相互作用、ファンデルワールス力、ロンドン分散力、機械的結合、１つ以上のハロゲン結合、金原子同士の親和性、インターカレーション、またはスタッキングを含む。
【００８９】
一態様では、捕捉剤結合ビーズへの分析物（例えば、信号発信エンティティ標識された化学化合物または生体分子）の結合は、信号発信エンティティの存在を検出することが可能な任意の装置（例えば、イメージングプロセッサー）によって検出することができる。いくつかの実施形態では、フローサイトメトリーを使用して、信号発信エンティティの存在を検出することができる。フローサイトメトリーは、光散乱、光励起、及び蛍光レポーター分子からの発光の原理を使用し、これを使用して、レポーター標識化学化合物または生体分子に結合したビーズから特定のマルチパラメーターデータを生成することができる。ビーズ組成物（例えば、本明細書に記載されるもの）は、最適にフォーカスした光源を傍受する前に、緩衝液のシースにハイドロダイナミックにフォーカスすることができる。いくつかの実施形態では、レーザーは、フローサイトメトリーにおいて光源として使用することができる。
【００９０】
いくつかの態様では、本明細書に記載されるビーズ組成物を使用して、溶液中の特定の化学化合物または生体分子の存在を検出することができる。したがって、いくつかの実施形態では、溶液中の化学化合物または生体分子への捕捉剤の結合は、溶液中の化学化合物または生体分子の存在を示すことができる。
【００９１】
いくつかの態様では、本明細書に記載されるビーズ組成物を使用して、溶液中の特定の化学化合物または生体分子の濃度を検出することができる。したがって、いくつかの実施形態では、溶液中の化学化合物または生体分子への捕捉剤の結合は、溶液中の化学化合物または生体分子の濃度を示す。
【００９２】
いくつかの態様では、本明細書に記載されるビーズ組成物を使用して、溶液中の特定の化学化合物または生体分子に対する捕捉剤の結合親和性を決定することができる。したがって、いくつかの実施形態では、溶液中の化学化合物または生体分子への捕捉剤の結合は、溶液中の特定の化学化合物または生体分子に対する捕捉剤の結合親和性を示す。
【００９３】
Ｅ．信号発信エンティティ
いくつかの態様では、捕捉剤に結合することが可能な、サンプル（例えば、生物試料）中の分析物は、捕捉剤に結合する際に検出可能な信号を放出することが可能な信号発信エンティティで標識される。いくつかの実施形態では、信号発信エンティティは、比色ベースであり得る。他の実施形態では、信号発信エンティティは、フィコエリトリン、青色蛍光タンパク質、緑色蛍光タンパク質、黄色蛍光タンパク質、シアン蛍光タンパク質、及びそれらの誘導体を含むがこれらに限定されない蛍光ベースであり得る。他の実施形態では、信号発信エンティティは、３２Ｐ、３３Ｐ、２２Ｎａ、３６Ｃｌ、２Ｈ、３Ｈ、３５Ｓ、及び１２３Ｉで標識された分子を含むがこれらに限定されない放射性同位体ベースであり得る。他の実施形態では、信号発信エンティティは、ルシフェラーゼ（例えば、化学発光ベース）、ホースラディッシュペルオキシダーゼ、アルカリフォスファターゼ、及びそれらの誘導体を含むがこれらに限定されない光ベースであり得る。いくつかの実施形態では、サンプル中に存在する生体分子または化学化合物は、ビーズ（例えば、ポリマービーズ）組成物との接触前に信号発信エンティティで標識することができる。他の実施形態では、サンプル中に存在する生体分子または化学化合物は、ビーズ組成物との接触後に信号発信エンティティで標識することができる。
【００９４】
ＩＶ．コード化ビーズの作製方法
本開示のある特定の態様は、コード化ビーズ、例えば、本明細書に記載されるビーズの作製方法に関する。コード化ビーズの作製方法は、本明細書、例えば、上記のセクションＩＩＩ及び／または以下の実施例に記載されるビーズ特徴または態様のうちの１つ以上を含み得る。
【００９５】
いくつかの実施形態では、方法は、実質的に透明なポリマー層を堆積することを含み、実質的に透明なポリマー層は、第１の表面及び第２の表面を有し、第１及び第２の表面は、互いに平行である。いくつかの実施形態では、互いに平行である第１及び第２の表面は、単一層の上面及び底面であり得る。当該技術分野で公知のまたは本明細書に記載される任意の適当な実質的に透明なポリマーを使用してもよい。いくつかの実施形態では、実質的に透明なポリマー層は、スピンコーティングを用いて堆積される。
【００９６】
いくつかの実施形態では、実質的に透明なポリマー層は、基質上に堆積され得る。適切な基質は、標準半導体及び／または微小電気機械システム（ＭＥＭＳ）製造技術で用いた基質を含み得る。いくつかの実施形態では、基質は、ガラス、シリコン、石英、プラスチック、ポリエチレンテレフタレート（ＰＥＴ）、酸化インジウムスズ（ＩＴＯ）コーティングなどを含み得る。
【００９７】
いくつかの実施形態では、犠牲層は、基質、例えば、上述のように基質上に堆積され得る。いくつかの実施形態では、犠牲層は、ポリビニルアルコール（ＰＶＡ）またはＯｍｎｉＣｏａｔ（商標）（ＭｉｃｒｏＣｈｅｍ；Ｎｅｗｔｏｎ、ＭＡ）を含むがこれらに限定されないポリマーで作製され得る。犠牲層は、例えば、製造者の指示に従って、塗布、使用、溶解、または剥離され得る。
【００９８】
いくつかの実施形態では、本開示の実質的に透明なポリマー層は、犠牲層上に堆積される。実質的に透明なポリマー層を用いて平面ビーズ表面を生成するため、実質的に透明なポリマー層は、平面犠牲層の上に堆積され得る。それから突出している１つ以上の円柱を有するビーズ表面を生成するため、犠牲層（例えば、基質の上に堆積されるもの）は、例えば標準のリソグラフィープロセスを用いて、１つ以上の円柱形状の穴またはボイド領域でパターニングされ得る。いくつかの実施形態では、実質的に透明なポリマー層は、層が１つ以上の円柱形状の穴またはボイド領域で堆積されるように、犠牲層及び任意の基質の上に堆積され得る。いくつかの実施形態では、別の実質的に透明なポリマー層は、第１の実質的に透明なポリマー層は、次いで、犠牲層上に堆積され、１つ以上の円柱形状の穴またはボイド領域は、第１の実質的に透明なポリマー層に充填され得る。
【００９９】
いくつかの実施形態では、本開示の磁性の実質的に非透明な層は、第１の実質的に透明なポリマー層の表面上に堆積される。いくつかの実施形態では、磁性の実質的に非透明な層は、スパッタリングによって堆積される。磁性の実質的に非透明な層は、例えば、本明細書に記載される磁性材料のいずれかで作製され得る。例えば、いくつかの実施形態では、磁性の実質的に非透明な層は、ニッケル（例えば、元素ニッケル、またはその合金）を含む。
【０１００】
いくつかの実施形態では、磁性の実質的に非透明な層は、実質的に透明なポリマー層の中央部分上に堆積される磁性の実質的に非透明な層の一部を除去するためにエッチングされ得る。磁性の実質的に非透明な層は、当該技術分野で公知の任意の手段によってエッチングされ得る。例えば、いくつかの実施形態では、磁性の実質的に非透明な層は、従来のウェットエッチングによってエッチングされる。磁性の実質的に非透明な層の例示の寸法、形状、及び任意の非対称性は、上記で提供される。
【０１０１】
いくつかの実施形態では、本開示の第２の実質的に透明なポリマー層は、磁性の実質的に非透明な層上に堆積される。いくつかの実施形態では、第２の実質的に透明なポリマー層は、互いに平行である第１の表面及び第２の表面（例えば、単一層の上面及び底面）を有する。いくつかの実施形態では、第２の表面は、磁性の実質的に非透明な層に固定される。いくつかの実施形態では、第２の実質的に透明なポリマー層は、第１の実質的に透明なポリマー層と整列され、実質的に透明なポリマー層の中央部分と整列されている中央部分を有する。実質的に透明なポリマー層の中央部分の例示の寸法は、上記で提供される。
【０１０２】
いくつかの実施形態では、本開示の実質的に非透明なポリマー層は、第２の実質的に透明なポリマー層の第１の表面上に堆積される。いくつかの実施形態では、実質的に非透明なポリマー層は、第１及び第２の実質的に透明なポリマー層の中央部分を囲む。いくつかの実施形態では、実質的に非透明なポリマー層は、アナログコードを表す二次元形状を含む。本明細書に記載または例示の二次元形状のいずれか、例えば、不連続を含む１つ以上のリング、または本開示のギア形状を使用し得る。いくつかの実施形態では、実質的に非透明なポリマー層は、第２の実質的に透明なポリマー層上に堆積され、（例えば、標準のリソグラフィープロセスを用いて）所望の二次元形状にエッチングされる。
【０１０３】
いくつかの実施形態では、１つ以上の円柱は、実質的に非透明なポリマー層によって覆われない部分で、実質的に透明なポリマー上、例えば、第２の実質的に透明なポリマー層の第１の表面上に堆積され得る。１つ以上の円柱は、例えば、標準のリソグラフィープロセスを用いて、本明細書に記載されるように堆積され得る。
【０１０４】
任意の犠牲層及び／または本開示の基質を採用するいくつかの実施形態では、犠牲層は、溶解または剥離され得、及び／または基質は、溶媒を用いて除去され得る。製造（例えば、標準半導体またはＭＥＭＳ製造プロセス、例えば、フォトレジスト除去における）に有用な種々の溶媒は、当該技術分野で公知である。いくつかの実施形態では、溶媒は、フォトレジスト剥離溶媒、例えば、ＤＭＳＯ−または１−メチル−２−ピロリドン（ＮＭＰ）系溶媒である。いくつかの実施形態では、溶媒は、ＡＺ（登録商標）フォトレジスト剥離、例えば、ＡＺ（登録商標）３００Ｔ（ＡＺ  Ｅｌｅｃｔｒｏｎｉｃ  Ｍａｔｅｒｉａｌｓ；Ｓｏｍｅｒｖｉｌｌｅ、ＮＪ）である。
【０１０５】
いくつかの実施形態では、方法は、本開示の基質上に本開示の犠牲層を堆積することを含む。犠牲層、基質、及び適当な堆積方法は、例えば、上述のように記載される。
【０１０６】
いくつかの実施形態では、本開示の実質的に非透明なポリマー層は、犠牲層上に堆積される。いくつかの実施形態では、実質的に非透明なポリマー層は、互いに平行である第１及び第２の表面（例えば、単一層の上面及び底面）を有する。いくつかの実施形態では、第２の表面は、犠牲層に固定される。
【０１０７】
いくつかの実施形態では、実質的に非透明なポリマー層の輪郭は、アナログコードを表す二次元形状に、例えば、本明細書に記載されるように形成される。実質的に非透明なポリマー層は、例えば、スピンコーティング、ソフトベーキング、紫外線暴露、エッチング、及びハードベーキングを含むがこれらに限定されない標準のリソグラフィープロセスを用いて、当該技術分野で公知のまたは本明細書に記載される任意の方法によって形成され得る。
【０１０８】
いくつかの実施形態では、犠牲層は、溶解または剥離され得、及び／または基質は、溶媒を用いて、例えば、上述のように除去され得る。
【０１０９】
他の実施形態では、本開示の磁性材料を含む磁性層は、犠牲層上に堆積される。例示の磁性材料、磁性層形状／寸法、及びそれに関する堆積方法は、上記で提供される。例えば、いくつかの実施形態では、磁性層は、１つ以上の円柱に、例えば、円柱９０６で示されるように形成され得る。他の実施形態では、磁性層は、２つの非透明ポリマー層の間、例えば、磁性層７０４で示されるように埋め込まれ得る。磁性材料は、例えば、本明細書に記載される磁性材料のいずれかを含み得る。例えば、いくつかの実施形態では、磁性材料は、ニッケル（例えば、元素ニッケル、またはその合金）を含む。
【０１１０】
いくつかの実施形態では、本開示の実質的に非透明なポリマー層は、磁性層上に堆積される。いくつかの実施形態では、実質的に非透明なポリマー層は、互いに平行である第１及び第２の表面（例えば、単一層の上面及び底面）を有する。いくつかの実施形態では、実質的に非透明なポリマー層の表面（例えば、第２の表面）は、磁性層に固定される。
【０１１１】
いくつかの実施形態では、実質的に非透明なポリマー層の輪郭は、アナログコードを表す二次元形状に、例えば、本明細書に記載されるように形成される。
【０１１２】
いくつかの実施形態では、犠牲層は、溶解または剥離され得、及び／または基質は、溶媒を用いて、例えば、上述のように除去され得る。
【０１１３】
上述の方法に適当な例示のビーズ形状、寸法、及び随意的な特徴は、本開示を通じて提供される。
【０１１４】
いくつかの実施形態では、捕捉剤は、本開示のビーズ、例えば、本明細書に記載されるビーズ及び／または本明細書に記載される方法のいずれかによって生成されたビーズにカップリングされ得る。本明細書に記載される捕捉剤のいずれか、または本明細書に記載される分析物の捕捉に適当な当該技術分野で公知の任意の捕捉剤は、本開示の方法及び／またはビーズにおいて使用され得る。
【０１１５】
いくつかの実施形態では、捕捉剤は、本開示のポリマー層、例えば、本明細書に記載される実質的に透明なまたは実質的に非透明なポリマー層にカップリングされ得る。いくつかの実施形態では、捕捉剤は、ポリマー層の第１または第２の表面の一方または両方にカップリングされ得る。いくつかの実施形態では、捕捉剤は、ポリマー層の少なくとも中央部分（例えば、本明細書に記載される中央部分）にカップリングされ得る。いくつかの実施形態では、ポリマーは、エポキシ系ポリマーを含む、またはあるいはエポキシド基を含む。
【０１１６】
いくつかの実施形態では、捕捉剤のカップリングは、ポリマーを光酸発生剤及び光と反応させて、架橋ポリマーを生成することを伴う。いくつかの実施形態では、光は、光酸発生剤を活性化する波長のもの、例えば、紫外光または近紫外光である。光酸発生剤は、Ｓｉｇｍａ−Ａｌｄｒｉｃｈ（Ｓｔ．Ｌｏｕｉｓ）及びＢＡＳＦ（Ｌｕｄｗｉｇｓｈａｆｅｎ）から市販されている。当該技術分野で公知の任意の適当な光酸発生剤を使用してもよく、ヘキサフルオロアンチモン酸トリフェニルまたはトリアリールスルホニウム；トリアリールスルホニウムヘキサフルオロホスフェート；トリフェニルスルホニウムペルフルオロ−１−ブタンスルホネート；トリフェニルスルホニウムトリフラート；Ｔｒｉｓ（４−ｔｅｒｔ−ブチルフェニル）スルホニウムペルフルオロ−１−ブタンスルホネートまたはトリフラート；ビス（４−ｔｅｒｔ−ブチルフェニル）ヨードニウム含有光酸発生剤、例えば、ビス（４−ｔｅｒｔ−ブチルフェニル）ヨードニウムペルフルオロ−１−ブタンスルホネート、ｐ−トルエンスルホネート、及びトリフラート；Ｂｏｃ−メトキシフェニルジフェニルスルホニウムトリフラート；（ｔｅｒｔ−ブトキシカルボニルメトキシナフチル）−ジフェニルスルホニウムトリフラート；（４−ｔｅｒｔ−ブチルフェニル）ジフェニルスルホニウムトリフラート；ジフェニルヨードニウムヘキサフルオロホスフェート、硝酸塩、ペルフルオロ−１−ブタンスルホネート、トリフラート、またはｐ−トルエンスルホネート；（４−フルオロフェニル）ジフェニルスルホニウムトリフラート；Ｎ−ヒドロキシナフタルイミドトリフラート；Ｎ−ヒドロキシ−５−ノルボルネン−２，３−ジカルボキシイミドペルフルオロ−１−ブタンスルホネート；（４−ヨードフェニル）ジフェニルスルホニウムトリフラート；（４−メトキシフェニル）ジフェニルスルホニウムトリフラート；２−（４−メトキシスチリル）−４，６−ビス（トリクロロメチル）−１，３，５−トリアジン；（４−メチルフェニル）ジフェニルスルホニウムトリフラート；（４−メチルチオフェニル）メチルフェニルスルホニウムトリフラート；（４−フェノキシフェニル）ジフェニルスルホニウムトリフラート；（４−フェニルチオフェニル）ジフェニルスルホニウムトリフラート；またはｐｒｏｄｕｃｔ−ｆｉｎｄｅｒ．ｂａｓｆ．ｃｏｍ／ｇｒｏｕｐ／ｃｏｒｐｏｒａｔｅ／ｐｒｏｄｕｃｔ−ｆｉｎｄｅｒ／ｄｅ／ｌｉｔｅｒａｔｕｒｅ−ｄｏｃｕｍｅｎｔ：／Ｂｒａｎｄ＋Ｉｒｇａｃｕｒｅ−Ｂｒｏｃｈｕｒｅ−−Ｐｈｏｔｏａｃｉｄ＋Ｇｅｎｅｒａｔｏｒ＋Ｓｅｌｅｃｔｉｏｎ＋Ｇｕｉｄｅ−Ｅｎｇｌｉｓｈ．ｐｄｆに記載される光酸発生剤のいずれかが挙げられるが、これらに限定されない。いくつかの実施形態では、光酸発生剤は、スルホニウム含有光酸発生剤である。
【０１１７】
いくつかの実施形態では、捕捉剤のカップリングは、架橋ポリマーのエポキシドを、アミン、カルボキシル、チオールなどの官能基と反応させることを伴う。あるいは、表面上のエポキシ基は、ヒドロキシル基に酸化することができ、その後、ポリ（アクリル酸）などの水溶性ポリマーのグラフト重合のための開始部位として使用される。次いで、ポリ（アクリル酸）中のカルボキシル基を使用して、捕捉剤中のアミノまたはヒドロキシル基と共有結合を形成する。
【０１１８】
いくつかの実施形態では、捕捉剤のカップリングは、架橋ポリマーのエポキシドを、アミン及びカルボキシルを含む化合物と反応させることを伴う。いくつかの実施形態では、化合物のアミンをエポキシドと反応させて、化合物にカップリングした架橋ポリマーを形成する。理論に束縛されることを望むものではないが、捕捉剤は、ポリマーが架橋する前にポリマーにカップリングされ得る；しかしながら、これは、得られる表面の均一性を減らし得ることが考えられる。一級アミン及びカルボキシル基をもつ任意の化合物を使用し得る。化合物は、グリシン、アミノウンデカン酸、アミノカプロン酸、アクリル酸、２−カルボキシエチルアクリル酸、４−ビニル安息香酸、３−アクリルアミド−３−メチル−１−ブタン酸、メタクリル酸グリシジルなどを含み得るが、これらに限定されない。いくつかの実施形態では、化合物にカップリングした架橋ポリマーのカルボキシルを捕捉剤のアミン（例えば、一級アミン）と反応させて、捕捉剤を実質的に透明なポリマーにカップリングさせる。
【０１１９】
Ｖ．コード化ビーズの使用方法
本明細書で提供されるのは、生物学的または化学マルチプレックスアッセイを実施するための本明細書に記載されるビーズの使用方法である。
【０１２０】
Ａ．ビーズ表面への捕捉剤の付着
いくつかの態様では、本明細書に記載される複数のビーズ組成物の製造方法は、捕捉剤（例えば、これらに限定されないが、化学化合物または生体分子）をビーズの表面に付着させることをさらに含んでもよい。作製したビーズの表面上のエポキシ基を修飾して、種々の化学化合物または生体分子に付着しやすくしてもよい。ビーズに付着するための適切な生体分子としては、ＤＮＡ分子、ＤＮＡアナログ分子、ＲＮＡ分子、ＲＮＡアナログ分子、アミノ酸、ヌクレオチド、タンパク質、酵素、脂質、リン脂質、炭水化物部分、多糖、抗原、ウイルス、細胞、抗体、小分子化学化合物、または抗体断片が挙げられるが、これらに限定されない。さらに、任意の適当な化学化合物は、例えば、複数メンバーの化学ライブラリーの個々の成分を含む、ビーズの表面に付着することができる。他の実施形態では、１つ以上の生体分子または化学化合物は、ビーズの表面に物理的に吸着することができる。いくつかの実施形態では、化学化合物または生体分子とビーズの間の付着連結は、共有結合であり得る。他の実施形態では、化学化合物または生体分子とビーズの間の付着連結は、非共有結合であり得、これらに限定されないが、塩橋または他のイオン結合、１つ以上の水素結合、疎水性相互作用、ファンデルワールス力、ロンドン分散力、機械的結合、１つ以上のハロゲン結合、金原子同士の親和性、インターカレーション、またはスタッキングを含む。
【０１２１】
非限定的な一実施形態では、カルボニル基は、β−アラニンなどのアミノ酸と反応させることで、エポキシポリマービーズの表面上に導入され得る。次いで、これらのカルボキシル官能性を使用して、任意の化学化合物または生体分子のアミノ基と共有結合を形成することができる。別の非限定的な実施形態では、ビーズの表面上のエポキシ基をシスタミンで処理した後、ジチオスレオニン（ＤＴＴ）を用いて還元させることができる。これにより、任意の化学化合物または生体分子のスルフヒドリル基とジスルフィド結合を形成するために利用可能になる遊離チオールが得られる。別の非限定的な実施形態では、ポリマー表面は、エポキシポリマーを過剰のエチレンジアミンと反応させることで、遊離アミンで修飾することができる。得られた遊離アミノ基は、カルボキシル基を介して化学化合物または生体分子に付着する。さらに別の非限定的な実施形態では、表面上のエポキシドを加水分解して、ヒドロキシル基を形成してもよい。これらの高密度ヒドロキシル基は、次いで、種々のシロキサンでシラン化することができる。シラン化は、広大な様々な種類の表面を生成するために化学工業において広く使用されており、多くのタイプのシラキサンが市販され、当該技術分野で公知である。したがって、シラン化を使用して、本明細書に記載されるビーズ組成物の表面に化学化合物または生体分子を付着させるための多くの異なる表面を生成することができる。いくつかの実施形態では、タンパク質などの大きな生体分子は、１つ以上の塩橋または他のイオン結合、１つ以上の水素結合、疎水性相互作用、ファンデルワールス力、ロンドン分散力、機械的結合、１つ以上のハロゲン結合、金原子同士の親和性、インターカレーション、またはタンパク質とビーズの表面特性の間のスタッキングを含むがこれらに限定されない１つ以上の非共有結合の形成による物理吸着によって、ビーズに付着することができる。物理吸着による付着は、いずれの化学反応を必要とせず、例えば、イムノアッセイの固相の調製において使用されることが多い。
【０１２２】
コンビナトリアル化学ライブラリーとは、小型のサブユニットまたはモノマーを含む複数の種の化合物のコレクションである。コンビナトリアルライブラリーは、数百〜数十万の異なる種の化学化合物の範囲の様々なサイズに収まる。ペプチド、炭水化物、オリゴヌクレオチド、及び有機低分子などの化合物を含む、オリゴマーライブラリー及びポリマーライブラリーを含む、種々のライブラリーの種類もまた存在する。このようなライブラリーは、固定化及びクロマトグラフィーによる化学化合物の分離、並びにアクセプター分子に結合するか、または対象の生物学的活性を媒介することが可能なリガンドを同定し、特徴づけるための使用など、種々の使用がなされる。
【０１２３】
固相支持体上で化合物のライブラリーを合成するための種々の技術が、当該技術分野で公知である。固相支持体は、サブユニットまたはモノマーと結合して、ライブラリーの化合物を形成するように官能化された表面を伴うポリマー対象であることが典型的である。１つのライブラリーの合成は、多数の固相支持体を伴うことが典型的である。
【０１２４】
コンビナトリアルライブラリーを作製するには、固相支持体を、化合物の１つ以上のサブユニットと反応させ、注意深く制御された所定の化学反応の連鎖において、１つ以上の数の試薬と反応させる。言い換えれば、ライブラリーのサブユニットを、固相支持体上で「成長させる」。ライブラリーが大規模になるほど、要求される反応の数が増大することから、ライブラリーを構成する化合物の複数の種の化学組成を追跡し続ける作業が複雑化する。したがって、多数の化学化合物の効率的な生産を容易にしつつ、化合物を作製するのに必要な多くの反応工程にわたって化合物を便利に追跡することができる方法及び装置を有することが重要である。
【０１２５】
本開示の組成物のビーズ（例えば、ポリマービーズ）は、固体支持体上で実行し得る任意の種類の化学反応に適応可能である。このような化学反応は、ブタジエンのトラッピングを含む２＋２付加環化；イソキサゾリン、フラン、及び修飾ペプチドの合成を含む［２＋３］付加環化；ジオール、アルデヒド、及びケトンの固定化を含むアセタール形成；アルデヒドの誘導体化、プロパンジオールの合成を含むアルドール縮合；アルデヒドの誘導体化を含むベンゾイン縮合；ベンゾジアゼピン及びヒダントイン、チアゾリジン、ターン模倣体、ポルフィリン、フタロシアニンを含む環化縮合；ジエステルの環化を含むディークマン環化；アクリル酸の誘導体化を含むディールス−アルダー反応；アルコールのアルケンへの付加を含む求電子付加；アルデヒドの誘導体化を含むグリニャール反応；二置換アルケンの合成を含むヘック反応；インサイチュにおけるニトリルオキシドの合成（２＋３付加環化を参照されたい）を含むヘンリー反応；フェロモン及びペプチドの合成を含む接触水素化（アルケンの水素化）；スルファニルケトン、ビシクロ［２．２．２］オクタンの合成を含むマイケル反応；アリールエーテル、ペプチジルホスホネート、及びチオエーテルの合成を含む光延反応；キノロンの合成を含む求核芳香族置換；アルデヒド及びケトンの合成を含む酸化；ペンチノールを伴うノルボルナジエンの環化を含むポーソン−カンド付加環化；ヘリセンの合成を含む光化学環化；アルデヒド及びアシルクロリドの誘導体化を含む、有機金属化合物を伴う反応；カルボニル、カルボン酸、エステル、及びニトロ基の還元を含む、錯体ヒドリド及びスズ化合物を伴う還元；カルボキシル基の還元を含むそ合（Ｓｏａｉ）反応；ビフェニル誘導体の合成を含むスティル反応；置換シクロヘキサノンの合成を含むストーク反応；キノロンの合成を含む還元アミノ化；フェニル酢酸誘導体の合成を含む鈴木反応；並びにアルデヒド、フェロモン、及びスルファニルケトンによる反応を含むウィティッヒ−ホルナー反応を含むが、これらに限定されない。
【０１２６】
化学ライブラリーの合成並びに個々の固相支持体上のそれらのライブラリーの個々の化合物（例えば、本明細書に開示されるものなどのポリマービーズ組成物）のデコンボリューションについて開示する参考文献は、米国特許出願第２００９／００３２５９２号；Ｎｅｅｄｅｌｓ  ｅｔ  ａｌ．，（１９９３）、Ｐｒｏｃ．Ｎａｔｌ．Ａｃａｄ．Ｓｃｉ．ＵＳＡ  ９０：１０７００−１０７０４；国際特許出願公開第ＷＯ９７／１５３９０号において見出すことができ、これらの各々の開示は、それら全体を参照することによって本明細書に組み込まれる。
【０１２７】
Ｂ．複数のビーズのうちの１つのビーズの同定方法
本明細書で提供されるのは、本明細書に記載される複数のビーズ組成物から単一ビーズを同定する方法である。マルチプレックススクリーニングアッセイに対して本明細書に記載されるビーズ組成物を用いる場合、捕捉剤（例えば、公知の化学化合物（例えば、コンビナトリアル化学ライブラリーの個々のメンバー）または公知の生体分子）に付着した個々のビーズは、組成物中の各ビーズと関連付けられた固有のアナログコード識別子により同定することができる。他の実施形態では、複数のビーズ（例えば、ポリマービーズ）中の少なくとも１つのビーズと関連付けられたアナログコード識別子は、イメージングプロセッサーによってデコードし、実施されているアッセイそれ自体には厳密には関連していない他の情報源を同定することができる。これらには、アッセイの同一性、複数のビーズの製造ロット、または位置識別子が含まれ得るが、これらに限定されない。別の実施形態では、複数のビーズ中のビーズと関連付けられたさらなる識別子は、イメージングプロセッサーの較正のために予め標識することができる。他の実施形態では、複数のビーズ中のビーズと関連付けられた識別子は、イメージングプロセッサーによってデコードし、上述のものなどの２つ以上のタイプの情報を同定することができる。
【０１２８】
したがって、一態様では、単一ビーズは、複数のビーズを含む組成物を、個々のビーズの幅の２倍未満の幅を含むコンジットに注入することによって同定することができ、組成物中の各ビーズは、実質的に同一なサイズ及び形状のものであり、少なくとも１つの（例えば、少なくとも１つ、２つ、３つ、または４つ）固有のアナログコード識別子を含み、識別子を同定する工程が続く。
【０１２９】
１．コンジット
いくつかの態様では、本明細書に記載される方法は、複数のビーズの組成物、例えば、本明細書に記載されるものをイメージングプロセッサーに個別にガイドするかまたは送り込むコンジットを利用することができる。コンジットは、１つだけのビーズがイメージングプロセッサーとどの時点においても相互作用することができるように構築することができる。一実施形態では、コンジットは、（ｉ）第１の端部で大きな開口部、及び（ｉｉ）第２の端部で小さい開口部を有し得る。別の実施形態では、コンジットは、その最も広い寸法で、個々のポリマービーズの幅の２倍未満の幅を有し得る。いくつかの実施形態では、コンジットは、複数のビーズ、例えば、本明細書に記載されるもののコンジットへの注入を可能にするのに十分な大きさの第１の端部を有し得る。いくつかの実施形態では、複数のビーズの注入を可能にするのに十分な大きさの第１の端部は、第２の端部よりも低い高度で位置し、複数のビーズ組成物を重力に対して上向きに流れさせる。
【０１３０】
コンジットの横方向の形状は、実質的に同一なサイズ及び形状の複数のビーズの形状、例えば、コンジットに注入される本明細書に記載される組成物を収容するに十分な任意の形状であり得る。したがって、コンジットの横方向の形状は、正方形、円形、長方形、三角形、卵形、または本明細書に記載されるビーズと十分に同一な任意の他の形状であり得るが、これらに限定されない。
【０１３１】
コンジットは、鋼、非鉄金属（例えば、アルミニウム、銅、錫、及びその合金）、プラスチック材料（例えば、ＰＥ、ＰＰ．ＰＶＣ、ＡＢＳ）、またはプラスチック（ＧＲＰ）、またはガラス、繊維セメント、もしくはセラミックなどの他の材料を含むがこれらに限定されない任意の適当な材料から作製され得る。
【０１３２】
コンジットは、イメージングプロセッサーの近くに位置し、イメージングプロセッサーが、イメージングプロセッサー近くを通過するビーズと関連付けられた１つ以上の識別子を同定することを可能にする。いくつかの実施形態では、コンジットは、イメージングプロセッサーから約３００ｍｍ以下に位置することができる。いくつかの実施形態では、コンジットは、イメージングプロセッサーから約２００〜３００ｍｍまたは約１００〜２００ｍｍ（それらの数値を含む）に位置することができる。他の実施形態では、コンジットは、イメージングプロセッサーから約９０ｍｍ、約８０ｍｍ、約７０ｍｍ、約６０ｍｍ、約５０ｍｍ、約４０ｍｍ、約３５ｍｍ、約３０ｍｍ、約２５ｍｍ、約２０ｍｍ、約１５ｍｍ、約１４ｍｍ、約１３ｍｍ、約１２ｍｍ、約１１ｍｍ、約１０ｍｍ、約９ｍｍ、約８ｍｍ、約７ｍｍ、約６ｍｍ、約５ｍｍ、約４ｍｍ、約３ｍｍ、約２ｍｍ、約１ｍｍ、０．９ｍｍ、０．８ｍｍ、０．７ｍｍ、０．６ｍｍ、０．５ｍｍ、０．４ｍｍ、０．２ｍｍ、または０．１ｍｍ（それらの数値を含む）（これらの数の間の任意の値を含む）に位置することができる。別の実施形態では、コンジットは、イメージングプロセッサーから約０．５ｍｍ〜約１ｍｍに位置することができる。
【０１３３】
２．コード化パターンリーダー
Ａ．マイクロ流体ベースのイメージングプロセッサー
本開示の別の態様では、マイクロ流体装置は、イメージングプロセッサーと組み合わせて使用され、コード化パターンまたはビーズ（例えば、本明細書に開示されるビーズのいずれか）と関連付けられたコード化パターンの組み合わせをデコードすることができる。マイクロ流体装置は、コード化ビーズをガイドして、一度に１つずつ前進させて、イメージングプロセッサーと関連付けられたデコードゾーンを通過するようにサイズ調整され、構成された、マイクロ流路などのコンジットを含む。デコードゾーンは、その上に画像によって表されるコードをデコードするために各コード化ビーズを介して透過光のパターンを検出するコード検出器（例えば、光スキャナー、ＣＣＤセンサーなど）を含む。マイクロ流体装置のコンジットは、コード化ビーズの特定の断面がコンジットの断面と整列されている場合に、コード化ビーズを受け取り、コード化ビーズを通過させるようにサイズ調整されて形作られる幾何学を有する内部断面を有することで、デコードゾーンに対して特定の配向でコード化ビーズを提示する。一実施形態では、コンジットの内部断面の幾何学は、コード化ビーズの最小断面がコンジットと整列されている（例えば、コード化ビーズの長軸がコンジットの軸と整列されている）場合に、コード化ビーズを受け取り、コード化ビーズを通過させるようにサイズ調整されて形作られる。マイクロ流体装置は、コード化ビーズのデコーディングを並列チャネルで提供するための２つ以上のコンジットを含み得る。
【０１３４】
デコードゾーンに対して位置決めされた、イメージングプロセッサーと関連付けられたデコードシステムは、光源及び光学センサーを含む。一実施形態では、光源は、２００ｎｍ、２５０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、または９００ｎｍの波長（それらの数値を含む）（これらの値の間の波長を含む）のいずれかでのダイオードレーザーであり得る。別の実施形態では、デコードシステムは、対物レンズ（例えば、５ｘ、１０ｘ、１５ｘ、２０ｘ、２５ｘ、３０ｘ、３５ｘ、４０ｘ、４５ｘ、５０ｘ、５５ｘ、６０ｘ、６５ｘ、７０ｘ、７５ｘ、８０ｘ、８５ｘ、９０ｘ、９５ｘ、または１００ｘの対物レンズ（それらの数値を含む）、これらの数の値の任意の数を含む）を有する。別の実施形態では、光学センサーは、高速光子検出器であり得、デジタル読み出し電子回路を含む。あるいは、面光源（例えば、十分な大きさのスポットサイズを有するレーザービーム）を使用して、光を投影し、ビーズのコード化パターンの全域を同時にカバーすることができ、ＣＣＤセンサーなどの面光学センサーを使用して、コード化パターン全体及びそこを介して透過した光を同時にイメージングすることができる。あるいは、ラインスキャンカメラを光学センサーに使用することができる。
【０１３５】
イメージングプロセッサーと関連付けられたデコードゾーンをビーズが通過すると、レーザーからの光が透過し、光子検出器によって光強度が検出され、閾値検出を用いて、１及び０に直接変換される。ビーズ上のスリットの位置は、ビットのどちらが最下位ビット（ＬＳＢ）及び最上位ビット（ＭＳＢ）であるかを決定する。いくつかの実施形態では、密閉コンジット中のビーズのわずかな配向変化は、光学検出及びその後のデコーディングの効率に大きな影響を与えない。
【０１３６】
さらなる実施形態では、イメージングプロセッサーは、サンプル中の分析物とビーズの表面に固定化された捕捉剤の間で起こった反応の結果を検出するための反応検出システム（例えば、蛍光検出器、吸着検出器、または化学発光検出器）も含み得る。いくつかの実施形態では、信号発信エンティティを使用して、分析物と捕捉剤の間の陽性または陰性反応、及び反応検出システムによって検出された信号発信エンティティから発信された信号を検出することができる。信号発信エンティティは、蛍光標識、化学発光標識または他の発光標識、吸着標識、または放射性標識であり得るが、これらに限定されない。したがって、例えば、蛍光信号発信エンティティを採用する構成では、反応検出システムは、蛍光材料を活性化するために適当な波長で光を生成する光源、並びに光学的に透明な検出ウィンドウを介して光源を向けて、サンプル細胞中の材料を観察するためのオプティクスを含み得る。光源は、１つ以上の適当な波長を提供する任意の数の光源であり得、例えば、レーザー、レーザーダイオード、及びＬＥＤが挙げられる。他の光源は、他の検出システムで使用され得る。例えば、広帯域光源は、光散乱／透過率検出方式などで採用され得る。
【０１３７】
いくつかの態様では、本明細書に記載されるビーズのいずれかは、磁性であり得る。一実施形態では、電磁石を使用して、ビーズを一時的に固定化し、イメージングプロセッサーによってビーズと関連付けられた１つ以上のコード化パターンをデコードすることができる。
【０１３８】
Ｂ．画像処理方法によるアナログコードのデコーディング
いくつかの実施形態では、方法は、アナログ形状認識を用いて、第１のアナログコード及び第２のアナログコードをデコードし、第１のビーズ及び第２のビーズを同定することを含む。概念的には、デコードすることは、（例えば、溶液またはサンプル中の）各ビーズのアナログコードをイメージングすること、アナログコードのライブラリーに対する各画像を比較すること、各画像をライブラリーからの画像とマッチングさせることによって、コードを積極的に同定することを含み得る。必要に応じて、本明細書に記載される通り、配向インジケーター（例えば、非対称性）を含むビーズを用いる場合、デコードすることは、各画像を回転させて、特定の配向（例えば、一部、配向インジケーターに基づく）に整列させる工程をさらに含んでもよい。例えば、配向インジケーターが間隙を含む場合、画像は、間隙が所定の位置または配向（例えば、画像の０°位置）に到達するまで回転することができた。
【０１３９】
種々の形状認識ソフトウェア、ツール、及び方法が、当該技術分野で公知である。そのようなＡＰＩ及びツールの例としては、Ｍｉｃｒｏｓｏｆｔ（登録商標）Ｒｅｓｅａｒｃｈ  ＦａｃｅＳＤＫ、ＯｐｅｎＢＲ、ＲｅＫｏｇｎｉｔｉｏｎからの顔及びシーン認識、Ｂｅｔａｆａｃｅ  ＡＰＩ、及び種々のＩｍａｇｅＪ  ｐｌｕｇｉｎｓが挙げられるが、これらに限定されない。いくつかの実施形態では、アナログ形状認識は、前景抽出、形状検出、閾値化（例えば、自動またはマニュアル画像閾値化）などの画像処理工程を含み得るが、これらに限定されない。
【０１４０】
当業者であれば、方法及び本明細書に記載されるビーズが、顕微鏡、プレートリーダーなどを含むがこれらに限定されない種々のイメージングデバイスに適応され得ることが分かるであろう。いくつかの実施形態では、アナログコードをデコードすることは、第１及び第２のビーズ及び／または周囲溶液の実質的に透明な部分（例えば、実質的に透明なポリマー層（複数可））に光を通過させることで第１及び第２のビーズを照射することを含み得る。その後、光は、第１及び第２のビーズの実質的に非透明な部分（例えば、実質的に非透明なポリマー層（複数可））を通過し損ねてもよく、または低強度もしくは他のかなりの違いで通過して、第１のビーズに対応する第１のアナログコード光パターン、及び第２のビーズに対応する第２のアナログコード光パターンを生成してもよい。
【０１４１】
上述のように、明視野、暗視野、位相コントラスト、差干渉コントラスト（ＤＩＣ）、ノマルスキー干渉コントラスト（ＮＩＣ）、ノマルスキー、ホフマン調節コントラスト（ＨＭＣ）、または蛍光学顕微鏡法のうちの１つ以上を含むがこれらに限定されない任意のタイプの光学顕微鏡法を、本開示の方法に使用してもよい。ある特定の実施形態では、アナログコードは、明視野顕微鏡法を用いてデコードされ得、分析物（複数可）は、蛍光学顕微鏡法を用いて検出され得る。
【０１４２】
いくつかの実施形態では、アナログコードをデコードすることは、第１のアナログコード光パターンをイメージングして、第１のアナログコード画像を生成すること、及び第２のアナログコード光パターンをイメージングして、第２のアナログコード画像を生成することをさらに含んでもよい。すなわち、撮像された光のパターンは、ビーズの実質的に透明／実質的に非透明な領域のパターンに対応するため、アナログコードの画像を生成し得る。このイメージングは、画像を捕捉すること、画像を閾値化すること、及びアナログコードのより正確、精密、または堅牢なイメージングを達成するために望まれる任意の他の画像処理工程を含むがこれらに限定されない工程を含み得る。
【０１４３】
いくつかの実施形態では、アナログコードをデコードすることは、アナログ形状認識を使用して、第１のアナログコード画像を第１のアナログコードとマッチさせること、及び第２のアナログコード画像を第２のアナログコードとマッチさせることをさらに含んでもよい。いくつかの実施形態では、画像は、例えば、画像と原型アナログコード画像の間の所定のずれ量またはミスマッチを許容する所定の閾値内で、アナログコード（例えば、各画像ファイルが固有の二次元形状／アナログコードに対応する画像ファイルのライブラリーからの画像ファイル）とマッチさせ得る。そのような閾値は、経験的に決定してもよく、当然のことながら、アナログコードに使用される特定のタイプの二次元形状、及び一連の潜在的な二次元形状の間の変動の度合いに基づいてもよい。
【０１４４】
３．ビーズ蛍光検出
陽性蛍光信号がイメージングプロセッサーによって検出される場合、それは、陽性反応を示す。いくつかの実施形態では、イメージングプロセッサーの反応検出器は、光源、光学フィルター、及び検出器を含む。光源の選択は、アッセイで使用され、かつ、ビーズの表面に固定化された捕捉剤の識別子として使用されたフルオロフォアまたは複数のフルオロフォアに依存する。例えば、赤色ダイオードレーザー（６６５ｎｍ）、及びコンパクトアルゴンレーザー（４８８ｎｍ）またはヘリウムレーザーは、Ｐｉｃｏｇｒｅｅｎ及びＣｙ５．５フルオロフォアの光源であり得る。光学フィルターは、蛍光で混合される反射励起光を除去することができる（例えば、Ｐｉｃｏｇｒｅｅｎ：５２５ｎｍフィルター及びＣｙ５．５：６９４ｎｍフィルター）。Ｃｙ３及びＣｙ５は、一般的に使用される蛍光色素であり；それぞれ、緑色光（５３０ｎｍ）及び赤色光（６３５ｎｍ）で励起される。蛍光強度は、検出器として光電子増倍管で一般的に測定される。
【０１４５】
別のさらなる実施形態では、イメージングプロセッサーは、サンプル中の分析物とビーズの表面に固定化された捕捉剤の間で起こった反応の結果を検出するための反応検出システム（例えば、蛍光検出器、吸着検出器、または化学発光検出器）も含み得る。いくつかの実施形態では、信号発信エンティティを使用して、分析物と捕捉剤の間の陽性または陰性反応、及び反応検出システムによって検出された信号発信エンティティから発信された信号を検出することができる。信号発信エンティティは、蛍光標識、化学発光標識または他の発光標識、吸着標識、または放射性標識であり得るが、これらに限定されない。したがって、例えば、蛍光信号発信エンティティを採用する構成では、反応検出システムは、蛍光材料を活性化するために適当な波長で光を生成する光源、並びに光学的に透明な検出ウィンドウを介して光源を向けて、サンプル細胞中の材料を観察するためのオプティクスを含み得る。光源は、１つ以上の適当な波長を提供する任意の数の光源であり得、例えば、レーザー、レーザーダイオード、及びＬＥＤが挙げられる。他の光源は、他の検出システムで使用され得る。例えば、広帯域光源は、光散乱／透過率検出方式などで採用され得る。
【０１４６】
いくつかの態様では、本明細書に記載される組成物のいずれかのビーズは、磁性であり得る。一実施形態では、電磁石を使用して、ビーズを一時的に固定化し、蛍光を検出することができる。
【０１４７】
４．個々のビーズの同一性を供給するための機械読み取り可能なフォーマット
本明細書に提供される方法のいくつかの態様では、本明細書に開示されるビーズのいずれかと関連付けられた固有のアナログコード識別子のいずれかは、イメージングプロセッサー（例えば、本明細書に記載されるイメージングプロセッサーのいずれか）、及び記憶媒体を読み込むためのシステムを介してアクセス可能な固定またはデータ記憶媒体上で記憶される同定に対応するデータによって同定することができる。他の態様では、イメージングプロセッサーは、ビーズの表面上に固定化された捕捉剤への分析物の結合、及び記憶媒体を読み込むためのシステムを介してアクセス可能な固定またはデータ記憶媒体上で記憶される検出反応に対応するデータを分析することによって、サンプル（例えば、生物試料）中の分析物の結合を検出するための反応検出システムをさらに含む。アナログコード識別子は、例えば、ビーズの捕捉剤、または特定のアッセイ／アッセイキット、特定の分析物、製造ロット、個人、位置識別子、または較生信号を同定し得る。例えば、アナログコード識別子を用いて、イメージングプロセッサーは、複数のビーズの各ビーズ上の捕捉剤を同定し、異なるビーズの別のアナログコード識別子を用いて、特定のアッセイまたはアッセイキット、特定の分析物、製造ロット、個人、位置識別子、または較生信号のうちの１つ以上を同定し得る。いくつかの実施形態では、ビーズの捕捉剤の同定は、１つ以上の測定、例えば、サンプル中の分析物の捕捉剤への結合を検出することと関連付けられ得る。
【０１４８】
いくつかの実施形態では、例えば、データ記憶媒体を読み取るシステムは、中央演算処理デバイス（「ＣＰＵ」）を含むコンピューター、例えば、ＲＡＭ（ランダムアクセスメモリー）または「コア」メモリーであり得るワーキングメモリー、大容量記憶メモリー（例えば、１つ以上のディスクドライブまたはＣＤ−ＲＯＭドライブ）、１つ以上のディスプレイデバイス（例えば、ブラウン管（「ＣＲＴ」）ディスプレイ、発光ダイオード（「ＬＥＤ」）ディスプレイ、液晶ディスプレイ（「ＬＣＤ」）、エレクトロルミネセンスディスプレイ、真空蛍光ディスプレイ、電界放出ディスプレイ（「ＦＥＤ」）、プラズマディスプレイ、映写パネルなど）、１つ以上のユーザー入力デバイス（例えば、キーボード、マイクロホン、マウス、タッチスクリーンなど）、１つ以上の入力ライン、及び１つ以上の出力ラインを含み得、これらの全ては、従来の双方向性システムバスによって相互接続される。システムは、独立型のコンピューターでもよく、あるいは他のシステム（例えば、コンピューター、ホスト、サーバーなど）にネットワークで接続され得る（例えばローカルエリアネットワーク、広域ネットワーク、イントラネット、エクストラネット、またはインターネットを介して）。システムは、家庭用電化製品または電気器具などのコンピューターに制御されるさらなるデバイスを含み得る。
【０１４９】
入力ハードウェアは、入力ラインによってコンピューターと結合され得、また、様々な方法で実装され得る。本開示の機械読み取り可能なデータは、電話回線または専用データ回線によって接続された１つ以上のモデムの使用を介して入力され得る。代替または付加物として、入力ハードウェアは、ＣＤ−ＲＯＭドライブまたはディスクドライブを含み得る。ディスプレイ端末と組み合わせて、キーボードも入力デバイスとして使用できる。
【０１５０】
出力ハードウェアは、出力ラインによってコンピューターと結合され得、また、同様に従来のデバイスによって実装され得る。一例として、出力ハードウェアは、ＱＵＡＮＴＡなどのプログラムを用いて、本開示の活性部位の図形表現を表示するディスプレイデバイスを含み得る。出力ハードウェアは、さらに、ハードコピー出力を産生できるようにプリンターも含んでもよく、あるいは、後で使用するためにシステム出力を保存するディスクドライブを含み得る。
【０１５１】
本開示で有用な機械読み取り可能な記憶デバイスには、磁気デバイス、電気デバイス、光学デバイス、及びこれらの組み合わせが含まれるが、これらに限定されない。そのようなデータ記憶デバイスの例としては、ハードディスクデバイス、ＣＤデバイス、デジタル映像ディスクデバイス、フロッピーディスクデバイス、リムーバブルハードディスクデバイス、光磁気ディスクデバイス、磁気テープデバイス、フラッシュメモリーデバイス、バブル記憶素子、ホログラフィー記憶デバイス、及び他のいかなる大容量記憶周辺デバイスが挙げられるが、これらに限定されない。これらの記憶デバイスは、必要なハードウェア（例えば、ドライブ、制御デバイス、電源など）、並びにデータの記憶を可能にするのに必要な任意の媒体（例えば、ディスク、フラッシュカードなど）も含むものと理解するべきである。
【０１５２】
当業者であれば、データ通信またはデータ保存するための任意の他の方法または技術が、機械読み取り可能なフォーマットで個々のポリマービーズからＲＦＩＤチップによって送信された固有の同定コードを提供することも考えられることが分かるであろう。
【０１５３】
Ｃ．マルチプレックスアッセイの実施方法
本明細書で提供されるのは、本明細書に記載されるビーズを用いて、マルチプレックス生物学的または化学アッセイの実施方法である。ビーズは、官能基化し、１つ以上の分析物（例えば、これらに限定されないが、サンプル（例えば、生物試料）中の化学化合物または生体分子）に特異的に結合する固有の捕捉剤と結合することができる。複数の捕捉剤は、単一組成物内の複数のビーズに官能基化することができる。しかしながら、各捕捉剤は、各個々のビーズと関連付けられたアナログコード識別子に基づいて、イメージングプロセッサーによって同定可能である。
【０１５４】
いくつかの態様では、複数の捕捉剤結合ビーズを、１つ以上の分析物を含むサンプルに添加した後、個々のビーズと関連付けられた識別子の同一性に基づいて、イメージングプロセッサーによって１つ以上の捕捉剤を同定することができる。マルチプレックスアッセイは、ビーズの製造ロット数の同定、ビーズを使用するアッセイの同定、位置の同定、及び／または個人の同定を含むがこれらに限定されない特定の情報記憶の目的のための識別子（複数可）による、組成物中のさらなるビーズをさらに含んでもよい。組成物中のこれらのビーズ及び／またはさらなるビーズは、イメージングプロセッサーと関連付けられたイメージングプロセッサー及び／または反応検出システムを較正する目的のために識別子で標識することができる。
【０１５５】
いくつかの態様では、複数のビーズ中の個々のビーズ（例えば、本明細書に記載されるビーズ組成物のいずれかのビーズのいずれか）と関連付けられた識別子のいずれかに対応する情報は、コンピューターなどのメモリーにプログラムすることができる。本明細書で使用する場合、「メモリー」は、プログラム可能なメモリー、好ましくは、非揮発性メモリーを有するデータ記憶ユニット（または媒体）である。本明細書で使用する場合、「プログラミング」とは、特定の識別子に対応するデータまたは情報をメモリーに入力し、記憶するプロセスを指す。プログラムされるメモリーは、復元可能な情報を含むメモリーである。それは、メモリーへの書き込み及びメモリーからの読み出しに必要なまたは使用される任意の手段を含む。「コンピューター」は、識別子をコード化するために使用されるコードを特定する情報（すなわち、キー）でプログラムされているかまたはそれを含む機器である。この機器または該機器に接続されたものは、イメージングプロセッサーにプログラム情報及び信号を送信し、適当な信号を受信した際にイメージングプロセッサーから送信された情報を受信する。したがって、コンピューターは、イメージングプロセッサーに送信するための適当な信号を発生し、送信された信号も解釈し得る。例えば、コンピューターのメモリーの位置１，１に「１」が記憶されている場合、この対応する情報をイメージングプロセッサーから受信した際に、コンピューターは、捕捉剤に対応する識別子が、例えば、Ｎ末端にアラニンを含有するペプチド、有機基、有機分子、オリゴヌクレオチドであることを意味する、またはこの情報により予め判断されていたものが何であれそれを意味すると判断できる。別の実施形態では、この対応する情報をイメージングプロセッサーから受信した際に、コンピューターは、識別子が、製造ロットの同一性、位置識別子、または個人に対応する、またはこの情報により予め判断されていたものが何であれそれを意味すると判断できる。あるいは、コンピューターに送受信される情報を個人による適当な形態にコード化してもよい。いくつかの実施形態では、コンピューターは、リモートアクセシビリティ手段、例えば、インターネットによってアクセス可能なリモートコンピューターである。他の実施形態では、コンピューターは、外部ソース（例えば、これらに限定されないが、コンパクトディスク、ＣＤ−ＲＯＭ、またはインターネットを通じて得られるダウンロード可能なプログラム）によって提供される、ソフトウェアを介して識別子をコード化するように使用されるコードを特定するプログラム情報（すなわち、キー）である。
【０１５６】
他の態様では、イメージングプロセッサーは、サンプル（例えば、生物試料）中の分析物の結合を検出するための反応検出システムを含む。いくつかの実施形態では、反応検出システムは、複数のビーズ中のビーズの表面上に固定化された捕捉剤への分析物の結合を分析し、検出反応に対応するデータは、コンピューターに送信される。検出システムは、コンピューター、例えば、アナログ−デジタル変換器を介して、コンピューターに機能的にカップリングされ、検出された信号データをコンピューターに送信して、分析、記憶、データ操作、またはイメージングプロセッサーによって識別子の同定から得られた他の情報と統合することができる。コンピューターは、捕捉剤と関連付けられた識別子の同一性に関する情報を、反応検出システムによって検出される、捕捉剤への分析物の結合に関する情報と統合して、記憶することができる。別の実施形態では、コンピューターは、限定されないが、製造ロット、位置識別子、及び／または個人に対応するようにイメージングプロセッサーによって認識される識別子をもつ複数のビーズ（例えば、ポリマービーズ）内に存在する１つ以上のビーズから得られる情報と一緒に、捕捉剤と関連付けられた識別子の同一性に関する情報を、反応検出システムによって検出される、捕捉剤への分析物の結合に関する情報と統合して、記憶する。
【０１５７】
本開示の別の実施形態では、分析は多重化され、すなわち、各サンプルを分析するため、信号発信エンティティからの信号は、少なくとも２の対象分析物、少なくとも３の対象分析物、少なくとも４の対象分析物、少なくとも５の対象分析物、少なくとも１０の対象分析物、少なくとも１５の対象分析物、少なくとも２０の対象分析物、少なくとも２５の対象分析物、少なくとも３０の対象分析物、少なくとも３５の対象分析物、少なくとも４０の対象分析物、少なくとも４５の対象分析物、または少なくとも５０の対象分析物、またはそれ以上の対象分析物に対して、反応検出システムによって検出される。一実施形態では、データには、その後、例えば、最小二乗、最小絶対誤差など；及び／またはデータの変動を安定化し、バックグラウンド測定を考慮するモノトーン変換アルゴリズムを用いて、反復から得られたデータセット間の分散を考慮するエラーアルゴリズムの反復最小化を施す。固有識別子でコード化されたビーズの組成物を使用するための例示の方法を図１４に示す。
【０１５８】
したがって、本明細書で提供されるのは、以下の工程：ａ）アッセイシステム中でサンプルをビーズと接触させることであって、システム中の各ビーズは、（１）第１の表面及び第２の表面を有する実質的に透明なポリマー層であって、第１及び第２の表面は、互いに平行である実質的に透明なポリマー層；（２）実質的に非透明なポリマー層であって、実質的に非透明なポリマー層は、実質的に透明なポリマー層の第１の表面に固定され、かつ、実質的に透明なポリマー層の中央部分を囲み、実質的に非透明なポリマー層は、アナログコード識別子を表す二次元形状を含む実質的に非透明なポリマー層；を含み、システムは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、及び複数のビーズの各ビーズは、捕捉剤に対応するアナログコード識別子を含む、接触させること；及び任意の順序で、同時または順次：ｂ）イメージングプロセッサーによって認識される識別子を特定のアッセイとして同定すること；及びｃ）捕捉剤に対応するアナログコード識別子の同定に基づいて、ビーズの表面上に固定化された捕捉剤への分析物の結合を分析することによってサンプル中の分析物の結合を検出することを含む、マルチプレックスアッセイの実施方法である。
【０１５９】
いくつかの実施形態では、システムは、（ｉｉｉ）少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、システムは、（ｉｖ）イメージングプロセッサーによって認識される少なくとも１つのビーズを陽性または陰性対照としてさらに含む。いくつかの実施形態では、位置識別子は、病院、診断研究所、住所、ヘルスケア専門家のオフィス、またはリサーチ研究所に対応する。いくつかの実施形態では、システムは、（ｖ）イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体断片からなる群から選択される。いくつかの実施形態では、複数のビーズは、磁性または非磁性である。
【０１６０】
いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコードを配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコードは、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、：（６）第１の実質的に透明なポリマー層の第１の表面から突出している１つ以上の円柱であって、１つ以上の円柱は、第１の実質的に透明なポリマー層の中央部分内ではない１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない１つ以上の円柱、をさらに含む。いくつかの実施形態では、ビーズは、実質的に��形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【０１６１】
本開示の他の態様は、以下の工程：ａ）アッセイシステム中でサンプルをビーズと接触させることであって、システム中の各ビーズは、第１の表面及び第２の表面を有する実質的に非透明なポリマー層を含み、第１及び第２の表面は、互いに平行であり；実質的に非透明なポリマー層の輪郭は、アナログコード識別子を表す二次元形状を含み；システムは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、及び複数のビーズの各ビーズは、捕捉剤に対応するアナログコード識別子を含む接触させること；及び任意の順序で、同時または順次：ｂ）イメージングプロセッサーによって認識される識別子を特定のアッセイとして同定すること；及びｃ）捕捉剤に対応するアナログコード識別子の同定に基づいて、ビーズの表面上に固定化された捕捉剤への分析物の結合を分析することによってサンプル中の分析物の結合を検出することを含む、マルチプレックスアッセイの実施方法に関する。
【０１６２】
いくつかの実施形態では、システムは、（ｉｉｉ）少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、システムは、（ｉｖ）イメージングプロセッサーによって認識される少なくとも１つのビーズを陽性または陰性対照としてさらに含む。いくつかの実施形態では、位置識別子は、病院、診断研究所、住所、ヘルスケア専門家のオフィス、またはリサーチ研究所に対応する。いくつかの実施形態では、システムは、（ｖ）イメージングプロセッサーの機能を監視するために予め標識される少なくとも１つのビーズをさらに含む。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、及び抗体断片からなる群から選択される。いくつかの実施形態では、複数のビーズは、磁性または非磁性である。
【０１６３】
いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコードを配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコードは、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。いくつかの実施形態では、ビーズは、（６）第１の実質的に透明なポリマー層の第１の表面から突出している１つ以上の円柱であって、１つ以上の円柱は、第１の実質的に透明なポリマー層の中央部分内ではない１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない、１つ以上の円柱をさらに含む。いくつかの実施形態では、ビーズは、実質的に円��のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【０１６４】
ＶＩ．キット
さらなる態様では、本明細書で提供されるのは、ａ）ビーズセットであって、セット中の各ビーズは、第１の表面及び第２の表面を有する実質的に非透明なポリマー層を含み、第１及び第２の表面は、互いに平行であり；実質的に非透明なポリマー層の輪郭は、アナログコード識別子を表す二次元形状を含み；及びビーズセットは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、複数のビーズの各ビーズは、捕捉剤に対応するアナログコード識別子を含む、ビーズセット；及びｂ）分析物または捕捉剤に直接的または間接的に結合することが可能な信号発信エンティティを含む、マルチプレックスアッセイを実施するキットである。
【０１６５】
いくつかの実施形態では、信号発信エンティティは、信号発信エンティティにコンジュゲートされる二次抗体を介して、分析物または捕捉剤に間接的に結合する。いくつかの実施形態では、信号発信エンティティは、信号発信エンティティにコンジュゲートされるヌクレオチドプローブを介して、分析物または捕捉剤に間接的に結合する。いくつかの実施形態では、信号発信エンティティは、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である。
【０１６６】
いくつかの実施形態では、キットは、少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、キットは、（ｉ）特定のアッセイとしてイメージングプロセッサーによって認識される識別子を有する少なくとも１つのビーズを同定し、（ii）複数のビーズ上の識別子を同定し、（iii）信号発信エンティティによって生成された信号の量を検出し、（ｉｖ）イメージングプロセッサーによって認識される識別子を有する少なくとも１つのビーズを製造ロットとして同定し、（ｖ）イメージングプロセッサーによって認識される識別子を有する少なくとも１つのビーズを個人として同定し、（ｖｉ）イメージングプロセッサーによって認識される識別子を有する少なくとも１つのビーズを位置識別子として同定し、または（ｖｉｉ）イメージングプロセッサーの較正のために予め標識される少なくとも１つのビーズを同定するためのイメージングプロセッサーをさらに含む。いくつかの実施形態では、キットは、分析物または捕捉剤に直接的または間接的に結合することが可能なエンティティをさらに含み、エンティティは、親和性標識を含む。いくつかの実施形態では、キットは、イメージングプロセッサーの機能を監視するために予め標識される少なくとも１つのビーズをさらに含む。
【０１６７】
いくつかの実施形態では、親和性標識は、ビオチン、Ｈｉｓ６、またはマルトースである。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される。いくつかの実施形態では、複数のビーズは、磁性または非磁性である。
【０１６８】
いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコードを配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコードは、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。
【０１６９】
いくつかの実施形態では、ビーズは、（６）第１の実質的に透明なポリマー層の第１の表面から突出している１つ以上の円柱であって、１つ以上の円柱は、第１の実質的に透明なポリマー層の中央部分内ではない１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【０１７０】
本開示の他の態様は、ａ）ビーズセットであって、セット中の各ビーズは、第１の表面及び第２の表面を有する実質的に非透明なポリマー層を含み、第１及び第２の表面は、互いに平行であり；実質的に非透明なポリマー層の輪郭は、アナログコード識別子を表す二次元形状を含み；及びビーズセットは、（ｉ）特定のアッセイもしくはアッセイキット、特定の分析物、製造ロット、個人、位置識別子、または較生信号としてイメージングプロセッサーによって認識されるアナログコード識別子を有する少なくとも１つのビーズ、及び（ｉｉ）複数のさらなるビーズを含み、複数のビーズの各ビーズは、分析物に特異的に結合する捕捉剤を含み、捕捉剤は、実質的に透明なポリマー層の少なくとも中央部分において、実質的に透明なポリマー層の第１の表面及び第２の表面の少なくとも１つの上に固定化され、複数のビーズの各ビーズは、捕捉剤に対応するアナログコード識別子を含むビーズセット；及びｂ）分析物または捕捉剤に直接的または間接的に結合することが可能な信号発信エンティティを含む、キットに関する。
【０１７１】
いくつかの実施形態では、信号発信エンティティは、信号発信エンティティにコンジュゲートされる二次抗体を介して、分析物または捕捉剤に間接的に結合する。いくつかの実施形態では、信号発信エンティティは、信号発信エンティティにコンジュゲートされるヌクレオチドプローブを介して、分析物または捕捉剤に間接的に結合する。いくつかの実施形態では、信号発信エンティティは、フィコエリトリン、ＧＦＰ、ＲＦＰ、ＣＦＰ、ＹＦＰ、ＦＩＴＣ、ホースラディッシュペルオキシダーゼ、アルカリフォスファターゼ、または放射性標識である。
【０１７２】
いくつかの実施形態では、キットは、少なくとも２つのビーズ、少なくとも３つのビーズ、少なくとも４つのビーズ、少なくとも５つのビーズ、または少なくとも６つのビーズをさらに含み、各々は、特定のアッセイもしくはアッセイキット、特定の分析物、製造ロット、個人、位置識別子、または較生信号としてイメージングプロセッサーによって認識されるアナログコード識別子を有する。いくつかの実施形態では、キットは、（ｉ）特定のアッセイとしてイメージングプロセッサーによって認識される識別子を有する少なくとも１つのビーズを同定し、（ｉｉ）複数のビーズ上の識別子を同定し、（ｉｉｉ）信号発信エンティティによって生成された信号の量を検出し、（ｉｖ）イメージングプロセッサーによって認識される識別子を有する少なくとも１つのビーズを製造ロットとして同定し、（ｖ）イメージングプロセッサーによって認識される識別子を有する少なくとも１つのビーズを個人として同定し、（ｖｉ）イメージングプロセッサーによって認識される識別子を有する少なくとも１つのビーズを位置識別子として同定し、または（ｖｉｉ）イメージングプロセッサーの較正のために予め標識される少なくとも１つのビーズを同定するためのイメージングプロセッサーをさらに含む。いくつかの実施形態では、キットは、分析物または捕捉剤に直接的または間接的に結合することが可能なエンティティをさらに含み、エンティティは、親和性標識を含む。いくつかの実施形態では、キットは、イメージングプロセッサーの機能を監視するために予め標識される少なくとも１つのビーズをさらに含む。
【０１７３】
いくつかの実施形態では、親和性標識は、ビオチン、Ｈｉｓ６、またはマルトースである。いくつかの実施形態では、ビーズは、球形または長方形の形状を含む。いくつかの実施形態では、ビーズは、約３００μｍ未満の直径である。いくつかの実施形態では、ビーズの表面は、滑らかで、表面の凹凸がない。いくつかの実施形態では、ビーズの少なくとも１つの表面は、捕捉剤の化学的付着のための少なくとも１つの部位を含む。いくつかの実施形態では、捕捉剤は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、及び抗体断片からなる群から選択される。いくつかの実施形態では、複数のビーズは、磁性または非磁性である。
【０１７４】
いくつかの実施形態では、ビーズは、（３）実質的に非透明なポリマー層と実質的に透明なポリマー層の中央部分の間で実質的に透明なポリマー層の中央部分を囲む磁性の実質的に非透明な層をさらに含み、磁性の実質的に非透明な層は、実質的に透明なポリマー層の第１の表面または第２の表面に固定される。いくつかの実施形態では、ビーズは、（４）第１の実質的に透明なポリマー層と整列されている第２の実質的に透明なポリマー層であって、第２の実質的に透明なポリマー層は、第１の実質的に透明なポリマー層の中央部分と整列されている中央部分を有し、第２の実質的に透明なポリマー層は、第１の実質的に透明なポリマー層の第２の表面に固定され、かつ、第１の実質的に透明なポリマー層の二次元形状を超えて伸びない第２の実質的に透明なポリマー層；及び（５）実質的に非透明なポリマー層と実質的に透明なポリマー層の中央部分の間で第１の実質的に透明なポリマー層の中央部分を囲む磁性の実質的に非透明な層であって、磁性の実質的に非透明な層が、第１及び第２の実質的に透明なポリマー層の間に固定される、磁性の実質的に非透明な層をさらに含む。いくつかの実施形態では、ビーズは、実質的に非透明なポリマー層のアナログコードを配向するための配向インジケーターをさらに含む。いくつかの実施形態では、配向インジケーターは、磁性の実質的に非透明な層の非対称性を含む。いくつかの実施形態では、磁性の実質的に非透明な層は、ニッケルを含む。いくつかの実施形態では、磁性の実質的に非透明な層は、約５０ｎｍ〜約１０μｍの厚さである。いくつかの実施形態では、磁性の実質的に非透明な層は、約０．１μｍの厚さである。いくつかの実施形態では、実質的に非透明なポリマー層の二次元形状は、実質的に透明なポリマー層の中央部分を囲む１つ以上のリングを含み、１つ以上のリングの少なくとも１つは、不連続を含む。いくつかの実施形態では、実質的に非透明なポリマー層の二次元形状は、複数のギア歯を含むギア形状を含み、アナログコードは、複数のうちの１つ以上のギア歯の高さ、複数のうちの１つ以上のギア歯の幅、複数におけるギア歯の数、及び複数内の１つ以上のギア歯の配置からなる群から選択される１つ以上の態様によって表される。いくつかの実施形態では、複数のギア歯は、約１μｍ〜約１０μｍの幅である１つ以上のギア歯を含む。いくつかの実施形態では、複数のギア歯は、約１μｍ〜約１０μｍの高さである１つ以上のギア歯を含む。いくつかの実施形態では、複数のギア歯は、約１μｍ〜約１０μｍ離間している２つ以上のギア歯を含む。
【０１７５】
いくつかの実施形態では、ビーズは、（６）第１の実質的に透明なポリマー層の第１の表面から突出している１つ以上の円柱であって、１つ以上の円柱は、第１の実質的に透明なポリマー層の中央部分内ではない１つ以上の円柱；及び／または（７）第１の実質的に透明なポリマー層に固定されない第１の実質的に透明なポリマー層の第２の表面または第２の実質的に透明なポリマー層の表面から突出している１つ以上の円柱であって、１つ以上の円柱は、第１または第２の実質的に透明なポリマー層の中央部分内ではない、１つ以上の円柱をさらに含む。いくつかの実施形態では、ビーズは、実質的に円形のディスクである。いくつかの実施形態では、第１の実質的に透明なポリマー層の中央部分は、第１の実質的に透明なポリマー層の表面積の約５％〜約９０％を含む。いくつかの実施形態では、第１の実質的に透明なポリマー層の中央部分は、第１の実質的に透明なポリマー層の表面積の約２５％を含む。いくつかの実施形態では、ビーズは、約２００μｍ未満の直径である。いくつかの実施形態では、ビーズは、約５０μｍの直径である。いくつかの実施形態では、ビーズは、約５０μｍ未満の厚さである。いくつかの実施形態では、ビーズは、約１０μｍの厚さである。いくつかの実施形態では、分析物は、ＤＮＡ分子、ＤＮＡアナログ分子、ＲＮＡ分子、ＲＮＡアナログ分子、ポリヌクレオチド、タンパク質、酵素、脂質、リン脂質、炭水化物部分、多糖、抗原、ウイルス、細胞、抗体、小分子、細菌細胞、細胞器官、及び抗体断片からなる群から選択される。いくつかの実施形態では、第１または第２の実質的に透明なポリマー層の実質的に透明なポリマーは、エポキシ系ポリマーを含む。いくつかの実施形態では、エポキシ系ポリマーは、ＳＵ−８である。
【０１７６】
ＶＩＩ．システム
他の態様では、本明細書で提供されるのは、マルチプレックスアッセイシステムである。いくつかの実施形態では、システムは、本明細書に記載される複数のビーズ、例えば、本明細書で提供される組成物、方法、またはキットのいずれかで開示されるビーズのいずれかを含む。システムは、イメージングプロセッサーシステム及び反応検出システムを含む装置を含み、デコードシステムにおけるイメージングプロセッサーによって、特定のアッセイまたはアッセイキット、特定の捕捉剤、製造ロット、個人、位置識別子、及び／または較生信号のうちの１つ以上に対応するアナログコード識別子の同定により、特定のアッセイまたはアッセイキットと相関する反応検出システムによって検出されるソフトウェア分析検出信号の使用を活性化させる。
【実施例】
【０１７７】
本開示は、以下の実施例を参照してより完全に理解されるだろう。しかしながら、これらの実施例は、本開示の範囲を限定することを意図しない。本明細書に記載される実施例及び実施形態は、例示目的のみであり、これらの観点から種々の改変または変更は、当業者に示唆され、本明細書の趣旨及び範囲及び添付の特許請求の範囲内に含まれることが理解される。
【０１７８】
実施例１：二次元のアナログコード及び均一な形状をもつコード化ビーズ
上述のように、アナログコード化ビーズは、膨大な数の潜在的な固有識別子及び認証エラーの減少によりマルチプレックスアッセイに非常に有利である。この実施例では、同定用のアナログコードとして使用され得る二次元形状でコード化された種々のタイプのビーズについて述べる。本開示のコード化ビーズは、以下に記載される随意的な特徴のいくつかまたは全てを任意の組み合わせで含んでもよいことを理解されたい。
【０１７９】
図１Ａ及び１Ｂは、例示のビーズ１００の２つの図を示す。ビーズ１００は、おおよそ５０μｍの直径及び１０μｍの厚さの円形ディスクである。図１Ａは、ディスクの円形面を見たビーズ１００の図を提供する一方、図１Ｂは、図１Ａで示す表面と直交するビーズ１００の側面図を示す。ビーズ１００の２つの成分を示す。まず、実質的に透明なポリマー層１０２は、ビーズの本体を提供する。層１０２は、例えば、上述のようにＳＵ−８などのポリマーを用いて製造してもよい。
【０１８０】
実質的に非透明なポリマー層１０４は、層１０２の表面に固定される。図１Ｂに示すビーズ１００の断面は、層１０４の不連続な図を示す一方、図１Ａに示す図は、層１０４が複数の歯をもつ円形のギアのように形作られることを示す。これらのギア歯の形状、数、サイズ、及び間隔は、二次元形状を構成し、ギア歯のこれらの態様のうちの１つ以上は、アナログコード化用の複数の二次元形状を製造するために改変してもよい。好都合なことに、層１０４のギア歯の外縁部は、層１０２周囲長内に収まる。これにより、種々のアナログコードは、各々が１つの種のビーズに対して固有識別子を表す一方で、複数の種のビーズにわたって均一な全体形状を維持することが可能になる。別の言い方をすれば、複数の種の集団内の各ビーズ種は、異なる二次元ギア形状（すなわち、アナログコード）を有し得るが、各ビーズは、同じ周囲長を有する、物理特性（例えば、サイズ、形状、溶液中の挙動など）のより大きな均一性をもたらす。層１０４は、上述のように、例えば、色素と混合したＳＵ−８などのポリマーを用いて、またはブラックマトリックスレジストを用いて製造してもよい。
【０１８１】
層１０４は、層１０２の中央部分１０６を囲む。分析物を捕捉するための捕捉剤は、層１０２の一方または両方の面（すなわち、上／下面）上の少なくとも中央部分１０６に連結される。好都合なことに、これにより、中央部分１０６を、層１０４による干渉のあらゆる可能性なく撮像することが可能になる。
【０１８２】
図１Ｃ及び１Ｄは、分析物検出用のビーズ１００を用いた例示のアッセイを示す。図１Ｃは、ビーズ１００が、少なくとも中央部分１０６において１つ以上の表面に連結された捕捉剤１０８を含み得ることを示す。ビーズ１００を、分析物１１０を含有する溶液と接触させて、捕捉剤１０８によって捕捉させる。上述のように、種々の捕捉剤を使用して、小分子、核酸、及びタンパク質（例えば、抗体）から細胞小器官、ウイルス、及び細胞までの範囲の異なるタイプの分析物を捕捉し得る。図１Ｃは、分析物１１０を捕捉する単一ビーズ種（すなわち、ビーズ１００）を示すが、マルチプレックスアッセイでは、複数のビーズ種が使用され、各々の種は、特定の分析物を認識する特定の捕捉剤を有する。
【０１８３】
図１Ｄは、ビーズ１００を「読み取る」例示のプロセスを示す。このプロセスは、同時または別々に達成され得る２つの工程を含む。まず、捕捉剤１０８による分析物１１０の捕捉が検出される。図１Ｄに示す例では、検出剤１１４は、分析物１１０に結合する。ビーズ１００に連結された捕捉剤によって捕捉されない分析物は、検出前に洗い流されていてもよく、その結果、ビーズ１００に結合した分析物のみが検出される。検出剤１１４は、検出用の試薬も含む。一例として、検出剤１１４は、フルオロフォアの励起スペクトル内の波長で光１１６によって励起される場合、光１１８（例えば、光子）を発するフルオロフォアを含み得る。光１１８は、蛍光顕微鏡、プレートリーダーなどの任意の適当な検出手段によって検出され得る。
【０１８４】
さらに、ビーズ１００のその固有識別子を読み取る。図１Ｄに示す例では、光１１２を使用して、ビーズ１００を含むフィールドを照射する（いくつかの実施形態では、光１１２は、光１１６及び１１８とは異なる波長を有し得る）。ビーズ１００を含むフィールドに光１１２を照射する場合、光１１２は、図１Ｄに示すように、実質的に透明なポリマー層１０２を通過するが、実質的に非透明なポリマー層１０４によって遮断される。これにより光パターンが生成され、例えば、光学顕微鏡法によって（例えば、差干渉コントラスト、またはＤＩＣ、顕微鏡法を用いて）撮像することができる。この光パターンは、ビーズ１００の二次元形状（すなわち、アナログコード）に基づく。標準画像認識技術を使用して、ビーズ１００の画像によって表されたアナログコードをデコードし得る。
【０１８５】
分析物検出及び識別子イメージング工程は、任意の順序で、または同時に行われてよい。好都合なことに、図１Ｄに示す両方の検出工程は、１つのイメージングデバイス上で達成され得る。一例として、蛍光及び光（例えば、明視野）顕微鏡法の両方が可能な顕微鏡を使用して、ビーズ１００に結合した分析物１１０の（例えば、検出剤１１４によって検出された）量を定量化し、層１０２及び１０４によって生成されたアナログコードを撮像してもよい。これにより、より効率的なアッセイプロセスが、より少ない機器の要件で可能になる。
【０１８６】
次に図２Ａ及び２Ｂを参照すると、別の例示のビーズ２００を示す。ビーズ１００と同様、ビーズ２００は、実質的に透明なポリマー層２０２及び実質的に非透明なポリマー層２０４を含む。さらに、ビーズ２００は、磁性層２０６を含む。図２Ａに示すように、磁性層２０６は、中央部分２０８と実質的に非透明な層２０４の間のリングとして形成され得る。
【０１８７】
図２Ｂは、磁性層２０６を層２０２内に埋め込み得ることを示す。層２０２は、磁性層２０６が２つの実質的に透明なポリマー層（例えば、図２Ｂと同様）の間に挟まれるように２つ以上の層も含み得る。あるいは、磁性層２０６は、層２０４と同じ層２０２の表面に固定されてもよく、または磁性層２０６は、層２０４と反対の層２０２の表面に固定されてもよい。いくつかの実施形態では、磁性層２０６は、ニッケルを含み得る。
【０１８８】
磁性層２０６は、ビーズ２００の上に磁気特性を付与し、これにより多くの用途で有利に使用することができる。例えば、ビーズ２００は、洗浄工程中に磁気吸引によって表面に固定され得ることで、ビーズを失うかあるいは乱すことなく効率的な洗浄が可能になる。
【０１８９】
その磁気特性に加えて、層２０６は、実質的に非透明でもある。（例えば、光１１２を用いて）図１Ｄに示すように撮像された場合、層２０６は、透過光の一部または全てのいずれかを遮断することで、イメージング用のパターンを生成する。図２Ａに示すように、層２０６は、非対称でもあり、この例では、間隙２１０を含む。この非対称性は、例えば、光１１２を用いて図１Ｄに示すように撮像することができる配向インジケーターを生成する。好都合なことに、配向インジケーターは、画像認識中に利用して、イメージング層２０４によって生成された二次元形状を均一配向に配向させて、アナログコード認識を容易にし得る。これにより、デコードすべき任意の配向でビーズを撮像することが可能になる。
【０１９０】
図３は、図１Ａ〜２Ｂに示すギア形状を用いて可能な膨大な数の潜在的なアナログコードを示す。図３は、複数の形状変化点が、例示のビーズ３００上の、例えば、位置３０２、３０４、３０６、３０８、３１０、３１２、３１４、３１６、３１８、３２０、３２２、３２４、３２６、及び３２８で標識される例示のコード化方式を示す。単純な「満たされたかまたは満たされていない」方式を使用する場合であっても、最大で２１４個の固有コードが、１４個の形状変化点の使用に基づいて可能である。この方式は、画像認識分析において容易に区別が可能な二次元形状の製造及び生成の両方において便利である。しかしながら、アナログコードを使用するので、３つ以上の可能性（例えば、図３で標識した各形状変化点で）を用いたより複雑な方式が可能になることによって、固有識別子の数が指数関数的に拡大する。例えば、ギア歯の複数のギア歯形状及び／または複数のサイズが可能である。図１Ａ〜３に示すように二次元ギア形状は、広範囲の固有のアナログコードを容易にする一方、分析物検出用の大きな中央部分（例えば、中央部分１０６及び２０８）を提供する。
【０１９１】
図４Ａは、図３に示すコード化方式の３つの例示の実施形態：ビーズ４００、４０２、及び４０４を示す。ビーズ４００、４０２、及び４０４の固有コードは、図３の単純な「満たされたかまたは満たされていない」方式を用いて生成される。図４Ｂは、特に、形状の数（例えば、コードＺＮ＿１０の７つの明確な形状と比較して、コードＺＮ＿３の２つの明確な形状）及び／または形状のサイズ（例えば、コードＺＮ＿２の大、小、及び中間サイズ形状）という点で、コードの１０個の例示の実施形態を示す。重要なのは、上述のように、アナログ画像認識を用いて、より複雑なコード化方式が利用可能になることで、潜在的な固有コードの数を大きく拡大させる。
【０１９２】
次に図５Ａ及び５Ｂを参照すると、別の例示のビーズ５００を示す。ビーズ２００と同様、ビーズ５００は、実質的に透明なポリマー層５０２、実質的に非透明なポリマー層５０４、磁性層５０６、及び中央部分５０８を含む。さらに、ビーズ５００は、円柱５１０を含む４本の円柱を有し、これらは、層５０２の表面から延びる任意の形状であり得る。図５Ａに示すように、これらの円柱は、磁性層５０６と整列して配列され、中央部分５０８における分析物検出、または層５０４の二次元形状（すなわち、アナログコード）の読み取りに干渉する任意の可能性を防止し得る。図５Ｂは、これらの円柱が、ビーズ５００の上面及び下面から延び得ることを示す。円柱５１０は、例えば、層５０２と同じ実質的に透明なポリマーを用いて作製され得る（例示の製造方法は、以下に記載される）。好都合なことに、円柱５１０などの１つ以上の円柱を使用して、例えば、光学圧着を介して、ビーズが互いに付着する及び／または容器（例えば、マルチウェルプレートにおけるウェルの側部）に付着することを防止し得る。
【０１９３】
実施例２：ビーズ形状でコード化された二次元のアナログコードをもつビーズ
前述の実施例は、透明ポリマー層に固定された非透明層によってアナログコードが提供されるビーズの複数の例示の実施形態を示す。これは、例えば、異なる種のビーズ間のより大きな均一性が可能になる点で有利である（すなわち、各々は、透明ポリマー層によって提供される同じ周囲形状を有する）。
【０１９４】
しかしながら、これは、アナログコードの二次元形状としてビーズ自体の周囲長を使用する他の理由で有利であり得る。例えば、アナログコードがビーズ自体の形状によって提供される場合、一層のみが必要となるため、製造プロセスを効率化する。さらに、ビーズの周囲長を形作ることは、高精度の製造技術によって達成され得、より正確な画像認識のための再現性の高い形状が可能になる。
【０１９５】
図６Ａ及び６Ｂは、このタイプの例示のビーズ６００を示す。ビーズ６００は、（上述のように円柱５１０と類似の）随意的な円柱要素を含む、おおよそ８０μｍの直径及び１５μｍの高さのギア形状ディスクである。ビーズ６００は、別々の透明及び非透明ポリマー層ではなく単一の非透明ポリマー層６０２からなる。ビーズ６００は、図１Ｄに示すように撮像され得るが、そのアナログコードは、全体のビーズ形状（例えば、非透明ポリマー層の周囲長）に基づいて撮像される。ビーズ６００の一方または両方の面は、上述のように捕捉剤の連結のために使用され得、中央部分または全表面を使用し得る。
【０１９６】
図６Ｃは、ビーズ６００のギア歯６０４の寸法を示す。示すように、この実施形態では、ギア歯６０４は、４μｍの幅であり、隣接するギア歯６０６から４μｍ離間している。ビーズ６００の二次元形状はアナログコード化されるので、隣接するギア歯間の周囲長は可変であってもよく、複数のギア歯形状が可能になる。例えば、ギア歯６０４は、すぐ左またはすぐ右に隣接する周辺セグメントに対して、それぞれ、４または６．５μｍの高さで延びる。
【０１９７】
図７は、このタイプのビーズの別の実施形態、ビーズ７００を示す。ビーズ６００と同様、ビーズ７００は、非透明ポリマー層７０２から作られる。さらに、ビーズは、磁性層７０４を含む。磁性層７０４は、ビーズ７００の一面に固定され得、またはビーズ７００（例えば、２つの非透明ポリマー層の間）内に埋め込まれ得る。磁性層７０４は、例えば、ニッケルを堆積することによって生成され得る。上述のように、磁性層により、ビーズ７００の洗浄のためのオプションなどの追加機能性を可能にしながら、別の表面に磁気的に付着する。
【０１９８】
次に図８Ａを参照すると、別の例示のビーズ８００を示す。ビーズ７００と同様、ビーズ８００は、非透明ポリマー層８０２（及び必要に応じて、層７０４などの磁性層）を含む。さらに、ビーズ８００は、開始位置８０４を含み、これは、ビーズ８００の周囲長の残りとは異なる形状をもつ。開始位置８０４は、図２Ａに示す間隙２１０を参照して上述したように、画像認識用の配向インジケーターとして使用され得る。
【０１９９】
図８Ｂは、使用し得るコード化方式を示す。図８Ｂは、ビーズ８１０を示し、これは、ビーズ８００と同様に、非透明ポリマー層８１２及び開始位置８１４（及び必要に応じて、層７０４などの磁性層）を含む。この方式では、ギア周りの潜在的な形状変化点は、例えば、位置８２０、８２２、８２４、８２６、８２８、８３０、８３２、８３４、８３６、８３８、８４０、８４２、及び８４４で標識される。図８Ｂに示すように、２つの潜在的な形状だけを位置８２０、８２２、８２４、８２６、８２８、８３０、８３２、８３４、８３６、８３８、８４０、８４２、及び８４４に使用し得る場合であっても、この実施形態は、最大で２１３個の固有コードが可能になる。さらに、上述のように、アナログコード化の使用は、周囲長の周りの示された位置のいずれかまたは全てで（例えば、図８Ｂで標識した各形状変化点で）３つ以上の潜在的な形状の使用を可能にすることで、この数を大幅に拡大する。
【０２００】
図９Ａ〜９Ｃは、ビーズ９００におけるさらに別の潜在的な実施形態を示す。ビーズ８００と同様、ビーズ９００は、非透明ポリマー層９０２及び開始位置９０４（及び必要に応じて、層７０４などの磁性層）を含むギア形状ビーズである。さらに、ビーズ９００は、ビーズ９００の一方または両方の面に固定された１つ以上の円柱（例えば、円柱９０６）を有し得る。図９Ｂの断面に示すように、円柱９０６は、層９０２の表面から延びる。好都合なことに、円柱９０６は、（円柱５１０を参照して上述したように）光学圧着の可能性を低くするのに役立つ。
【０２０１】
図９Ｃは、円柱９０６寸法を示す。この例では、円柱９０６は、３μｍの高さで３μｍの直径の円柱であるが、上述のように、そのような円柱は、円柱形状に決して限定されない。いくつかの実施形態では、円柱９０６は、ニッケルなどの磁性材料からなる。これにより、円柱９０６が、上述のように、ビーズ９００の磁気操作用の磁気素子としてさらに機能することが可能になる。
【０２０２】
実施例３：ビーズ形状でコード化された二次元のアナログコードをもつビーズの作製方法
先の実施例において複数のタイプのビーズの例示の実施形態を説明してきたが、ビーズの作製方法に注意を向けられたい。上述のように、本開示のビーズは、所望の構成及び／または随意的な特徴に応じて、１つ、２つ、またはそれ以上の構成層で作製され得る。
【０２０３】
図１０に示すプロセス１０００は、上記の実施例２で記載されるものなど単層ビーズを製造するための例示のワークフローを示す。ブロック１００２で、犠牲層１００６を基質１００４上に構築する。いくつかの実施形態では、基質１００４は、ガラス基質であり得る。ブロック１０１０で、層１０１２を犠牲層１００６上に堆積させる。いくつかの実施形態では、層１０１２は、非透明ポリマー層である。ブロック１０２０で、層１０１２の周囲長は、リソグラフィーを用いてギア形状（上述のように）に形作られ、ギア形状層１０２２を生成する。ブロック１０３０で、全体構造（すなわち、層１０２２、犠牲層１００６、及び基質１００４）を溶媒中に浸漬する。この溶媒処理で犠牲層１００６を溶解し、ギア形状層１０２２を基質１００４から剥離することで、ビーズ１０３２を生成する。いくつかの実施形態では、ビーズ１０３２は、例えば、捕捉剤を一方または両方の面に連結させることでさらに改変し得る。
【０２０４】
上記の実施例２で記載されるように、ギア形状ビーズは、磁気素子（例えば、円柱及び／または磁性層）などの随意的な要素を含み得る。図１１Ａ及び１１Ｂに示すプロセス１１００は、１つ以上の磁気素子をもつギア形状ビーズを製造するための例示のワークフローを示す。
【０２０５】
図１１Ａに示すように、ブロック１１０２で、犠牲層１１０６を基質１１０４上に構築する。いくつかの実施形態では、基質１１０４は、ガラス基質であり得る。ブロック１１１０で、磁性層１１１２を犠牲層１１０６上に堆積させる。いくつかの実施形態では、磁性層１１１２は、ニッケルを含む。ブロック１１２０で、磁性層１１１２は、リソグラフィーによって形状磁性層１１２２に形作られる。形状磁性層１１２２は、任意の所望の形状を取り得、例えば、円柱９０６で図９Ａに示すように、１つ以上の円柱に形成され得る。
【０２０６】
図１１Ｂに示すように、ブロック１１３０で、実質的に非透明なポリマー層１１３２を形状磁性層１１２２及び犠牲層１１０６上に堆積させる。ブロック１１４０で、層１１３２の周囲長は、リソグラフィーによってギア形状の実質的に非透明な層１１４２（例えば、図６Ａ〜９Ａに示すギア形状の１つ）に形作られる。ブロック１１５０で、全体構造（すなわち、層１１４２、形状磁性層１１２２、犠牲層１１０６、及び基質１１０４）を溶媒中に浸漬する。この溶媒処理で犠牲層１１０６を溶解し、ギア形状層１１４２及び形状磁性層１１２２を基質１１０４から剥離することで、ビーズ１１５２を生成する。いくつかの実施形態では、ビーズ１１５２は、例えば、捕捉剤を一方または両方の面に連結させることでさらに改変し得る。
【０２０７】
実施例４：二次元のアナログコード及び均一形状をもつコード化ビーズの作製方法
ここで、１つ以上の実質的に透明なポリマー層及び１つ以上の実質的に非透明なポリマー層をもつコード化ビーズ、例えば、実施例１で記載されたものの作製方法に注意を向けられたい。図１２Ａ〜１２Ｅは、実質的に透明なポリマー層、実質的に非透明なポリマー層（その二次元形状は、アナログコードを構成する）、及び１つ以上の円柱を有するビーズを製造するための例示のワークフローであるプロセス１２００を示す。
【０２０８】
図１２Ａから始めて、ブロック１２０２で、犠牲層１２０６を基質１２０４の上に（例えば、スピンコーティングで）堆積させる。いくつかの実施形態では、基質１２０４は、ガラス基質であり得る。ブロック１２０８で、マスク１２１０を塗布し、及び犠牲層１２０６に紫外光を暴露する。マスク１２１０を介して紫外光を適用することで、紫外光セグメント１２１２及び１２１４を通過し、犠牲層１２０６を処理することが可能になる。ブロック１２１６で、標準リソグラフィー現像を介した構造の現像後、犠牲層１２０６が、紫外線処理のマスキングの結果として形状犠牲層１２１８の中に形成される。
【０２０９】
プロセス１２００をブロック１２２０で継続し（図１２Ｂ）、ここで、形状犠牲層１２１８中のマスクされた穴に実質的に透明なポリマーを充填し、円柱１２２２及び１２２４を生成する。ブロック１２２６で、実質的に透明なポリマー層１２２８を、円柱１２２２及び１２２４、並びに形状犠牲層１２１８上に堆積させる。
【０２１０】
プロセス１２００をブロック１２３０で継続し（図１２Ｃ）、磁性層１２３２を層１２２８上に堆積させる。いくつかの実施形態では、磁性層１２３２は、ニッケルを含む。いくつかの実施形態では、磁性層１２３２は、スパッタリングによって堆積される。ブロック１２３４で、エッチブロック層を磁性層１２３２上に堆積させて、エッチブロック１２３６及び１２３８によって表される。ブロック１２４０で、磁性層１２３２のブロックされていないセグメントをエッチング除去し、形状磁性層１２４２を生成する。いくつかの実施形態では、形状磁性層１２４２は、層１２２８（例えば、図５Ａの層２０６を参照されたい）の中央部分を囲むリング形状（配向を示すための随意的な非対称性をもつ）に形成され得る。ブロック１２４４で、エッチブロック層（エッチブロック１２３６及び１２３８によって表される）を除去する。
【０２１１】
プロセス１２００をブロック１２４６で継続し（図１２Ｄ）、ここで、実質的に透明なポリマー層１２４８を層１２２８及び１２４２上に堆積させる（エッチブロッキングによって生成された層１２４２中の任意の穴に充填する）。ブロック１２５０で、実質的に非透明な層１２５２を堆積し、リソグラフィーによって層１２４８の上部に形成する。いくつかの実施形態では、層１２５２は、磁性層１２４２を囲むリングに１つ以上のギア歯を備えるように形成される（例えば、図２Ａの層２０２及び２０６及び中央部分２０８に関する層２０４を参照されたい）。
【０２１２】
プロセス１２００をブロック１２５４で継続し（図１２Ｅ）、ここで、円柱１２５６及び１２５８を、リソグラフィーによって層１２４８の上部に形成する。いくつかの実施形態では、円柱１２５６及び１２５８は、実質的に透明なポリマーからなる。いくつかの実施形態では、円柱は、図５Ａ及び５Ｂに示すように位置付けられる。ブロック１２６０で、基質１２０４を同じ形状の１つ以上のビーズに切断する（すなわち、説明を簡単にするために、１つのビーズしか図１２Ａ〜１２Ｅで示さないが、２つ以上のビーズを、プロセス１２００で基質１２０４上に構築してもよい）。また、ブロック１２６０で、全体構造（すなわち、１２０４、１２１８、１２２２、１２２４、１２２８、１２４２、１２４８、１２５２、１２５６、及び１２５８を含む）を溶媒中に浸漬する。この溶媒処理で犠牲層１２１８を溶解し、ビーズ１２６２を基質１２０４から剥離する。いくつかの実施形態では、ビーズ１２６２は、例えば、捕捉剤を一方または両方の面に連結させることでさらに改変し得る。
【０２１３】
図１３Ａ〜１３Ｃは、異なるタイプの多層ビーズを生成するための例示のワークフローであるプロセス１３００を示す。図１３Ａから始めて、ブロック１３０２で、犠牲層１３０６を基質層１３０４上に堆積させる。いくつかの実施形態では、基質１３０４は、ガラス基質である。ブロック１３０８で、実質的に透明な層１３１０を犠牲層１３０６上に堆積させる。ブロック１３１２で、磁性層１３１４を層１３１０上に堆積させる。いくつかの実施形態では、磁性層１３１４は、ニッケルを含む。
【０２１４】
プロセス１３００をブロック１３１６で継続し（図１３Ｂ）、ここで、磁性層１３１４を形状磁性層１３１８に定義する。いくつかの実施形態では、形状磁性層１３１８は、層１３１０（例えば、図２Ａの層２０６を参照されたい）の中央部分を囲むリング形状（配向を示すための随意的な非対称性をもつ）に定義される。ブロック１３２０で、実質的に透明な層１３２２を層１３１８及び１３１０上に堆積させて、形状層１３１８を定義することによって生成された任意の穴に充填する。ブロック１３２４で、実質的に非透明なポリマー層１３２６を層１３２２上に堆積させる。
【０２１５】
プロセス１３００をブロック１３２８で継続し（図１３Ｃ）、ここで、実質的に非透明なポリマー層１３２６を、リソグラフィーによってギア形状の実質的に非透明なポリマー層１３３０に形成する。いくつかの実施形態では、層１３３０は、形状磁性層１３１８を囲むリングに１つ以上のギア歯を備えるように形成される（例えば、図２Ａの層２０２及び２０６及び中央部分２０８に関する層２０４を参照されたい）。ブロック１３３２で、全体構造（すなわち、１３０４、１３０６、１３１０、１３１８、１３２２、及び１３３０を含む）を溶媒中に浸漬する。この溶媒処理で犠牲層１３０６を溶解し、ビーズ１３３４を基質１３０４から剥離する。いくつかの実施形態では、ビーズ１３３４は、例えば、捕捉剤を一方または両方の面に連結させることでさらに改変し得る。
【０２１６】
実施例５：マルチプレックス生物学アッセイ用のアッセイキット
この実施例は、固有の情報記憶識別子でコード化されたビーズの組成物を用いた、マルチプレックス生物学アッセイ用の例示のアッセイキットについて説明する。
【０２１７】
材料及び方法
ビーズ組成物
複数のビーズを官能基化し、２つの異なる捕捉剤：腫瘍壊死因子α（ＴＮＦ−α）及びインターロイキン６（ＩＬ−６）の各々に対する抗体と結合させる。ＴＮＦ−αに対する抗体と結合したビーズは、バーコード１０１１で標識される。ＩＬ−６に対する抗体と結合したビーズは、バーコード１０１２で標識される。
【０２１８】
さらなる複数のビーズをビオチン化ウシ血清アルブミン（ＢＳＡ）で被覆し、陽性対照として機能する。これらのビーズは、ビオチン化ＢＳＡのコーティング、並びにアッセイキット（「デモキット」）の同一性に対応するバーコード３０２３を含む。
【０２１９】
さらなる複数のビーズをＢＳＡで被覆し、陰性対照として機能する。これらのビーズは、ＢＳＡのコーティング並びにアッセイキットのロット番号ＰＢ０３１３１３−１に対応するバーコード３０２４または３０２５、及びロット番号に特有の対応する較正データを含む。
【０２２０】
ＢＳＡで被覆されたさらなるビーズは、特定の患者ＩＤ１１６７０７１８９に対応するバーコード４０１３で標識される。
【０２２１】
ＢＳＡで被覆されたさらなるビーズは、アッセイを行ったリサーチ研究所（ＰｌｅｘＢｉｏ）に対応するバーコード３０８０で標識される。
【０２２２】
サンプルとの反応
上述の複数のビーズを、ＴＮＦ−α及びＩＬ−６を混ぜた血清のサンプルを含有するウェル（Ａ２）に添加する。その後、混合物を３７℃で１時間インキュベートした。次いで、サンプルを洗浄緩衝液（０．１％のポリソルベート２０（Ｔｗｅｅｎ２０）を含有するリン酸緩衝生理食塩水）で洗浄する。その後、ビオチン／二次抗体溶液を、それらの一次抗体をすでに結合しているＴＮＦ−αまたはＩＬ−６に結合することが可能なビオチン化二次抗体を含有するサンプルに添加する。次いで、サンプルをインキュベートし、洗浄緩衝液で洗浄する。その後、ストレプトアビジン−フィコエリトリン（ＰＥ）コンジュゲートを含有する溶液を添加し、ビーズ混合物でインキュベートする。次いで、溶液を洗浄緩衝液及び信号安定化溶液で洗浄し、過剰な蛍光分子を除去する。
【０２２３】
同時に、上述の複数のビーズを、公知であるが異なる濃度のＴＮＦ−α及びＩＬ−６を含有する８つの他のウェル（Ａ１、Ｂ１、Ｃ１、Ｄ１、Ｅ１、Ｆ１、Ｇ１、Ｈ１）に添加し、同じアッセイプロセスをこれらのウェル上で実施する。
【０２２４】
イメージングプロセッサー及び反応検出システムを次いで使用し、各ビーズ上のバーコードの同定、及び全ての９つのウェルのストレプトアビジン−ＰＥから発信された信号の検出を同時に行う。各ウェル中の公知の濃度と組み合わせて、同定及びウェルＡ１、Ｂ１、Ｃ１、Ｄ１、Ｅ１、Ｆ１、Ｇ１、Ｈ１から検出された信号を用いて、ＴＮＦ−α及びＩＬ−６の各々の標準曲線を決定する。次いで、ＴＮＦ−α及びＩＬ−６に対する抗体と結合したビーズが発信した中央信号を、ＴＮＦ−α及びＩＬ−６の各々の標準曲線に入力し、サンプル中の各々の濃度を推定する。
【０２２５】
上記発明は、理解を明確にするために説明及び例によっていくらか詳細に記載してきたが、その説明及び例は、本開示の範囲を限定するものと解釈すべきものではない。本明細書において引用する全ての特許及び科学的文献の開示は、参照によりそれらの全体が本明細書に明示的に組み入れられる。
【図１−１】
2019535003.tif 000003
【図１−２】
2019535003.tif 000004
【図２】
2019535003.tif 000005
【図３】
2019535003.tif 000006
【図４Ａ】
2019535003.tif 000007
【図４Ｂ】
2019535003.tif 000008
【図５】
2019535003.tif 000009
【図６−１】
2019535003.tif 000010
【図６−２】
2019535003.tif 000011
【図７】
2019535003.tif 000012
【図８Ａ】
2019535003.tif 000013
【図８Ｂ】
2019535003.tif 000014
【図９】
2019535003.tif 000015
【図１０】
2019535003.tif 000016
【図１１Ａ】
2019535003.tif 000017
【図１１Ｂ】
2019535003.tif 000018
【図１２Ａ】
2019535003.tif 000019
【図１２Ｂ】
2019535003.tif 000020
【図１２Ｃ】
2019535003.tif 000021
【図１２Ｄ】
2019535003.tif 000022
【図１２Ｅ】
2019535003.tif 000023
【図１３Ａ】
2019535003.tif 000024
【図１３Ｂ】
2019535003.tif 000025
【図１３Ｃ】
2019535003.tif 000026
【図１４】
2019535003.tif 000027
【国際調査報告】
2019535003.tif 000028
2019535003.tif 000029
2019535003.tif 000030